(57)【特許請求の範囲】
【請求項１】
電力を利用する電力装置に対して着脱自在に装着される蓄電装置を保管する保管装置と、
前記保管装置と通信可能に接続されるサーバー装置と、
を備え、
前記サーバー装置は、前記蓄電装置のうち、複数の利用者で共同利用されるものの識別情報を記憶識別情報として記憶する第１記憶部を有し、
前記保管装置は、
前記サーバー装置から受信する前記記憶識別情報を記憶する第２記憶部を備え、
利用者から前記蓄電装置を受領したときに、前記第２記憶部に記憶された前記記憶識別情報に基づいて、前記蓄電装置の受領の可否を判断する判断部を有する、
蓄電装置管理システム。
【請求項２】
前記保管装置は、前記判断部が前記利用者からの前記蓄電装置を受領可能と判断したときに、前記利用者に提供する保管中の前記蓄電装置を決定する提供部を有する、
請求項１に記載の蓄電装置管理システム。
【請求項３】
前記判断部は、前記受領したときよりも前に前記第２記憶部に記憶された前記記憶識別情報に基づいて、前記蓄電装置の受領の可否を判断する、
請求項１または請求項２に記載の蓄電装置管理システム。
【請求項４】
前記保管装置は、予め定めた時間間隔で前記記憶識別情報の更新の有無を前記サーバー装置に問い合わせ、前記記憶識別情報が更新されている場合にのみ、前記サーバー装置から前記記憶識別情報を受信して前記第２記憶部に記憶する、
請求項１から請求項３のいずれか１項に記載の蓄電装置管理システム。
【請求項５】
前記記憶識別情報は、保管中の前記蓄電装置を提供する順番を含み、
前記提供部は、前記判断部が前記利用者からの前記蓄電装置を受領可能と判断したときに、前記順番に基づいて、前記利用者に提供する保管中の前記蓄電装置を決定する、
請求項２に記載の蓄電装置管理システム。
【請求項６】
前記サーバー装置または前記保管装置は、前記記憶識別情報から特定の前記蓄電装置の識別情報を削除する削除部を有する、
請求項５に記載の蓄電装置管理システム。
【請求項７】
前記保管装置は、保管中の前記蓄電装置の状態情報を取得する状態取得部と、
前記状態取得部が取得した前記状態情報を前記サーバー装置に送信する送信部と、を有し、
前記サーバー装置は、前記送信部により送信された前記状態情報に基づいて、前記保管装置において保管中の前記蓄電装置を前記利用者に提供する前記順番を決定する決定部を有する、
請求項５または請求項６に記載の蓄電装置管理システム。
【請求項８】
前記サーバー装置は、前記保管装置に対応して予め設定された規則に従った論理で、前記保管装置において利用者に提供することができる前記蓄電装置および前記蓄電装置を提供する順番を決定する、
請求項７に記載の蓄電装置管理システム。
【請求項９】
前記状態情報は、保管中の前記蓄電装置の識別情報と、少なくとも、充電回数の情報と、劣化状態の情報と、充電率の情報とを含む、
請求項７または請求項８に記載の蓄電装置管理システム。
【請求項１０】
前記判断部は、
前記記憶識別情報に、前記利用者から受領した前記蓄電装置の識別情報が前記記憶識別情報に含まれていない場合、受領した前記蓄電装置を受領不可能と判断し、
前記記憶識別情報に、前記利用者から受領した前記蓄電装置の識別情報が前記記憶識別情報に含まれている場合、受領した前記蓄電装置を受領可能と判断する、
請求項１から請求項９のいずれか１項に記載の蓄電装置管理システム。
【請求項１１】
前記保管装置は、前記判断部が前記利用者からの前記蓄電装置を受領不可能と判断したときに、前記利用者への保管中の前記蓄電装置の提供を禁止する、または前記利用者へ前記蓄電装置の受領不可能を報知する応答部を有する、
請求項１から請求項１０のいずれか１項に記載の蓄電装置管理システム。
【請求項１２】
前記保管装置は、
保管中の前記蓄電装置を前記利用者に提供した後に、前記利用者から受領した前記蓄電装置を充電する充電部を有する、
請求項１から請求項１１のいずれか１項に記載の蓄電装置管理システム。
【請求項１３】
電力を利用する電力装置に対して着脱自在に装着される蓄電装置を収容する収容部と、
通信可能に接続されるサーバー装置から受信する、前記蓄電装置のうち、複数の利用者で共同利用されるものの識別情報を記憶識別情報として記憶する第２記憶部と、
利用者から前記蓄電装置を受領したときに、前記第２記憶部に記憶された前記記憶識別情報に基づいて、前記蓄電装置の受領の可否を判断する判断部を有する、
保管装置。
【請求項１４】
電力を利用する電力装置に対して着脱自在に装着される蓄電装置を収容する収容部を有する保管装置のコンピュータが、
通信可能に接続されるサーバー装置から、複数の利用者で共同利用されるものの識別情報を記憶識別情報として受信して記憶するステップと、
利用者から前記蓄電装置を受領したときに、記憶された前記記憶識別情報に基づいて、前記蓄電装置の受領の可否を判断するステップと、
を含む蓄電装置管理方法。
【請求項１５】
電力を利用する電力装置に対して着脱自在に装着される蓄電装置を収容する収容部を有する保管装置のコンピュータに、
通信可能に接続されるサーバー装置から、複数の利用者で共同利用されるものの識別情報を記憶識別情報として受信して記憶するステップと、
利用者から前記蓄電装置を受領したときに、記憶された前記記憶識別情報に基づいて、前記蓄電装置の受領の可否を判断するステップと、
を実行させるためのプログラム。
【請求項１６】
電力を利用する電力装置に対して着脱自在に装着される蓄電装置を収容する収容部を有する保管装置のコンピュータに、
通信可能に接続されるサーバー装置から、複数の利用者で共同利用されるものの識別情報を記憶識別情報として受信して記憶するステップと、
利用者から前記蓄電装置を受領したときに、記憶された前記記憶識別情報に基づいて、前記蓄電装置の受領の可否を判断するステップと、
を実行させるためのプログラムを格納したコンピュータ読み取り可能な記憶媒体。
【発明の詳細な説明】
【技術分野】
【０００１】
本発明は、蓄電装置管理システム、保管装置、蓄電装置管理方法、プログラム、および記憶媒体に関する。
本願は、２０１８年０９月２０日に、日本に出願された日本国特願２０１８−１７５９９４号および日本国特願２０１８−１７５９９５号に基づき優先権を主張し、その内容をここに援用する。
【背景技術】
【０００２】
近年、ＥＶ（Ｅｌｅｃｔｒｉｃ  Ｖｅｈｉｃｌｅ：電気自動車）やＨＥＶ（Ｈｙｂｒｉｄ  Ｅｌｅｃｔｒｉｃ  Ｖｅｈｉｃｌｅ：ハイブリッド電気自動車）など、バッテリ（電池）から供給される電力によって駆動される電動モータによって走行する電動車両の開発が進んでいる。電動車両では、駆動源であるバッテリの電力が消耗してきた場合、その後の走行を継続するためにバッテリの充電をする必要がある。【０００３】
ところで、近年の電動車両の中には、着脱することができる構成にしたバッテリ（以下、「着脱式バッテリ」という）を採用しているものも存在している。着脱式バッテリを採用した電動車両では、現在装着している着脱式バッテリの電力が消耗してきた場合に、充電が完了している予備の着脱式バッテリなど、十分な電力を蓄電している他の着脱式バッテリに交換することによって、走行を継続することができる。これにより、着脱式バッテリを採用した電動車両を使用している使用者（ユーザー）は、現在装着している着脱式バッテリを予備の着脱式バッテリに交換する際に要する時間以外の時間、つまり、電動車両を使用している途中で起こり得る着脱式バッテリを充電するための充電時間を必要とせずに、電動車両を連続して使用することができる。つまり、着脱式バッテリを採用した電動車両を使用している使用者（ユーザー）は、着脱式バッテリの充電時間による時間のロスをなくすことができる。このため、近年では、電動車両を使用する複数の使用者（ユーザー）同士で着脱式バッテリを共同で利用するバッテリ共同利用サービス（いわゆる、バッテリシェアサービス）の展開が検討されている。【０００４】
このため、電動車両におけるバッテリ共同利用サービスの仕組みとして、例えば、特許文献１のような、自動車駆動用共用バッテリ管理システムの技術が開示されている。そして、特許文献１には、共用バッテリ管理システムを利用することによって、電気自動車のバッテリの充電時間を不要とするバッテリ交換の仕組みが開示されている。このバッテリ交換の仕組みは、複数の電気自動車で共同使用されるバッテリの交換を円滑、確実にする仕組みである。特許文献１に開示されたバッテリ交換の仕組みでは、電気自動車の運転者（ユーザー）は、バッテリを交換する必要があるときにバッテリ交換ステーションに立ち寄り、電気自動車からバッテリを取外して、バッテリ交換ステーションで充電した充電済みのバッテリと交換する。【０００５】
ここで、特許文献１に開示された共用バッテリ管理システムでは、複数の電気自動車で共同使用されるバッテリに、それぞれ固有のＩＣカードが添付されている。そして、特許文献１に開示された共用バッテリ管理システムにおいてそれぞれのバッテリに添付されたＩＣカードには、電気自動車の走行中およびバッテリ交換ステーションでの作業中に情報が書き込まれる。また、特許文献１に開示された共用バッテリ管理システムにおいてバッテリ交換ステーションは、充電設備とステーション管理装置を備えている。また、特許文献１に開示された共用バッテリ管理システムでは、充電設備に、充電装置、ＩＣカードの読取・書込機能、および充電状況監視機能を有するコントローラ部を備えている。また、特許文献１に開示された共用バッテリ管理システムでは、ステーション管理装置が、無線ないし有線ケーブルでコントローラ部と通信可能に接続され、さらに、インターネットなどの通信ネットワークを介してシステム管理装置と通信可能となっている。そして、特許文献１に開示された共用バッテリ管理システムにおいてステーション管理装置は、システム管理装置との間で、バッテリに関する情報の送受信を所定のタイミングで行う。これにより、特許文献１に開示された共用バッテリ管理システムでは、システム管理装置が、システム管理装置内のバッテリ管理データベースにアクセスして、バッテリに関する情報を一括で管理する。【０００６】
ところで、特許文献１に開示された共用バッテリ管理システムを利用したバッテリ交換の仕組みでは、バッテリの交換作業をスタッフが行うことが示されている。しかしながら、バッテリ共同利用サービス（バッテリシェアサービス）を普及させるためには、様々な場所にバッテリ交換ステーションを設置する必要があると考えられる。このため、バッテリ共同利用サービスを普及させるためには、特許文献１に開示された共用バッテリ管理システムを利用したバッテリ交換の仕組みのようなバッテリ交換ステーションに待機しているスタッフ、つまり、電動車両を使用する使用者（ユーザー）以外の人間が介在せずに自動でバッテリ交換を行うことができる仕組みを実現することが望ましい。そこで、特許文献１に開示された共用バッテリ管理システムを利用したバッテリ交換の仕組みにおいて、スタッフが介在せずに自動でバッテリ交換を行う処理手順について考えてみると、バッテリ交換ステーションにおける処理手順としては、一般的に次のような処理手順が考えられる。【０００７】
（手順１）：電気自動車の運転者（ユーザー）は、立ち寄ったバッテリ交換ステーションにおいて、充電する必要があるバッテリを電気自動車から取り外す。その後、電気自動車の運転者（ユーザー）は、取り外したバッテリを、例えば、バッテリ交換ステーションに備えたバッテリ充電器に設置する。これにより、バッテリ交換ステーションに備えたステーション管理装置は、バッテリ充電器設置されたバッテリに添付されているＩＣカードの情報を取得する。【０００８】
（手順２）：そして、ステーション管理装置は、取得したバッテリのＩＣカードの情報を、通信ネットワークを介してシステム管理装置に送信する。【０００９】
（手順３）：ステーション管理装置から送信されてきたＩＣカードの情報を受信したシステム管理装置は、受信したＩＣカードの情報をバッテリ管理データベースに記憶しているＩＣカードの情報と照合し、受信した情報が書き込まれたＩＣカードが添付されたバッテリがバッテリ交換ステーションにおいて交換することができるバッテリであるか否かを判定する。そして、システム管理装置、判定した結果を、通信ネットワークを介してステーション管理装置に送信する。【００１０】
（手順４）：システム管理装置から送信されてきたバッテリの判定結果を受信したステーション管理装置は、受信した判定結果が交換することができるバッテリであることを表す結果である場合に、電気自動車の運転者（ユーザー）によってバッテリ充電器に設置されたバッテリを、充電済みのバッテリと交換する。これにより、電気自動車の運転者（ユーザー）は、交換された充電済みのバッテリを受け取り、受け取ったバッテリを電気自動車に取り付けて（装着して）、再び電気自動車を使用する、つまり、バッテリ交換ステーションを出発して走行を再開することができる。【００１１】
（手順５）：また、バッテリ交換ステーションに備えた充電設備は、交換したバッテリ（電力が消耗しているバッテリ）の充電を開始する。【００１２】
このように、特許文献１に開示された共用バッテリ管理システムを利用したバッテリ交換の仕組みでは、バッテリ交換ステーションに備えたステーション管理装置とシステム管理装置とが、通信ネットワークを介した通信を行い、システム管理装置が、バッテリに添付されたＩＣカードの情報に基づいて交換することができるバッテリであると判定した後に、電気自動車の運転者（ユーザー）が充電済みのバッテリを使用することができる。【００１３】
また、電動車両におけるバッテリ共同利用サービスに関する様々な技術が提案されている。例えば、特許文献２には、バッテリを使用して作動する物品用のバッテリを貸し出すバッテリ貸出方法に関する技術が開示されている。特許文献２に開示された技術は、脱着自在なバッテリを備えた車両のレンタルシステムに関する技術である。特許文献２に開示された技術では、レンタルシステムにおいて貸し出される（レンタルされる）車両の一例である電動二輪車と同じ駐輪ブースに置かれたバッテリ供給装置でバッテリの貸し出しを行う際に、バッテリ供給装置に備えた中央処理部が、ソフトウェアとして組み込まれたバッテリ貸出処理手段を実行することによって、貸し出しをするバッテリを選定する。【００１４】
そして、特許文献２に開示されたバッテリ貸出方法には、バッテリ供給装置にあるバッテリの状態に応じて、ソフトウェアとして組み込まれたバッテリ貸出処理手段がバッテリを貸し出す際の考え方が示されている。より具体的には、特許文献２には、バッテリ貸出処理手段が、バッテリ供給装置に満充電のバッテリが複数ある場合には、充電回数の少ない満充電のバッテリから貸し出し、バッテリ供給装置に満充電のバッテリが複数ない場合には、現在ある満充電のバッテリを貸し出すことが開示されている。また、特許文献２には、バッテリ貸出処理手段が、バッテリ供給装置に満充電のバッテリがない場合には、充電電圧が規定量以上である満充電に近いバッテリを貸し出し、充電電圧が規定量未満であるバッテリの貸し出しを行わないことが開示されている。【００１５】
このように、特許文献２に開示されたバッテリ貸出方法には、バッテリ供給装置にあるバッテリの状態に応じて、電動車両の使用者（ユーザー）に、バッテリを貸し出す方法が開示されている。【００１６】
また、移動体本体に対してバッテリを着脱可能に装填できる移動体の他の例として、バッテリと、バッテリを収容可能な収容室が形成された充電給電ユニットとを有する可搬型の充電給電装置が知られている（例えば、特許文献３参照）。
【先行技術文献】
【特許文献】
【００１７】
【特許文献１】日本国特開２０１１−０９６２３３号公報
【特許文献２】日本国特開平１１−２５９７０９号公報
【特許文献３】日本国特開２０１９−０６８５５２号公報
【発明の概要】
【発明が解決しようとする課題】
【００１８】
しかしながら、バッテリ交換ステーションが設置される場所は、通信ネットワークを介したステーション管理装置とシステム管理装置との通信を常に安定して行うことできる場所であるとは限らない。例えば、通信ネットワークが発展途上にある地域では、ステーション管理装置とシステム管理装置とが通信するために必要な通信速度や通信の接続安定性を確保することができるとは限らない。【００１９】
そして、特許文献１に開示された共用バッテリ管理システムを利用したバッテリ交換の仕組みでは、ステーション管理装置とシステム管理装置との間の通信速度や通信の接続安定性が低下してしまうと、ステーション管理装置とシステム管理装置との間でやり取りする（通信する）情報の遅延や通信の未実行というような不具合が生じてしまうことが想定される。つまり、ステーション管理装置とシステム管理装置との間の通信の状態（通信環境）が悪化すると、電気自動車の運転者（ユーザー）がバッテリ交換ステーションにおいて交換を希望しているバッテリに添付されているＩＣカードの情報や、システム管理装置がバッテリ交換ステーションにおいてバッテリ交換をすることができるバッテリであるか否かを判定した判定結果など、バッテリ交換をする際に必要な情報のやり取りができなくなってしまうことが考えられる。この場合、特許文献１に開示された共用バッテリ管理システムを利用したバッテリ交換の仕組みでは、電気自動車の運転者（ユーザー）が希望しているバッテリの交換を受け付けることができないことになってしまう。つまり、特許文献１に開示された共用バッテリ管理システムを利用したバッテリ交換の仕組みでは、ステーション管理装置とシステム管理装置との間の通信速度や通信の接続安定性が低下してしまうと、バッテリ共同利用サービス（バッテリシェアサービス）におけるバッテリ交換の業務を停止せざるを得なくなってしまう。【００２０】
また、バッテリ共同利用サービスにおける着脱式バッテリの貸し出し方法を、バッテリ共同利用サービスを提供する運用者側の観点で考えた場合には、特許文献２に開示されたバッテリ貸出方法は、必ずしも好ましい方法であるとは限らない。これは、バッテリ共同利用サービスにおいて貸し出しをする着脱式バッテリも含め、一般的な蓄電池では、充電と放電とを繰り返すことによって劣化するからである。このため、バッテリ共同利用サービスを提供する運用者は、バッテリ共同利用サービスの保守（メンテナンス）として、充電を予め定めた回数（充電回数）以上行ったことにより放電可能容量が規定値以下となった着脱式バッテリは、貸し出しを行わないようにするため、新たな着脱式バッテリとの交換を行う必要がある。【００２１】
例えば、特許文献２に開示されたバッテリ貸出方法のように、充電回数の少ない着脱式バッテリから貸し出しをする場合を考える。この場合、バッテリ共同利用サービスでは、多くの着脱式バッテリの劣化状態を均一にすることができ、着脱式バッテリの交換を行うメンテナンスの頻度を少なくすることができる。しかし、この場合には、バッテリ共同利用サービスを運用している期間において、充電回数が多い着脱式バッテリ、つまり、交換をする必要がある着脱式バッテリが同時期に多数発生することになってしまう。このため、バッテリ共同利用サービスを提供する運用者は、バッテリ共同利用サービスの運用を継続するために、メンテナンス作業において交換するための新たな着脱式バッテリを、同時期に多数準備することが必要になり、バッテリ共同利用サービスのメンテナンスにより多くのまとまった費用が必要になってしまう。【００２２】
一方、特許文献２に開示されたバッテリ貸出方法とは逆に、充電回数の多い着脱式バッテリから貸し出しをすることも考えられる。この場合には、バッテリ共同利用サービスを運用している期間において、充電回数が多い着脱式バッテリが少量ずつ発生することになるため、バッテリ共同利用サービスの定期的なメンテナンス作業において少量ずつ新たな着脱式バッテリに交換をすればよくなる。このため、バッテリ共同利用サービスを提供する運用者は、バッテリ共同利用サービスの運用を継続するための多くのまとまった費用が必要なくなり、支出のムラが少ない安定したバッテリ共同利用サービスの運用をすることができる。しかしながら、この場合には、バッテリ共同利用サービスにおけるメンテナンス作業（着脱式バッテリの交換作業）を行う回数が増加してしまうことになる。【００２３】
このように、バッテリ共同利用サービスでは、着脱式バッテリの貸し出し方法によって、バッテリ共同利用サービスを提供する運用者における対応が異なってくる。このことから、バッテリ共同利用サービスでは、バッテリ共同利用サービスを提供する運用者における運用の仕方によって、着脱式バッテリの貸し出し方法を変更することができる仕組みが望まれると考えられる。【００２４】
しかしながら、特許文献２に開示されたバッテリ貸出方法では、バッテリ供給装置に備えた中央処理部にソフトウェアとして組み込まれたバッテリ貸出処理手段によってバッテリの貸出方法を制御している。このため、特許文献２に開示された技術を用いたバッテリ共同利用サービスの仕組みでは、上述したように充電回数の多い着脱式バッテリから貸し出しをする貸し出し方法に変更する場合には、ソフトウェアとして組み込まれたバッテリ貸出処理手段そのものを変更することが必要になってしまう。つまり、特許文献２に開示された技術を用いたバッテリ共同利用サービスの仕組みでは、バッテリ共同利用サービスの運用者による運用の仕方ごとに、ソフトウェアとして組み込まれるバッテリ貸出処理手段を用意する（ソフトウェアを開発する）ことが必要になってしまう。【００２５】
一般的に、異なる仕様に対応するソフトウェアの開発、つまり、ソフトウェアのカスタマイズは、開発者の負担となり、多くの費用を要してしまう。このため、特許文献２に開示された技術を用いたバッテリ共同利用サービスの仕組みにおいても、バッテリ共同利用サービスの運用者による運用の仕方ごとにバッテリ貸出処理手段を用意するということは、バッテリ共同利用サービスに用いるバッテリ供給装置を開発する開発者の負担となり、バッテリ共同利用サービスを構築するために多くの費用が必要になってしまう。【００２６】
また、一般的に、中央処理部が実行するソフトウェアの変更は、装置やシステムを停止してから行う必要がある。このため、仮に、特許文献２に開示された技術を用いたバッテリ共同利用サービスの仕組みにおいて、ソフトウェアとしてバッテリ供給装置に備えた中央処理部に組み込まれたバッテリ貸出処理手段を変更することができたとしても、ソフトウェアを変更している期間は、バッテリ供給装置を停止（休止）したり、バッテリ共同利用サービスを中止（中断）したりせざるを得なくなる。【００２７】
本発明の態様は、上記の課題認識に基づいてなされたものであり、通信の状態に影響されることなくバッテリの受領が受け付けられるバッテリ共同利用サービスを構築することができる蓄電装置管理システム、保管装置、蓄電装置管理方法、プログラム、および記憶媒体を提供することを目的としている。
【課題を解決するための手段】
【００２８】
（１）上記目的を達成するため、本発明の一態様に係る蓄電装置管理システム（例えば、共用バッテリ管理システム１０、共用バッテリ管理システム１０Ａ）は、電力を利用する電力装置（例えば、電動二輪車５０）に対して着脱自在に装着される蓄電装置（例えば、着脱式バッテリ５１０）を保管する保管装置（例えば、バッテリ交換装置１００、バッテリ交換装置１００Ａ）と、前記保管装置と（例えば、ネットワークＮＷを介して）通信可能に接続されるサーバー装置（例えば、運用サーバー２００、運用サーバー２００Ａ）と、を備え、前記サーバー装置は、前記蓄電装置のうち、複数の利用者（例えば、電動二輪車５０の使用者（ユーザー）など）で共同利用されるものの識別情報（例えば、バッテリＩＤ）を記憶識別情報（例えば、提供可能バッテリリストＬ、貸し出し可能バッテリリストＢ）として記憶する第１記憶部（例えば、サーバー記憶部２１０、サーバー記憶部２１０Ａ）を有し、前記保管装置は、前記サーバー装置から受信する前記記憶識別情報を記憶する第２記憶部（例えば、交換装置記憶部１３０、交換装置記憶部１３０Ａ）を備え、利用者から前記蓄電装置（例えば、使用済みバッテリ５１０ｕ）を受領したときに、前記第２記憶部に記憶された前記記憶識別情報に基づいて、前記蓄電装置の受領の可否を判断する判断部（例えば、交換装置制御部１４０、交換装置制御部１４０Ａ）を有する、蓄電装置管理システムである。【００２９】
（２）の態様は、上記（１）の態様において、前記保管装置は、前記判断部が前記利用者からの前記蓄電装置を受領可能と判断したときに、前記利用者に提供する保管中の前記蓄電装置（例えば、充電済みバッテリ５１０ｃ）を決定する提供部（例えば、交換装置制御部１４０、交換装置制御部１４０Ａ）を有するものである。【００３０】
（３）の態様は、上記（１）または（２）の態様において、前記判断部は、前記受領したときよりも前に前記第２記憶部に記憶された前記記憶識別情報に基づいて、前記蓄電装置の受領の可否を判断するものである。【００３１】
（４）の態様は、上記（１）から（３）の態様のうちいずれか一態様において、前記保管装置は、予め定めた時間間隔（例えば、３時間ごとや１日ごと、５分間隔など）で前記記憶識別情報の更新の有無を前記サーバー装置に問い合わせ、前記記憶識別情報が更新されている場合にのみ、前記サーバー装置から前記記憶識別情報を受信して前記第２記憶部に記憶するものである。【００３２】
（５）の態様は、上記（２）から（４）の態様のうちいずれか一態様において、前記記憶識別情報は、保管中の前記蓄電装置を提供する順番を含み、前記提供部は、前記判断部が前記利用者からの前記蓄電装置を受領可能と判断したときに、前記順番に基づいて、前記利用者に提供する保管中の前記蓄電装置を決定するものである。【００３３】
（６）の態様は、上記（１）から（５）の態様のうちいずれか一態様において、前記サーバー装置または前記保管装置は、前記記憶識別情報から特定の前記蓄電装置の識別情報を削除する削除部（例えば、サーバー制御部２２０Ａや交換装置制御部１４０Ａ）を有するものである。【００３４】
（７）の態様は、上記（５）または（６）の態様において、前記保管装置は、保管中の前記蓄電装置の状態情報を取得する状態取得部（例えば、情報取得部１４３Ａ）と、前記状態取得部が取得した前記状態情報（例えば、バッテリ状態リストＳ）を前記サーバー装置に（例えば、ネットワークＮＷを介して）送信する送信部（例えば、交換装置通信部１５０Ａ）と、を有し、前記サーバー装置は、前記送信部により送信された前記状態情報に基づいて、前記保管装置において保管中の前記蓄電装置を前記利用者に提供する前記順番を決定する（例えば、貸し出し可能バッテリリストＢを作成する）決定部（例えば、サーバー制御部２２０Ａ）を有するものである。【００３５】
（８）の態様は、上記（５）から（７）の態様のうちいずれか一態様において、前記サーバー装置は、前記保管装置に対応して予め設定された規則（ルール）に従った論理（ロジック）で、前記保管装置において利用者に提供することができる前記蓄電装置および前記蓄電装置を提供する順番を決定するものである。【００３６】
（９）の態様は、上記（７）または（８）の態様において、前記状態情報は、保管中の前記蓄電装置の識別情報（例えば、バッテリＩＤ）と、少なくとも、充電回数の情報と、劣化状態の情報と、充電率の情報とを含むものである。【００３７】
（１０）の態様は、上記（１）から（９）の態様のうちいずれか一態様において、前記判断部は、前記記憶識別情報に、前記利用者から受領した前記蓄電装置の識別情報が前記記憶識別情報に含まれていない場合、受領した前記蓄電装置を受領不可能と判断し、前記記憶識別情報に、前記利用者から受領した前記蓄電装置の識別情報が前記記憶識別情報に含まれている場合、受領した前記蓄電装置を受領可能と判断するものである。【００３８】
（１１）の態様は、上記（１）から（１０）の態様のうちいずれか一態様において、前記保管装置は、前記判断部が前記利用者からの前記蓄電装置を受領不可能と判断したときに、前記利用者への保管中の前記蓄電装置の提供を禁止する、または前記利用者へ前記蓄電装置の受領不可能を（例えば、表示器１１０によって）報知する応答部（例えば、交換装置制御部１４０、交換装置制御部１４０Ａ）を有するものである。【００３９】
（１２）の態様は、上記（１）から（１１）の態様のうちいずれか一態様において、前記保管装置は、保管中の前記蓄電装置を前記利用者に提供した後に、前記利用者から受領した前記蓄電装置を充電する充電部（例えば、充電制御部１４１、充電制御部１４１Ａ）を有するものである。【００４１】
（１４）本発明の一態様に係る保管装置は、電力を利用する電力装置に対して着脱自在に装着される蓄電装置を収容する収容部（例えば、バッテリスロット１２０）と、通信可能に接続されるサーバー装置から受信する、前記蓄電装置のうち、複数の利用者で共同利用されるものの識別情報を記憶識別情報として記憶する第２記憶部と、利用者から前記蓄電装置を受領したときに、前記第２記憶部に記憶された前記記憶識別情報に基づいて、前記蓄電装置の受領の可否を判断する判断部を有する、保管装置である。【００４３】
（１６）本発明の一態様に係る蓄電装置管理方法は、電力を利用する電力装置に対して着脱自在に装着される蓄電装置を収容する収容部を有する保管装置のコンピュータが、通信可能に接続されるサーバー装置から、複数の利用者で共同利用されるものの識別情報を記憶識別情報として受信して記憶するステップと、利用者から前記蓄電装置を受領したときに、記憶された前記記憶識別情報に基づいて、前記蓄電装置の受領の可否を判断するステップと、を含む蓄電装置管理方法である。【００４４】
（１７）本発明の一態様に係るプログラムは、電力を利用する電力装置に対して着脱自在に装着される蓄電装置を収容する収容部を有する保管装置のコンピュータに、通信可能に接続されるサーバー装置から、複数の利用者で共同利用されるものの識別情報を記憶識別情報として受信して記憶するステップと、利用者から前記蓄電装置を受領したときに、記憶された前記記憶識別情報に基づいて、前記蓄電装置の受領の可否を判断するステップと、を実行させるためのプログラムである。【００４５】
（１８）本発明の一態様に係る記憶媒体は、電力を利用する電力装置に対して着脱自在に装着される蓄電装置を収容する収容部を有する保管装置のコンピュータに、通信可能に接続されるサーバー装置から、複数の利用者で共同利用されるものの識別情報を記憶識別情報として受信して記憶するステップと、利用者から前記蓄電装置を受領したときに、記憶された前記記憶識別情報に基づいて、前記蓄電装置の受領の可否を判断するステップと、を実行させるためのプログラムを格納したコンピュータ読み取り可能な記憶媒体である。
【発明の効果】
【００４６】
上記の態様によれば、サーバー装置が、蓄電装置のうち、複数の利用者で共同利用されるものの識別情報を記憶識別情報として第１記憶部に記憶し、保管装置が、記憶識別情報をサーバー装置から受信して第２記憶部に記憶しておく。そして、保管装置は、利用者から蓄電装置を受領したときに、前記第２記憶部に記憶された記憶識別情報に基づいて、蓄電装置の受領の可否を判断する。これにより、蓄電装置管理システムでは、保管装置とサーバー装置との間の通信が利用できない状況であっても、保管装置が単独で、保管中の蓄電装置の供与（提供）を決定することができる。このことにより、蓄電装置管理システムは、保管装置とサーバー装置との間の通信の状態に影響されることなく、バッテリ共同利用サービスを構築することができる。
【図面の簡単な説明】
【００４７】
【図１】本発明の第１実施形態における共用バッテリ管理システムを採用したバッテリ共同利用サービスの概念を示した図である。
【図２】第１実施形態の共用バッテリ管理システムにおいて管理される着脱式バッテリの構成の一例を示したブロック図である。
【図３】第１実施形態の共用バッテリ管理システムを構成するバッテリ交換装置の概略構成を示したブロック図である。
【図４】第１実施形態の共用バッテリ管理システムを構成する運用サーバーの概略構成を示したブロック図である。
【図５】第１実施形態の共用バッテリ管理システムを採用したバッテリ共同利用サービスにおいて交換することができる着脱式バッテリの情報を取得する処理の流れを示したシーケンス図である。
【図６】第１実施形態の共用バッテリ管理システムを採用したバッテリ共同利用サービスにおいて着脱式バッテリを交換する処理の流れを示したシーケンス図である。
【図７】第１実施形態の共用バッテリ管理システムを採用したバッテリ共同利用サービスにおいて着脱式バッテリを交換する手続きの流れを模式的に示した図である。
【図８】従来の共用バッテリ管理システムを採用したバッテリ共同利用サービスにおいて着脱式バッテリを交換する手続きの流れを模式的に示した図である。
【図９】本発明の第２実施形態における共用バッテリ管理システムを採用したバッテリ共同利用サービスの概念を示した図である。
【図１０】第２実施形態の共用バッテリ管理システムにおいて管理される着脱式バッテリの構成の一例を示したブロック図である。
【図１１】第２実施形態の共用バッテリ管理システムを構成するバッテリ交換装置の概略構成を示したブロック図である。
【図１２】第２実施形態の共用バッテリ管理システムを構成する運用サーバーの概略構成を示したブロック図である。
【図１３】第２実施形態の共用バッテリ管理システムを採用したバッテリ共同利用サービスにおいて貸し出すことができる着脱式バッテリの情報を取得する処理の流れを示したシーケンス図である。
【図１４】第２実施形態の共用バッテリ管理システムを採用したバッテリ共同利用サービスにおいて着脱式バッテリを貸し出す処理の流れを示したシーケンス図である。
【図１５】第２実施形態の共用バッテリ管理システムを採用したバッテリ共同利用サービスにおいて着脱式バッテリを貸し出す手続きの流れを模式的に示した図である。
【図１６】従来の共用バッテリ管理システムを採用したバッテリ共同利用サービスにおいて着脱式バッテリを貸し出す手続きの流れを模式的に示した図である。
【発明を実施するための形態】
【００４８】
以下、本発明に係る蓄電装置管理システム、保管装置、蓄電装置管理方法、プログラム、および記憶媒体について、添付の図面を参照しながら説明する。
【００４９】
＜第１実施形態＞
以下、本発明の第１実施形態について、図面を参照して説明する。以下の説明においては、第１実施形態の蓄電装置管理システムが、着脱することができる構成の蓄電装置であるバッテリ（以下、「着脱式バッテリ」という）の電力を利用する電力装置である複数の鞍乗り型の電動車両（以下、「電動二輪車」という）において共同利用される複数の着脱式バッテリの受領と、代わりの着脱式バッテリの供与（提供）とを管理する共用バッテリ管理システムである場合について説明する。
【００５０】
（全体構成）
図１は、本発明の第１実施形態における共用バッテリ管理システムを採用したバッテリ共同利用サービス（いわゆる、バッテリシェアサービス）の概念を示した図である。図１に示したように、第１実施形態の共用バッテリ管理システム１０は、バッテリ交換装置１００と運用サーバー２００とを含んで構成される。なお、第１実施形態の共用バッテリ管理システム１０では、１つの運用サーバー２００が複数のバッテリ交換装置１００に対応する構成とすることもできるが、図１においては、１つのバッテリ交換装置１００のみを示している。また、図１においては、共用バッテリ管理システム１０を採用したバッテリ共同利用サービスを利用する電動二輪車５０も併せて示している。
【００５１】
電動二輪車５０は、着脱式バッテリ５１０から供給される電力によって駆動される電動モータによって走行する電動車両である。なお、電動二輪車５０は、着脱式バッテリ５１０と、ディーゼルエンジンやガソリンエンジンなどの内燃機関とを組み合わせた駆動によって走行するハイブリッド電動車両であってもよい。従って、電動二輪車５０は、バッテリ共同利用サービスを利用する電動車両の一例である。
【００５２】
着脱式バッテリ５１０は、電動二輪車５０に対して着脱自在に装着されるカセット式の蓄電装置（二次電池）である。着脱式バッテリ５１０は、１つの電動二輪車５０に少なくとも１つ装着される。以下の説明においては、電動二輪車５０が、１つの着脱式バッテリ５１０が装着される電動車両であるものとして説明する。着脱式バッテリ５１０は、複数の電動車両で共同利用される蓄電装置である。着脱式バッテリ５１０は、排他的に割り当てられた識別情報（以下、「バッテリＩＤ」という）によって着脱式バッテリ５１０自体を識別することができる。なお、バッテリＩＤとしては、例えば、着脱式バッテリ５１０のシリアル番号などが考えられるが、本発明においては、バッテリＩＤの形式として種々の形式が考えられる。
【００５３】
バッテリ交換装置１００は、複数の場所に設置され、１つ以上の着脱式バッテリ５１０の保管および充電を行う設備である。また、バッテリ交換装置１００は、共用バッテリ管理システム１０の利用者（電動二輪車５０の使用者（ユーザー）など）が交換を希望する着脱式バッテリ５１０と、保管している着脱式バッテリ５１０との交換の手続きを実施する設備でもある。バッテリ交換装置１００は、ネットワークＮＷを介して運用サーバー２００と接続されている。ここで、ネットワークＮＷは、例えば、無線通信の通信網などの通信ネットワークである。なお、ネットワークＮＷは、有線通信の通信網であってもよい。ただし、本発明においては、ネットワークＮＷが無線通信の通信網である方が、ネットワークＮＷが有線通信の通信網である場合よりも、より顕著な効果が得られると考えられる。
【００５４】
バッテリ交換装置１００は、ネットワークＮＷを介した通信によって運用サーバー２００との間で情報のやり取りをし、着脱式バッテリ５１０の交換を実施する。より具体的には、バッテリ交換装置１００は、交換することができる着脱式バッテリ５１０のバッテリＩＤの情報を、ネットワークＮＷを介して運用サーバー２００から取得する。なお、バッテリ交換装置１００は、バッテリＩＤの情報として運用サーバー２００が作成した、バッテリ交換装置１００において交換することができる着脱式バッテリ５１０のバッテリＩＤを記録した提供可能バッテリリストを事前に取得して記憶している。提供可能バッテリリストには、バッテリ共同利用サービスを利用する電動二輪車５０の使用者（ユーザー）などの複数の利用者が共同利用することができる着脱式バッテリ５１０のバッテリＩＤが記録されている。提供可能バッテリリストに記録されている着脱式バッテリ５１０のバッテリＩＤは、例えば、共用バッテリ管理システム１０を採用したバッテリ共同利用サービスの運用者や共用バッテリ管理システム１０の管理者により承認された着脱式バッテリ５１０のバッテリＩＤである。なお、提供可能バッテリリストに記録されている着脱式バッテリ５１０のバッテリＩＤは、バッテリ交換装置１００が着脱式バッテリ５１０を貸し出し順番に並べられていてもよい。言い換えれば、提供可能バッテリリストには、バッテリ交換装置１００が着脱式バッテリ５１０を貸し出す順番の情報が記録されていてもよい。バッテリ交換装置１００は、提供可能バッテリリストに記録されているバッテリＩＤを確認することによって、そのバッテリＩＤが割り当てられた着脱式バッテリ５１０が、バッテリ共同利用サービスにおいて提供する（共同利用される）着脱式バッテリ５１０であるか否かを網羅的に把握することができる。図１には、運用サーバー２００が作成した提供可能バッテリリストＬを、ネットワークＮＷを介して運用サーバー２００から取得している様子を示している。そして、バッテリ交換装置１００は、運用サーバー２００から取得した提供可能バッテリリストＬに含まれる着脱式バッテリ５１０のバッテリＩＤの情報に基づいて、電動二輪車５０の使用者（ユーザー）が持ち込んできた電力が消耗している着脱式バッテリ５１０が、交換することができる着脱式バッテリ５１０であるか否かを、単独で判定する。バッテリ交換装置１００は、電動二輪車５０の使用者（ユーザー）が持ち込んできた着脱式バッテリ５１０が、交換することができる着脱式バッテリ５１０であると判定した場合に、電動二輪車５０の使用者（ユーザー）が持ち込んできた着脱式バッテリ５１０と保管している着脱式バッテリ５１０との交換を行う。
【００５５】
図１には、バッテリ交換装置１００の構成の一例を示している。図１に示したバッテリ交換装置１００は、筐体１０１に、表示器１１０と、充電機能を備えた８つのバッテリスロット１２０−１〜バッテリスロット１２０−８とが設けられている。なお、以下の説明において８つのバッテリスロット１２０−１〜バッテリスロット１２０−８のそれぞれを区別せずに表すときには、「−」とそれに続く数字を示さず、単に「バッテリスロット１２０」という。
【００５６】
バッテリ交換装置１００に備えた表示器１１０は、電動二輪車５０の使用者（ユーザー）に通知する情報を表示する表示装置である。表示器１１０は、例えば、ＴＦＴ（薄膜トランジスター：Ｔｈｉｎ  Ｆｉｌｍ  Ｔｒａｎｓｉｓｔｏｒ）液晶ディスプレイ（ＬＣＤ：Ｌｉｑｕｉｄ  Ｃｒｙｓｔａｌ  Ｄｉｓｐｌａｙ）や有機ＥＬ（Ｅｌｅｃｔｒｏ  Ｌｕｍｉｎｅｓｃｅｎｃｅ）ディスプレイ、電子インクによる電気泳動表示装置などを含んで構成される。表示器１１０は、バッテリ交換装置１００において着脱式バッテリ５１０が現在交換可能な状態であるかなど、バッテリ共同利用サービスに関する情報を表示する。
【００５７】
バッテリ交換装置１００に備えたそれぞれのバッテリスロット１２０は、着脱式バッテリ５１０が収容されている（挿入されている）状態のバッテリスロット１２０と、着脱式バッテリ５１０が収容されていない（挿入されていない）状態のバッテリスロット１２０とがある。また、着脱式バッテリ５１０が収容されている状態のバッテリスロット１２０には、着脱式バッテリ５１０を充電している状態のバッテリスロット１２０と、充電が完了した充電済みの着脱式バッテリ５１０を保管して交換されるのを待っている（待機している）状態のバッテリスロット１２０とがある。なお、着脱式バッテリ５１０が収容されていない状態のバッテリスロット１２０は、交換を希望する着脱式バッテリ５１０が電動二輪車５０の使用者（ユーザー）によって挿入されるのを待機している状態である。
【００５８】
それぞれのバッテリスロット１２０は、バッテリ収容部１２０Ｈと開閉蓋１２０Ｌとを備えている。バッテリ収容部１２０Ｈは、前面に開口部が設けられており、この開口部からバッテリ収容部１２０Ｈに着脱式バッテリ５１０を出し入れすることができる構造となっている。バッテリ収容部１２０Ｈの奥側には、収容された着脱式バッテリ５１０と接続することによって充電や着脱式バッテリ５１０のバッテリＩＤを取得するための構造が設けられている。開閉蓋１２０Ｌは、バッテリ収容部１２０Ｈの前面の開口部を開閉するための蓋であり、開口部を開状態にすることによってバッテリ収容部１２０Ｈに着脱式バッテリ５１０を出し入れすることができ、閉状態にすることによってバッテリ収容部１２０Ｈに着脱式バッテリ５１０を出し入れすることができないようにする構造となっている。この構造によりそれぞれのバッテリスロット１２０は、開閉蓋１２０Ｌを閉状態に施錠（ロック）することによって、バッテリ収容部１２０Ｈに収容された着脱式バッテリ５１０の出し入れを制限することができる。
【００５９】
図１には、バッテリスロット１２０−１におけるバッテリ収容部１２０Ｈと開閉蓋１２０Ｌとを示している。なお、以下の説明において８つのバッテリスロット１２０−１〜バッテリスロット１２０−８のそれぞれのバッテリ収容部１２０Ｈと開閉蓋１２０Ｌとを区別して表すときには、「−」とそれに続く数字を示す。例えば、バッテリスロット１２０−１のバッテリ収容部１２０Ｈを、「バッテリ収容部１２０−１Ｈ」といい、バッテリスロット１２０−１の開閉蓋１２０Ｌを、「開閉蓋１２０−１Ｌ」という。
【００６０】
また、図１には、バッテリスロット１２０−１に着脱式バッテリ５１０を出し入れする状態を示している。なお、以下の説明においては、電力が消耗したことにより電動二輪車５０の使用者（ユーザー）によってバッテリスロット１２０に収容される着脱式バッテリ５１０を、「使用済みバッテリ５１０ｕ」といい、バッテリ交換装置１００による充電が完了し、電動二輪車５０の使用者（ユーザー）によってバッテリスロット１２０から取り出される着脱式バッテリ５１０を、「充電済みバッテリ５１０ｃ」という。これにより、以下の説明において、着脱式バッテリ５１０に蓄電している電力の状態を区別する。
【００６１】
なお、図１に示したバッテリ交換装置１００の構成は一例であり、本発明においては、バッテリ交換装置１００の構成として種々の構成が考えられる。
【００６２】
運用サーバー２００は、バッテリ交換装置１００において交換することができる着脱式バッテリ５１０を管理するサーバー設備である。運用サーバー２００は、少なくとも、バッテリ交換装置１００において交換することができる着脱式バッテリ５１０のバッテリＩＤを記録した提供可能バッテリリスト（提供可能バッテリリストＬ）を作成して保管する。また、運用サーバー２００では、作成した提供可能バッテリリストＬの更新も行う。なお、運用サーバー２００における提供可能バッテリリストＬの作成、更新などは、例えば、共用バッテリ管理システム１０の管理者などが運用サーバー２００に接続された不図示の端末を操作することによって行う。より具体的には、運用サーバー２００は、管理者などによる不図示の端末の操作によって、バッテリ交換装置１００において交換することができる着脱式バッテリ５１０を新たに追加する場合に、追加する着脱式バッテリ５１０のバッテリＩＤを提供可能バッテリリストＬに登録して更新する。また、運用サーバー２００は、管理者などによる不図示の端末の操作によって、登録されている着脱式バッテリ５１０の劣化や破壊などによってバッテリ交換装置１００において交換することができなくなった着脱式バッテリ５１０の登録を抹消する場合に、登録を抹消する着脱式バッテリ５１０のバッテリＩＤを提供可能バッテリリストＬから削除して更新する。運用サーバー２００は、バッテリ交換装置１００からの要求に応じて、作成または更新した提供可能バッテリリストＬを、ネットワークＮＷを介して要求されたバッテリ交換装置１００に送信する。
【００６３】
これにより、バッテリ交換装置１００は、提供可能バッテリリストＬを、ネットワークＮＷを介して運用サーバー２００から取得する。そして、バッテリ交換装置１００は、運用サーバー２００から取得した提供可能バッテリリストＬに含まれる着脱式バッテリ５１０のバッテリＩＤの情報に基づいて、電動二輪車５０の使用者（ユーザー）が持ち込んできた使用済みバッテリ５１０ｕと充電済みバッテリ５１０ｃとの交換の手続きを実施する。
【００６４】
なお、バッテリ交換装置１００は、例えば、３時間に１回や１日に１回など、使用済みバッテリ５１０ｕの充電に支障がない予め定めた比較的長い時間間隔ごとに、提供可能バッテリリストＬを、運用サーバー２００から事前に取得して記憶しておく。このため、バッテリ交換装置１００は、使用済みバッテリ５１０ｕと充電済みバッテリ５１０ｃとの交換の手続きを実施するごとに、運用サーバー２００との間でネットワークＮＷを介した通信を行わなくてもよい。より具体的には、バッテリ交換装置１００では、電動二輪車５０の使用者（ユーザー）が持ち込んできた電力が消耗している着脱式バッテリ５１０が交換することができる着脱式バッテリ５１０であるか否かを判定するごとに、運用サーバー２００との間でネットワークＮＷを介した通信を行って、交換することができる着脱式バッテリ５１０のバッテリＩＤの情報を取得するのではない。そして、バッテリ交換装置１００では、事前に運用サーバー２００から事前に取得した提供可能バッテリリストＬに含まれる着脱式バッテリ５１０のバッテリＩＤの情報に基づいて、使用済みバッテリ５１０ｕと充電済みバッテリ５１０ｃとの交換の手続きを単独で実施する。このため、バッテリ交換装置１００では、運用サーバー２００との間のネットワークＮＷを介した通信が途絶えていたり、安定して通信を行うことができない状態であったりしても、電動二輪車５０の使用者（ユーザー）が持ち込んできた使用済みバッテリ５１０ｕと充電済みバッテリ５１０ｃとの交換の手続きを中止したり中断したりする必要はない。これにより、バッテリ交換装置１００は、運用サーバー２００との間のネットワークＮＷを介した通信の状態（通信環境）に影響されることなく、単独で着脱式バッテリ５１０の交換の手続きの実施を継続することができる。言い換えれば、バッテリ交換装置１００は、電動二輪車５０の使用者（ユーザー）に、バッテリ共同利用サービス（バッテリシェアサービス）を提供し続けることができる。
【００６５】
このような構成によって共用バッテリ管理システム１０では、電動二輪車５０の使用者（ユーザー）がバッテリ交換装置１００に持ち込んできた電力が消耗している使用済みバッテリ５１０ｕが交換することができる着脱式バッテリ５１０である場合に、使用済みバッテリ５１０ｕと充電が完了してバッテリ交換装置１００に保管している充電済みバッテリ５１０ｃとを交換する。
【００６６】
次に、第１実施形態の共用バッテリ管理システム１０を構成するそれぞれの構成要素についてより詳細に説明する。
【００６７】
（着脱式バッテリ５１０の構成）
まず、着脱式バッテリ５１０の構成例について説明する。図２は、第１実施形態の共用バッテリ管理システム１０において管理される着脱式バッテリ５１０の構成の一例を示したブロック図である。図２に示したように、着脱式バッテリ５１０は、蓄電部５１１と、ＢＭＵ（Ｂａｔｔｅｒｙ  Ｍａｎａｇｅｍｅｎｔ  Ｕｎｉｔ）５１３と、接続部５１５とを備えている。また、ＢＭＵ５１３は、測定センサ５１２と記憶部５１４とを備えている。
【００６８】
蓄電部５１１は、充電した電力の蓄電および蓄電した電力の放電をする蓄電池を含んで構成される。蓄電部５１１に含まれる蓄電池としては、例えば、鉛蓄電池やリチウムイオン電池などの二次電池や、電気二重層キャパシタなどのキャパシタ、または二次電池とキャパシタとを組み合わせた複合電池などが考えられる。なお、本発明においては、蓄電部５１１の構成として種々の構成が考えられる。
【００６９】
測定センサ５１２は、蓄電部５１１の状態を測定する各種のセンサを含んで構成される。測定センサ５１２は、例えば、電圧センサによって、蓄電部５１１に蓄電されている電圧を測定する。また、測定センサ５１２は、例えば、電流センサによって、蓄電部５１１が流す電流を測定する。また、測定センサ５１２は、例えば、温度センサによって、蓄電部５１１を充電または蓄電部５１１が放電する際の温度を測定する。測定センサ５１２は、測定した蓄電部５１１の状態を表す測定値を、ＢＭＵ５１３上のプロセッサに出力する。
【００７０】
ＢＭＵ５１３は、バッテリーマネージメントユニットであり、蓄電部５１１の充電や放電を制御する。ＢＭＵ５１３は、例えば、ＣＰＵ（Ｃｅｎｔｒａｌ  Ｐｒｏｃｅｓｓｉｎｇ  Ｕｎｉｔ）などのプロセッサや、例えば、ＲＯＭ（Ｒｅａｄ  Ｏｎｌｙ  Ｍｅｍｏｒｙ）やＲＡＭ（Ｒａｎｄｏｍ  Ａｃｃｅｓｓ  Ｍｅｍｏｒｙ）などのメモリを記憶部５１４として含んで構成される。ＢＭＵ５１３では、ＣＰＵが、記憶部５１４に記憶されたプログラムを読み出して実行することにより、蓄電部５１１の制御機能を実現する。そして、ＢＭＵ５１３は、測定センサ５１２から出力された蓄電部５１１の状態を表す測定値に基づいて蓄電部５１１に対して行った制御の内容などの情報を、記憶部５１４に記憶させる。
【００７１】
記憶部５１４は、ＢＭＵ５１３自身で検知した異常や故障、測定センサ５１２を利用して把握した蓄電部５１１の異常や故障などの情報を記憶する。記憶部５１４は、例えば、ＲＯＭ、ＲＡＭ、フラッシュメモリなどのメモリを含んで構成される。また、記憶部５１４は、着脱式バッテリ５１０に対して排他的に割り当てられた識別情報（以下、「バッテリＩＤ」という）を記憶している。なお、記憶部５１４は、着脱式バッテリ５１０を現在使用している電動二輪車５０の使用者（ユーザー）の識別情報（例えば、「ユーザーＩＤ」）を記憶してもよい。
【００７２】
接続部５１５は、着脱式バッテリ５１０が電動二輪車５０に装着された際に、電動二輪車５０の駆動源である電動モータに蓄電部５１１に蓄電された電力を供給する接続部である。また、接続部５１５は、着脱式バッテリ５１０がバッテリ交換装置１００に備えたバッテリスロット１２０に収容された際に、バッテリ収容部１２０Ｈの奥側に設けられた着脱式バッテリ５１０と接続する構造と接続され、着脱式バッテリ５１０とバッテリ交換装置１００との間でやり取りするバッテリＩＤなどの情報や電力の電送をするための接続部でもある。
【００７３】
（バッテリ交換装置１００の構成）
続いて、バッテリ交換装置１００の構成例について説明する。図３は、第１実施形態の共用バッテリ管理システム１０を構成するバッテリ交換装置１００の概略構成を示したブロック図である。図３に示したように、バッテリ交換装置１００は、表示器１１０と、接続部１２０Ｔと、充電器１２０Ｃと、交換装置記憶部１３０と、交換装置制御部１４０と、交換装置通信部１５０とを備えている。また、交換装置制御部１４０は、充電制御部１４１と、測定センサ１４２と、情報取得部１４３と、処理部１４４とを備えている。
【００７４】
接続部１２０Ｔは、バッテリ交換装置１００に備えたバッテリスロット１２０において、収容された着脱式バッテリ５１０に備えた接続部５１５と電気的に接続する構造の接続部である。バッテリ交換装置１００において接続部１２０Ｔは、それぞれのバッテリスロット１２０ごとに、バッテリ収容部１２０Ｈの奥側に設けられている。それぞれの接続部１２０Ｔは、対応するバッテリスロット１２０に収容された着脱式バッテリ５１０と交換装置制御部１４０との間でやり取りするバッテリＩＤなどの情報を電送する。また、接続部１２０Ｔは、着脱式バッテリ５１０との間で電力の電送をする。つまり、接続部１２０Ｔは、着脱式バッテリ５１０に備えた蓄電部５１１に、充電するための電力を供給する。
【００７５】
充電器１２０Ｃは、バッテリスロット１２０に着脱式バッテリ５１０が収容され、収容された着脱式バッテリ５１０の接続部５１５と接続部１２０Ｔとが接続された状態のときに、交換装置制御部１４０からの制御に応じて着脱式バッテリ５１０を充電する充電器である。充電器１２０Ｃは、接続部１２０Ｔを介して着脱式バッテリ５１０の蓄電部５１１に電力を供給することによって、着脱式バッテリ５１０を充電する。バッテリ交換装置１００において充電器１２０Ｃは、それぞれのバッテリスロット１２０ごとに設けられている。なお、充電器１２０Ｃは、着脱式バッテリ５１０に電力を供給するための不図示の電源が接続されている構成であってもよい。
【００７６】
図１に示したバッテリ交換装置１００では、８つのバッテリスロット１２０−１〜バッテリスロット１２０−８が設けられている。従って、接続部１２０Ｔおよび充電器１２０Ｃも、バッテリスロット１２０のそれぞれに対応して８つ設けられている。なお、以下の説明において８つのバッテリスロット１２０−１〜バッテリスロット１２０−８のそれぞれに対応する接続部１２０Ｔおよび充電器１２０Ｃを区別して表すときには、「−」とそれに続く数字を示す。例えば、バッテリスロット１２０−１に対応する接続部１２０Ｔを、「接続部１２０−１Ｔ」といい、バッテリスロット１２０−１に対応する充電器１２０Ｃを、「充電器１２０−１Ｃ」という。
【００７７】
交換装置記憶部１３０は、バッテリ交換装置１００における種々の情報を記憶する。交換装置記憶部１３０は、少なくとも、ネットワークＮＷを介して運用サーバー２００から事前に取得した提供可能バッテリリストＬを記憶する。交換装置記憶部１３０は、例えば、ＲＯＭ、ＲＡＭ、ＥＥＰＲＯＭ（Ｅｌｅｃｔｒｉｃａｌｌｙ  Ｅｒａｓａｂｌｅ  Ｐｒｏｇｒａｍｍａｂｌｅ  Ｒｅａｄ  Ｏｎｌｙ  Ｍｅｍｏｒｙ）、ＨＤＤ（Ｈａｒｄ  Ｄｉｓｋ  Ｄｒｉｖｅ）、フラッシュメモリなどのメモリを含んで構成される。また、交換装置記憶部１３０は、交換装置制御部１４０がバッテリ交換装置１００の機能を実行するためのプログラムを記憶している。なお、交換装置記憶部１３０は、バッテリ交換装置１００に備えたそれぞれのバッテリスロット１２０に着脱式バッテリ５１０が収容されているか否かの情報や、それぞれのバッテリスロット１２０に収容されている着脱式バッテリ５１０の状態、つまり、着脱式バッテリ５１０が充電をしている途中の状態であるか、充電が完了した状態であるかを表す情報（以下、「バッテリ状態情報」という）を記憶してもよい。また、交換装置記憶部１３０は、バッテリ交換装置１００に対して排他的に割り当てられた識別情報（以下、「バッテリ交換装置ＩＤ」という）を記憶していてもよい。
【００７８】
交換装置制御部１４０は、バッテリ交換装置１００の全体を制御する。交換装置制御部１４０は、例えば、ＣＰＵなどのプロセッサを含んで構成される。交換装置制御部１４０は、交換装置記憶部１３０に記憶されたプログラムを読み出して実行することにより、バッテリ交換装置１００の機能を実現する。より具体的には、交換装置制御部１４０は、予め定めた比較的長い時間間隔ごと（例えば、３時間ごとや１日ごと）に、提供可能バッテリリストＬを取得するための指示を、交換装置通信部１５０に出力する。これにより、交換装置通信部１５０は、ネットワークＮＷを介して運用サーバー２００との間で通信を行って、運用サーバー２００から取得した提供可能バッテリリストＬを交換装置記憶部１３０に記憶させる。そして、交換装置制御部１４０は、交換装置記憶部１３０に記憶した提供可能バッテリリストＬに含まれる着脱式バッテリ５１０のバッテリＩＤの情報に基づいて、電動二輪車５０の使用者（ユーザー）が持ち込んできた使用済みバッテリ５１０ｕと充電済みバッテリ５１０ｃとの交換の手続きを実施する。このとき、交換装置制御部１４０は、使用済みバッテリ５１０ｕを収容するバッテリスロット１２０（例えば、バッテリスロット１２０−１）を、表示器１１０によって電動二輪車５０の使用者（ユーザー）に通知する。これにより、電動二輪車５０の使用者（ユーザー）は、持ち込んできた使用済みバッテリ５１０ｕを、着脱式バッテリ５１０が収容されていない状態のバッテリスロット１２０−１のバッテリ収容部１２０−１Ｈに収容する。その後、交換装置制御部１４０は、提供可能バッテリリストＬに含まれる着脱式バッテリ５１０のバッテリＩＤの情報に基づいて、バッテリ収容部１２０−１Ｈに収容された使用済みバッテリ５１０ｕが、交換することができる着脱式バッテリ５１０であるか否かを判定する。そして、交換装置制御部１４０は、バッテリ収容部１２０−１Ｈに収容された使用済みバッテリ５１０ｕが交換することができる着脱式バッテリ５１０であると判定した場合に、充電済みバッテリ５１０ｃが収容されているバッテリスロット１２０（例えば、バッテリスロット１２０−２）を、表示器１１０によって電動二輪車５０の使用者（ユーザー）に通知する。これにより、電動二輪車５０の使用者（ユーザー）は、充電済みバッテリ５１０ｃを、バッテリスロット１２０−２のバッテリ収容部１２０−２Ｈから取り出して、着脱式バッテリ５１０の交換をする。その後、交換装置制御部１４０は、バッテリ収容部１２０−１Ｈに収容された使用済みバッテリ５１０ｕの充電をする。一方、交換装置制御部１４０は、バッテリ収容部１２０−１Ｈに収容された使用済みバッテリ５１０ｕが交換することができない着脱式バッテリ５１０であると判定した場合に、バッテリスロット１２０（例えば、バッテリスロット１２０−２）に収容されている充電済みバッテリ５１０ｃの交換を禁止する。そして、交換装置制御部１４０は、バッテリ収容部１２０−１Ｈに収容された使用済みバッテリ５１０ｕが交換することができない着脱式バッテリ５１０であることを表示器１１０によって電動二輪車５０の使用者（ユーザー）に通知する。
【００７９】
情報取得部１４３は、バッテリスロット１２０に収容された着脱式バッテリ５１０の情報を取得する。より具体的には、情報取得部１４３は、バッテリスロット１２０のバッテリ収容部１２０Ｈに使用済みバッテリ５１０ｕが収容されて接続部５１５と接続部１２０Ｔが接続されたときに、使用済みバッテリ５１０ｕのバッテリＩＤを、接続部１２０Ｔを介して取得する。そして、情報取得部１４３は、取得したバッテリＩＤの情報を、処理部１４４に出力する。なお、情報取得部１４３は、取得したバッテリＩＤの情報を交換装置記憶部１３０に記憶させてもよい。
【００８０】
測定センサ１４２は、充電器１２０Ｃが着脱式バッテリ５１０を充電しているときの状態を測定する各種のセンサを含んで構成される。測定センサ１４２は、例えば、電圧センサや、電流センサ、温度センサを含んで構成される。測定センサ１４２は、着脱式バッテリ５１０を充電しているときに蓄電部５１１に印加されている電圧を電圧センサによって測定し、蓄電部５１１に流れる電流を電流センサによって測定する。また、測定センサ１４２は、着脱式バッテリ５１０を充電しているときの蓄電部５１１の温度を温度センサによって測定する。測定センサ１４２は、測定した着脱式バッテリ５１０の状態を表す測定値を、充電制御部１４１に出力する。
【００８１】
なお、測定センサ１４２は、着脱式バッテリ５１０に備えた測定センサ５１２が測定した蓄電部５１１の状態を、接続部１２０Ｔを介して取得する構成であってもよい。この場合、測定センサ１４２は、測定センサ５１２から取得した蓄電部５１１の状態を表す測定値を、充電制御部１４１に出力する。
【００８２】
充電制御部１４１は、測定センサ１４２から出力された着脱式バッテリ５１０の測定値も考慮して充電器１２０Ｃを制御することによって、着脱式バッテリ５１０の充電を制御する。そして、充電制御部１４１は、着脱式バッテリ５１０の充電が完了したときに、充電が完了したことを表す情報を、処理部１４４に出力する。なお、充電制御部１４１は、着脱式バッテリ５１０を充電している現在の状態を表す情報を、処理部１４４に出力してもよい。このとき、交換装置記憶部１３０にバッテリ状態情報を記憶している場合には、充電制御部１４１は、着脱式バッテリ５１０を充電している現在の状態を表す情報を交換装置記憶部１３０に出力して、交換装置記憶部１３０に記憶しているバッテリ状態情報を更新するようにしてもよい。
【００８３】
なお、バッテリ交換装置１００では、着脱式バッテリ５１０の充電に先だって、着脱式バッテリ５１０に残っている電力を一旦放電するようにしてもよい。この場合、充電制御部１４１は、着脱式バッテリ５１０の放電の制御も行う。
【００８４】
処理部１４４は、バッテリ交換装置１００における着脱式バッテリ５１０の交換の手続きを実施する。より具体的には、処理部１４４は、情報取得部１４３から出力されたバッテリＩＤを、交換装置記憶部１３０に記憶されている提供可能バッテリリストＬに含まれる着脱式バッテリ５１０のバッテリＩＤと照合し、バッテリスロット１２０に収容された使用済みバッテリ５１０ｕが、バッテリ交換装置１００において交換することができる着脱式バッテリ５１０であるか否かを判定する。
【００８５】
処理部１４４は、上記の判定の結果、使用済みバッテリ５１０ｕがバッテリ交換装置１００において交換することができる着脱式バッテリ５１０であると判定した場合に、使用済みバッテリ５１０ｕと充電済みバッテリ５１０ｃとを交換する処理、および使用済みバッテリ５１０ｕを充電する処理を実施する。処理部１４４における使用済みバッテリ５１０ｕと充電済みバッテリ５１０ｃとを交換する処理では、交換する充電済みバッテリ５１０ｃの選定と、選定した充電済みバッテリ５１０ｃが収容されたバッテリスロット１２０の電動二輪車５０の使用者（ユーザー）への通知とを行う。このとき、交換装置記憶部１３０にバッテリ状態情報を記憶している場合には、処理部１４４は、バッテリスロット１２０に着脱式バッテリ５１０が収容されているか否かの情報を交換装置記憶部１３０に出力して、交換装置記憶部１３０に記憶しているバッテリ状態情報を更新するようにしてもよい。また、処理部１４４における使用済みバッテリ５１０ｕを充電する処理では、使用済みバッテリ５１０ｕを充電すること表す指示を、充電制御部１４１に出力する。これにより、充電制御部１４１は、測定センサ１４２から出力された着脱式バッテリ５１０の測定値も考慮して充電器１２０Ｃを制御し、使用済みバッテリ５１０ｕの充電を実施する。
【００８６】
一方、処理部１４４は、上記の判定の結果、使用済みバッテリ５１０ｕがバッテリ交換装置１００において交換することができない着脱式バッテリ５１０であると判定した場合には、使用済みバッテリ５１０ｕを交換することができないことを、電動二輪車５０の使用者（ユーザー）に通知する。
【００８７】
交換装置通信部１５０は、交換装置制御部１４０からの指示に応じて、運用サーバー２００との間でネットワークＮＷを介した無線通信を行い、運用サーバー２００から提供可能バッテリリストＬを取得する。そして、交換装置通信部１５０は、運用サーバー２００から取得した提供可能バッテリリストＬを交換装置記憶部１３０に出力して記憶させる。
【００８８】
なお、提供可能バッテリリストＬは、交換装置通信部１５０が運用サーバー２００にアクセスするたびに更新されているとは限らない。このため、交換装置通信部１５０は、交換装置制御部１４０から提供可能バッテリリストＬを取得する指示が入力されると、まず、運用サーバー２００に、提供可能バッテリリストＬの更新がされているか否かを問い合わせる。そして、交換装置通信部１５０は、運用サーバー２００において提供可能バッテリリストＬが更新されている場合にのみ、現在の提供可能バッテリリストＬを新たな提供可能バッテリリストＬとして取得し、交換装置記憶部１３０に記憶させる、つまり、交換装置記憶部１３０に記憶している提供可能バッテリリストＬを更新してもよい。
【００８９】
なお、交換装置通信部１５０は、交換装置記憶部１３０に記憶している提供可能バッテリリストＬを更新したことを表す情報を交換装置制御部１４０（より具体的には、処理部１４４）に通知してもよい。しかし、処理部１４４は、交換装置記憶部１３０に事前に記憶されている提供可能バッテリリストＬに含まれる着脱式バッテリ５１０のバッテリＩＤに基づいて、使用済みバッテリ５１０ｕが交換することができる着脱式バッテリ５１０であるか否かを判定する。このため、交換装置記憶部１３０に記憶されている提供可能バッテリリストＬが更新されたか否かは、処理部１４４における使用済みバッテリ５１０ｕが交換することができる着脱式バッテリ５１０であるか否かの判定には影響しない。従って、交換装置通信部１５０は、必ずしも提供可能バッテリリストＬを更新したことを表す情報を処理部１４４に出力しなくてもよい。
【００９０】
（運用サーバー２００の構成）
続いて、運用サーバー２００の構成例について説明する。図４は、第１実施形態の共用バッテリ管理システム１０を構成する運用サーバー２００の概略構成を示したブロック図である。図４に示したように、運用サーバー２００は、サーバー記憶部２１０と、サーバー制御部２２０と、サーバー通信部２３０とを備えている。また、サーバー制御部２２０は、情報取得部２２１とリスト処理部２２２とを備えている。
【００９１】
サーバー記憶部２１０は、運用サーバー２００における種々の情報を記憶する。サーバー記憶部２１０は、少なくとも、ネットワークＮＷを介してバッテリ交換装置１００に送信する提供可能バッテリリストＬを記憶する。サーバー記憶部２１０は、例えば、ＲＯＭ、ＲＡＭ、ＥＥＰＲＯＭ、ＨＤＤ、フラッシュメモリなどのメモリを含んで構成される。また、サーバー記憶部２１０は、サーバー制御部２２０が運用サーバー２００の機能を実行するためのプログラムを記憶している。また、サーバー記憶部２１０は、バッテリ交換装置１００に対して排他的に割り当てられたバッテリ交換装置ＩＤと、このバッテリ交換装置１００に送信した提供可能バッテリリストＬのバージョンとを紐付ける情報を記憶していてもよい。
【００９２】
サーバー制御部２２０は、運用サーバー２００の全体を制御する。サーバー制御部２２０は、例えば、ＣＰＵなどのプロセッサを含んで構成される。サーバー制御部２２０は、サーバー記憶部２１０に記憶されたプログラムを読み出して実行することにより、運用サーバー２００の機能を実現する。より具体的には、サーバー制御部２２０は、バッテリ交換装置１００において交換することができる着脱式バッテリ５１０のバッテリＩＤを記録した提供可能バッテリリストＬを作成や更新などを行い、作成や更新をした提供可能バッテリリストＬをサーバー記憶部２１０に出力して記憶させる。なお、上述したように、サーバー制御部２２０における提供可能バッテリリストＬの作成、更新などは、例えば、共用バッテリ管理システム１０の管理者などが、運用サーバー２００に接続された不図示の端末の不図示の表示装置（例えば、液晶ディスプレイなど）に表示された情報に基づいて、不図示の入力装置（例えば、キーボードやマウスなど）を操作することによって行う。また、サーバー制御部２２０は、バッテリ交換装置１００からの要求に応じてサーバー記憶部２１０に記憶している提供可能バッテリリストＬを読み出してサーバー通信部２３０に出力することにより、ネットワークＮＷを介して、提供可能バッテリリストＬをバッテリ交換装置１００に送信する。
【００９３】
情報取得部２２１は、例えば、共用バッテリ管理システム１０の管理者などによる運用サーバー２００に接続された不図示の端末の不図示の入力装置の操作に応じて、追加や削除（抹消）をする提供可能バッテリリストＬに含める着脱式バッテリ５１０のバッテリＩＤの情報を取得する。より具体的には、情報取得部２２１は、管理者などによる不図示の端末の操作によって、バッテリ交換装置１００において交換することができる着脱式バッテリ５１０を新たに追加する場合に、追加する着脱式バッテリ５１０のバッテリＩＤを取得する。また、情報取得部２２１は、管理者などによる不図示の端末の操作によって、提供可能バッテリリストＬから登録を抹消する劣化や破壊などによってバッテリ交換装置１００において交換することができなくなった着脱式バッテリ５１０のバッテリＩＤを取得する。なお、情報取得部２２１は、提供可能バッテリリストＬから登録を抹消する着脱式バッテリ５１０のバッテリＩＤを、バッテリ交換装置１００から取得してもよい。この場合、情報取得部２２１は、バッテリ交換装置１００により送信された、提供可能バッテリリストＬから登録を抹消すべき着脱式バッテリ５１０（劣化や破壊などが起こっている着脱式バッテリ５１０）のバッテリＩＤの情報を、ネットワークＮＷを介して取得する。そして、情報取得部２２１は、取得したバッテリＩＤの情報を、リスト処理部２２２に出力する。なお、情報取得部２２１は、取得したバッテリＩＤの情報をサーバー記憶部２１０に記憶させてもよい。
【００９４】
リスト処理部２２２は、提供可能バッテリリストＬの作成および更新の処理をする。より具体的には、リスト処理部２２２は、情報取得部２２１から提供可能バッテリリストＬに追加する着脱式バッテリ５１０のバッテリＩＤが出力された場合、このバッテリＩＤを登録した新たな提供可能バッテリリストＬを作成する処理、または現在の提供可能バッテリリストＬにバッテリＩＤを追加（登録）する処理を行って、提供可能バッテリリストＬを更新する。また、リスト処理部２２２は、情報取得部２２１から提供可能バッテリリストＬから抹消する着脱式バッテリ５１０のバッテリＩＤが出力された場合、現在の提供可能バッテリリストＬに含まれる（登録されている）バッテリＩＤを削除する処理を行って、提供可能バッテリリストＬを更新する。そして、リスト処理部２２２は、作成や更新をした提供可能バッテリリストＬをサーバー記憶部２１０に出力して記憶させる。なお、現在の提供可能バッテリリストＬに含まれる（登録されている）バッテリＩＤを削除する処理は、バッテリ交換装置１００が行う構成であってもよい。この場合、バッテリ交換装置１００は、更新した提供可能バッテリリストＬを、ネットワークＮＷを介して運用サーバー２００に送信する。情報取得部２２１は、バッテリ交換装置１００により送信された更新後の提供可能バッテリリストＬを取得して、リスト処理部２２２に出力する。そして、リスト処理部２２２は、情報取得部２２１により出力された更新後の提供可能バッテリリストＬ（情報取得部２２１により出力されたそのままの状態であってもよいし、さらに処理を行ってもよい）を、サーバー記憶部２１０に出力して記憶させる。
【００９５】
サーバー通信部２３０は、バッテリ交換装置１００に備えた交換装置通信部１５０との間でネットワークＮＷを介した無線通信を行う。サーバー通信部２３０は、バッテリ交換装置１００から送信されてきた提供可能バッテリリストＬの要求に応じて、リスト処理部２２２が作成または更新してサーバー記憶部２１０に記憶した提供可能バッテリリストＬをバッテリ交換装置１００に送信する。
【００９６】
なお、上述したように、提供可能バッテリリストＬは、バッテリ交換装置１００から要求があるたびに更新されているとは限らない。このため、バッテリ交換装置１００からは、まず、提供可能バッテリリストＬの更新がされているか否かの問い合わせが送信されてくる。サーバー通信部２３０は、提供可能バッテリリストＬの更新がされているか否かの問い合わせがバッテリ交換装置１００から送信されてきた場合、問い合わせが送信されてきたことをサーバー制御部２２０に通知する。これにより、サーバー制御部２２０は、提供可能バッテリリストＬを前回送信した以降にリスト処理部２２２が提供可能バッテリリストＬを更新したか否かを表す情報を、サーバー通信部２３０に出力する。なお、サーバー制御部２２０における提供可能バッテリリストＬを更新したか否かの判定は、サーバー記憶部２１０に記憶している、バッテリ交換装置１００のバッテリ交換装置ＩＤと送信した提供可能バッテリリストＬのバージョンとを紐付けた情報に基づいて、運用サーバー２００ごとに行ってもよい。そして、サーバー通信部２３０は、サーバー制御部２２０から出力された提供可能バッテリリストＬを更新したか否かを表す情報を、ネットワークＮＷを介してバッテリ交換装置１００に送信する。その後、提供可能バッテリリストＬを更新したことを表す情報をバッテリ交換装置１００に送信した場合、バッテリ交換装置１００から、提供可能バッテリリストＬの要求が送信されてくる。サーバー通信部２３０は、提供可能バッテリリストＬの要求がバッテリ交換装置１００から送信されてきた場合、提供可能バッテリリストＬの送信が要求されていることをサーバー制御部２２０に通知する。これにより、サーバー制御部２２０は、サーバー記憶部２１０に記憶している提供可能バッテリリストＬを読み出してサーバー通信部２３０に出力する。そして、サーバー通信部２３０は、サーバー制御部２２０から出力された提供可能バッテリリストＬを、ネットワークＮＷを介してバッテリ交換装置１００に送信する。これにより、バッテリ交換装置１００は、最新の提供可能バッテリリストＬを取得し、取得した最新の提供可能バッテリリストＬに基づいて、使用済みバッテリ５１０ｕと充電済みバッテリ５１０ｃとの交換の手続きを単独で実施することができる。
【００９７】
次に、第１実施形態の共用バッテリ管理システム１０における処理の流れの一例について説明する。図５は、第１実施形態の共用バッテリ管理システム１０を採用したバッテリ共同利用サービスにおいて交換することができる着脱式バッテリ５１０の情報（提供可能バッテリリストＬ）を取得する処理の流れを示したシーケンス図である。図５には、バッテリ共同利用サービスを提供する共用バッテリ管理システム１０を構成するバッテリ交換装置１００および運用サーバー２００の処理の一例を示している。また、図６は、第１実施形態の共用バッテリ管理システム１０を採用したバッテリ共同利用サービスにおいて着脱式バッテリ５１０を交換する処理の流れを示したシーケンス図である。図６には、バッテリ共同利用サービスを提供する共用バッテリ管理システム１０を構成するバッテリ交換装置１００の処理の一例を、交換をする対象の着脱式バッテリ５１０（使用済みバッテリ５１０ｕ）および電動二輪車５０の使用者（ユーザー）と関連付けて示している。
【００９８】
最初に、図５を用いて、運用サーバー２００が提供可能バッテリリストＬを作成または更新する処理と、バッテリ交換装置１００が提供可能バッテリリストＬを取得する処理について説明する。なお、以下の説明においては、バッテリ共同利用サービスの運用を開始する前の段階からの処理を説明するため、共用バッテリ管理システム１０では、現時点では提供可能バッテリリストＬが作成されていないものとして説明する。なお、上述したように、共用バッテリ管理システム１０では、例えば、共用バッテリ管理システム１０の管理者などが運用サーバー２００に接続された不図示の端末を操作することによって提供可能バッテリリストＬの作成や更新をするが、図５に示したシーケンス図では、説明を容易にするため、管理者などの操作による提供可能バッテリリストＬの作成や更新も運用サーバー２００による処理として示している。
【００９９】
バッテリ共同利用サービスの運用を開始する前段階において、まず、共用バッテリ管理システム１０では、管理者が運用サーバー２００に接続された不図示の端末を操作し、電動二輪車５０の使用者（ユーザー）に貸し出しをする着脱式バッテリ５１０が登録された提供可能バッテリリストＬを作成する（ステップＳ１０１）。このとき、運用サーバー２００では、管理者が不図示の端末を操作してサーバー制御部２２０に備えた情報取得部２２１に対してアクセスし、提供可能バッテリリストＬに含める着脱式バッテリ５１０のバッテリＩＤの情報を取得させ、サーバー制御部２２０に備えたリスト処理部２２２が、情報取得部２２１で取得した着脱式バッテリ５１０のバッテリＩＤを登録した新たな提供可能バッテリリストＬを作成する。そして、運用サーバー２００では、作成した提供可能バッテリリストＬをサーバー記憶部２１０に記憶する。ここで、リスト処理部２２２が作成してサーバー記憶部２１０に記憶する提供可能バッテリリストＬには、バッテリ共同利用サービスにおいて電動二輪車５０の使用者（ユーザー）に貸し出しをすることができる複数の着脱式バッテリ５１０のバッテリＩＤが登録される。この提供可能バッテリリストＬが作成されることにより、バッテリ共同利用サービスの運用を開始することができる。
【０１００】
その後、運用サーバー２００では、管理者による不図示の端末の操作によって、電動二輪車５０の使用者（ユーザー）に貸し出しをする着脱式バッテリ５１０が追加または抹消され、提供可能バッテリリストＬを更新する（ステップＳ１０２）。このとき、運用サーバー２００では、情報取得部２２１が、管理者による不図示の端末の操作に応じて提供可能バッテリリストＬに含める、または提供可能バッテリリストＬから削除する着脱式バッテリ５１０のバッテリＩＤの情報を取得し、リスト処理部２２２が、情報取得部２２１が取得した着脱式バッテリ５１０のバッテリＩＤを登録または抹消して提供可能バッテリリストＬを更新する。そして、運用サーバー２００では、更新した提供可能バッテリリストＬをサーバー記憶部２１０に記憶する。これにより、バッテリ共同利用サービスにおいて電動二輪車５０の使用者（ユーザー）に貸し出しをすることができる着脱式バッテリ５１０が変更される。
【０１０１】
なお、運用サーバー２００における提供可能バッテリリストＬの更新の処理は、管理者の操作によって電動二輪車５０の使用者（ユーザー）に貸し出しをする着脱式バッテリ５１０が追加または抹消された後であれば、いかなるタイミングでも行うことができる。このため、運用サーバー２００は、ステップＳ１０２における提供可能バッテリリストＬの更新の処理を、任意のタイミングで繰り返す。
【０１０２】
なお、運用サーバー２００における提供可能バッテリリストＬの更新は、バッテリ交換装置１００において交換することができる着脱式バッテリ５１０が新たに追加された場合や、登録されている着脱式バッテリ５１０の劣化や破壊などによってバッテリ交換装置１００において交換することができなくなった場合に行われるため、頻繁に行われるものではないと考えられる。
【０１０３】
一方、共用バッテリ管理システム１０において、バッテリ交換装置１００は、提供可能バッテリリストＬの更新の有無を運用サーバー２００に問い合わせる（ステップＳ２０３）。このとき、バッテリ交換装置１００では、交換装置制御部１４０に備えた処理部１４４が、提供可能バッテリリストＬを取得する指示を交換装置通信部１５０に出力する。これにより、バッテリ交換装置１００では、交換装置通信部１５０が、提供可能バッテリリストＬの更新がされているか否かの問い合わせを、ネットワークＮＷを介して運用サーバー２００に送信する。
【０１０４】
この問い合わせに応じて、運用サーバー２００は、提供可能バッテリリストＬの更新の有無を回答する（ステップＳ２０４）。このとき、運用サーバー２００では、リスト処理部２２２が、提供可能バッテリリストＬを更新したか否かを表す情報を、サーバー通信部２３０に出力する。これにより、運用サーバー２００では、サーバー通信部２３０が、リスト処理部２２２から出力された提供可能バッテリリストＬの更新がされているか否かを表す情報を、問い合わせに対する回答として、ネットワークＮＷを介してバッテリ交換装置１００に送信する。
【０１０５】
この回答に応じて、バッテリ交換装置１００は、提供可能バッテリリストＬの更新がされているか否かを判定する（ステップＳ２０５）。ステップＳ２０５の判定の結果、提供可能バッテリリストＬの更新がされていない場合（ステップＳ２０５の“ＮＯ”）、バッテリ交換装置１００は、処理をステップＳ４０９に進める。一方、ステップＳ２０５の判定の結果、提供可能バッテリリストＬの更新がされている場合（ステップＳ２０５の“ＹＥＳ”）、バッテリ交換装置１００は、更新された提供可能バッテリリストＬを運用サーバー２００に要求する（ステップＳ３０６）。このとき、バッテリ交換装置１００では、交換装置通信部１５０が、提供可能バッテリリストＬの要求を、ネットワークＮＷを介して運用サーバー２００に送信する。
【０１０６】
この要求に応じて、運用サーバー２００は、サーバー記憶部２１０に記憶している提供可能バッテリリストＬをバッテリ交換装置１００に送信する（ステップＳ３０７）。このとき、運用サーバー２００では、サーバー制御部２２０が、サーバー記憶部２１０に記憶している提供可能バッテリリストＬを読み出し、読み出した提供可能バッテリリストＬをサーバー通信部２３０に出力する。これにより、運用サーバー２００では、サーバー通信部２３０が、サーバー制御部２２０から出力された提供可能バッテリリストＬを、最新の提供可能バッテリリストＬとして、ネットワークＮＷを介してバッテリ交換装置１００に送信する。
【０１０７】
バッテリ交換装置１００は、運用サーバー２００から送信されてきた提供可能バッテリリストＬを、交換装置記憶部１３０に記憶する（ステップＳ３０８）。このとき、バッテリ交換装置１００では、交換装置通信部１５０が、運用サーバー２００から送信されてきた提供可能バッテリリストＬを交換装置記憶部１３０に出力して記憶させる。これにより、バッテリ交換装置１００は、運用サーバー２００から送信されてきた最新の提供可能バッテリリストＬに基づいて、着脱式バッテリ５１０の交換の手続きを単独で実施することができる。
【０１０８】
その後、バッテリ交換装置１００は、予め定めた時間（例えば、３時間や１日）が経過したか否かを判定する（ステップＳ４０９）。ステップＳ４０９の判定の結果、予め定めた時間が経過していない場合（ステップＳ４０９の“ＮＯ”）、バッテリ交換装置１００は、処理をステップＳ４０９の判定を繰り返す。つまり、バッテリ交換装置１００は、予め定めた時間になるまで、運用サーバー２００から提供可能バッテリリストＬを取得する処理を待機する。一方、ステップＳ４０９の判定の結果、予め定めた時間が経過している場合（ステップＳ４０９の“ＹＥＳ”）、バッテリ交換装置１００は、ステップＳ２０３に戻って、再び運用サーバー２００に、提供可能バッテリリストＬの更新の有無の問い合わせをする。つまり、バッテリ交換装置１００は、運用サーバー２００からさらに最新の提供可能バッテリリストＬを取得する処理（ステップＳ２０３〜ステップＳ３０８）を繰り返す。
【０１０９】
続いて、図６を用いて、バッテリ交換装置１００が着脱式バッテリ５１０の交換をする処理について説明する。なお、以下の説明においては、電動二輪車５０の使用者（ユーザー）が持ち込んできた使用済みバッテリ５１０ｕと充電済みバッテリ５１０ｃとを交換するものとして説明する。また、以下の説明においては、図５に示した処理の流れで運用サーバー２００から事前に取得した提供可能バッテリリストＬが、バッテリ交換装置１００に備えた交換装置記憶部１３０に記憶されているものとして説明する。また、共用バッテリ管理システム１０では、電動二輪車５０の使用者（ユーザー）が、例えば、バッテリ交換装置１００に備えた不図示の入力手段を操作することによって着脱式バッテリ５１０の交換手続きを開始することが考えられるが、以下の説明においては、説明を容易にするため、電動二輪車５０の使用者（ユーザー）によるバッテリ交換装置１００の操作に関する詳細な説明は省略する。
【０１１０】
電動二輪車５０の使用者（ユーザー）が、電力が消耗した使用済みバッテリ５１０ｕを持ち込み、バッテリスロット１２０のバッテリ収容部１２０Ｈに収容する（ステップＳ５００）。これにより、バッテリ交換装置１００に備えたいずれかのバッテリスロット１２０のバッテリ収容部１２０Ｈ内の接続部１２０Ｔと、電動二輪車５０の使用者（ユーザー）が収容した使用済みバッテリ５１０ｕの接続部５１５とが電気的に接続される。このとき、バッテリ交換装置１００では、交換装置制御部１４０が、バッテリ収容部１２０Ｈに収容された使用済みバッテリ５１０ｕの交換を電動二輪車５０の使用者（ユーザー）から要求されたものとして、使用済みバッテリ５１０ｕと充電済みバッテリ５１０ｃとの交換の処理を開始する。
【０１１１】
バッテリ交換装置１００において使用済みバッテリ５１０ｕと充電済みバッテリ５１０ｃとの交換の処理が開始されると、まず、使用済みバッテリ５１０ｕのバッテリＩＤの情報を取得する（ステップＳ６０１）。このとき、バッテリ交換装置１００では、交換装置制御部１４０に備えた情報取得部１４３が、バッテリ収容部１２０Ｈの接続部１２０Ｔおよび接続部５１５を介して、使用済みバッテリ５１０ｕに備えた記憶部５１４から、バッテリＩＤの情報を取得する。そして、情報取得部１４３は、取得したバッテリＩＤの情報を、交換装置制御部１４０に備えた処理部１４４に出力する。
【０１１２】
情報取得部１４３からバッテリＩＤの情報が出力されると、交換装置制御部１４０に備えた処理部１４４は、バッテリ収容部１２０Ｈに収容された使用済みバッテリ５１０ｕが、交換することができる着脱式バッテリ５１０であるか否かを判定する（ステップＳ６０２）。このとき、処理部１４４は、交換装置記憶部１３０に記憶されている提供可能バッテリリストＬに含まれるバッテリＩＤと、情報取得部１４３から出力されたバッテリＩＤとを照合する。より具体的には、処理部１４４が、提供可能バッテリリストＬを交換装置記憶部１３０から読み出し、読み出した提供可能バッテリリストＬに含まれるバッテリＩＤと、情報取得部１４３から出力されたバッテリＩＤとを順次比較する。
【０１１３】
処理部１４４は、情報取得部１４３から出力されたバッテリＩＤが提供可能バッテリリストＬに含まれていない場合、ステップＳ６０２において、バッテリ収容部１２０Ｈに収容された使用済みバッテリ５１０ｕは、バッテリ交換装置１００において交換することができない着脱式バッテリ５１０であると判定する（ステップＳ６０２の“ＮＯ”）。この場合、処理部１４４は、使用済みバッテリ５１０ｕを交換することができない（交換不可である）ことを、電動二輪車５０の使用者（ユーザー）に通知する（ステップＳ７０３）。なお、使用済みバッテリ５１０ｕを交換することができないことを電動二輪車５０の使用者（ユーザー）に通知する方法としては、表示器１１０に交換不可であることを表すメッセージを表示する方法が考えられるが、本発明においては、電動二輪車５０の使用者（ユーザー）に通知する方法として種々の方法が考えられる。
【０１１４】
一方、処理部１４４は、情報取得部１４３から出力されたバッテリＩＤが提供可能バッテリリストＬに含まれている場合、ステップＳ６０２において、バッテリ収容部１２０Ｈに収容された使用済みバッテリ５１０ｕは、バッテリ交換装置１００において交換することができる着脱式バッテリ５１０であると判定する（ステップＳ６０２の“ＹＥＳ”）。この場合、処理部１４４は、使用済みバッテリ５１０ｕが収容されたバッテリスロット１２０と異なるバッテリスロット１２０に収容されている充電済みバッテリ５１０ｃの中から交換する充電済みバッテリ５１０ｃを選定する（ステップＳ７０４）。なお、複数の充電済みバッテリ５１０ｃを収容している場合、処理部１４４における充電済みバッテリ５１０ｃの選定の処理では、最も早く充電が完了した充電済みバッテリ５１０ｃを選定することが考えられるが、本発明においては、処理部１４４における充電済みバッテリ５１０ｃの選定の方法として種々の方法が考えられる。なお、処理部１４４は、選定した充電済みバッテリ５１０ｃのバッテリＩＤの情報を、交換装置記憶部１３０に記憶させてもよい。
【０１１５】
そして、処理部１４４は、選定した充電済みバッテリ５１０ｃ、つまり、交換する充電済みバッテリ５１０ｃが収容されたバッテリスロット１２０の情報を、電動二輪車５０の使用者（ユーザー）に通知する（ステップＳ７０５）。これにより、電動二輪車５０の使用者（ユーザー）は、通知されたバッテリスロット１２０のバッテリ収容部１２０Ｈに収容された充電済みバッテリ５１０ｃを取り出す（ステップＳ８００）。つまり、電動二輪車５０の使用者（ユーザー）は、着脱式バッテリ５１０の交換を完了する。これにより、電動二輪車５０の使用者（ユーザー）は、充電済みバッテリ５１０ｃを電動二輪車５０に装着し、走行を継続することができる。
【０１１６】
このとき、選択して通知したバッテリスロット１２０のバッテリ収容部１２０Ｈ内の接続部１２０Ｔと、収容している充電済みバッテリ５１０ｃの接続部５１５との電気的な接続が切断される。これにより、バッテリ交換装置１００では、交換装置制御部１４０が、電動二輪車５０の使用者（ユーザー）による使用済みバッテリ５１０ｕと充電済みバッテリ５１０ｃとの交換が終了したものとして、使用済みバッテリ５１０ｕを充電する処理を開始する（ステップＳ９０６）。このとき、バッテリ交換装置１００では、処理部１４４が、使用済みバッテリ５１０ｕを充電すること表す指示を、交換装置制御部１４０に備えた情報取得部１４３に出力する。これにより、充電制御部１４１は、測定センサ１４２から出力された着脱式バッテリ５１０の測定値に基づいて充電器１２０Ｃを制御し、使用済みバッテリ５１０ｕを充電する。
【０１１７】
なお、本発明においては、バッテリ交換装置１００において使用済みバッテリ５１０ｕの充電を開始するタイミングとして種々のタイミングが考えられる。例えば、複数の充電済みバッテリ５１０ｃを収容している場合、処理部１４４は、使用済みバッテリ５１０ｕの交換が終了した後すぐに充電を開始するように充電制御部１４１に指示を出してもよいし、充電済みバッテリ５１０ｃの数が予め定めた個数以下となったときに充電を開始するように充電制御部１４１に指示を出してもよい。
【０１１８】
なお、本発明においては、使用済みバッテリ５１０ｕを充電する際の充電器１２０Ｃの制御方法として種々の方法が考えられる。
【０１１９】
その後、バッテリ交換装置１００は、電動二輪車５０の使用者（ユーザー）からの使用済みバッテリ５１０ｕの交換の要求を受け付けられる状態で待機する。そして、バッテリ交換装置１００は、電動二輪車５０の使用者（ユーザー）が、電力が消耗した使用済みバッテリ５１０ｕを持ち込んで使用済みバッテリ５１０ｕの交換が要求されるごとに、使用済みバッテリ５１０ｕと充電済みバッテリ５１０ｃとを交換する処理および使用済みバッテリ５１０ｕを充電する処理（ステップＳ６０１〜ステップＳ９０６）を繰り返す。
【０１２０】
（共用バッテリ管理システム１０と従来の共用バッテリ管理システムとの動作の比較）
ここで、共用バッテリ管理システム１０を採用したバッテリ共同利用サービスと、従来の共用バッテリ管理システムを採用したバッテリ共同利用サービスとの動作を比較する。図７は、第１実施形態の共用バッテリ管理システム１０を採用したバッテリ共同利用サービスにおいて着脱式バッテリ５１０を交換する手続きの流れを模式的に示した図である。また、図８は、従来の共用バッテリ管理システムを採用したバッテリ共同利用サービスにおいて着脱式バッテリ５１０を交換する手続きの流れを模式的に示した図である。
【０１２１】
上述したように、共用バッテリ管理システム１０では、バッテリ交換装置１００が、ネットワークＮＷを介して接続された運用サーバー２００から提供可能バッテリリストＬを事前に取得し、取得した提供可能バッテリリストＬに含まれる着脱式バッテリ５１０のバッテリＩＤの情報に基づいて、電動二輪車５０の使用者（ユーザー）が持ち込んできた使用済みバッテリ５１０ｕと充電済みバッテリ５１０ｃとの交換の手続きを実施する。図７の（ａ）には、共用バッテリ管理システム１０が、運用サーバー２００が作成または更新した提供可能バッテリリストＬを、ネットワークＮＷを介して取得する様子を模式的に示している。また、図７の（ｂ）には、バッテリ交換装置１００が、取得した提供可能バッテリリストＬに基づいて、電動二輪車５０の使用者（ユーザー）Ｐが持ち込んできた使用済みバッテリ５１０ｕと充電済みバッテリ５１０ｃとを交換する様子を模式的に示している。
【０１２２】
図７の（ａ）に示したように、使用済みバッテリ５１０ｕが交換することができる着脱式バッテリ５１０であるか否かを判定する際にバッテリ交換装置１００が用いる提供可能バッテリリストＬは、判定のたびに運用サーバー２００から取得するのではなく、例えば、３時間に１回や１日に１回など、使用済みバッテリ５１０ｕの充電に支障がない予め定めた比較的長い時間間隔で事前に取得したものである。このため、バッテリ交換装置１００は、バッテリ交換装置１００と運用サーバー２００との間のネットワークＮＷを介した無線通信の状態（通信環境）に影響されることなく、単独で着脱式バッテリ５１０の交換の手続きを単独で実施することができる。つまり、バッテリ交換装置１００は、図７の（ｂ）に示したように、運用サーバー２００との間のネットワークＮＷを介した無線通信が途絶えていたり、安定して無線通信を行うことができない状態であったりしても、電動二輪車５０の使用者（ユーザー）Ｐが持ち込んできた使用済みバッテリ５１０ｕと充電済みバッテリ５１０ｃとの交換の手続きを中止したり中断したりする必要はなく、バッテリ交換装置１００が単独で、着脱式バッテリ５１０の交換の手続きを行うことができる。このため、共用バッテリ管理システム１０を採用したバッテリ共同利用サービスでは、電動二輪車５０の使用者（ユーザー）Ｐが使用済みバッテリ５１０ｕの交換を行いたいときに、充電済みバッテリ５１０ｃと交換をすることができる。これは、電動二輪車５０の使用者（ユーザー）Ｐが、着脱式バッテリ５１０が電力を消耗して電動二輪車５０による走行が困難になることが予想されるタイミングでバッテリ共同利用サービスを利用することを考慮すると、共用バッテリ管理システム１０は、バッテリ共同利用サービス（バッテリシェアサービス）を普及させるために非常に有効であると考えられる。
【０１２３】
これに対して、従来の共用バッテリ管理システムでは、電動二輪車５０の使用者（ユーザー）Ｐが使用済みバッテリ５１０ｕを持ち込んでくるごとに、バッテリ交換装置１００に相当するステーション管理装置と、運用サーバー２００に相当するシステム管理装置との間で、ネットワークＮＷを介した通信が行われる。図８の（ａ）には、従来の共用バッテリ管理システムにおけるネットワークＮＷを介したステーション管理装置であるバッテリ交換装置８００とシステム管理装置９００とにおける処理の様子を模式的に示している。より具体的には、従来の共用バッテリ管理システムでは、図８の（ａ）に示したように、使用済みバッテリ５１０ｕと充電済みバッテリ５１０ｃとを交換するタイミングで、バッテリ交換装置８００が、ネットワークＮＷを介して接続されたシステム管理装置９００に、使用済みバッテリ５１０ｕのＩＣカードの情報を送信する。そして、従来の共用バッテリ管理システムでは、図８の（ａ）に示したように、システム管理装置９００が、バッテリ交換装置８００から送信されてきた使用済みバッテリ５１０ｕのＩＣカードの情報に基づいて、使用済みバッテリ５１０ｕがバッテリ交換装置８００において充電済みバッテリ５１０ｃと交換することができる着脱式バッテリ５１０であるか否かを判定し、判定した結果を、ネットワークＮＷを介してバッテリ交換装置８００に送信する。そして、従来の共用バッテリ管理システムでは、バッテリ交換装置８００が、システム管理装置９００から送信されてきた判定結果に応じて、使用済みバッテリ５１０ｕと充電済みバッテリ５１０ｃとの交換の手続きを行う。
【０１２４】
このため、従来の共用バッテリ管理システムでは、図８の（ｂ）に示したように、電動二輪車５０の使用者（ユーザー）Ｐが使用済みバッテリ５１０ｕを持ち込んできたタイミングが、バッテリ交換装置８００とシステム管理装置９００との間のネットワークＮＷを介した無線通信が途絶えていたり、安定して無線通信を行うことができない状態であったりすると、使用済みバッテリ５１０ｕと充電済みバッテリ５１０ｃとの交換の手続きを行うことができない。つまり、従来の共用バッテリ管理システムでは、バッテリ交換装置８００とシステム管理装置９００との間のネットワークＮＷを介した無線通信の状態（通信環境）に影響されて、電動二輪車５０の使用者（ユーザー）Ｐが持ち込んできた使用済みバッテリ５１０ｕと充電済みバッテリ５１０ｃとの交換の手続きを中止したり中断したりせざるを得なくなる。この場合、電動二輪車５０の使用者（ユーザー）Ｐは、バッテリ交換装置８００とシステム管理装置９００との間のネットワークＮＷを介した無線通信が復旧するまで待たされることになってしまう。これは、電動二輪車５０の使用者（ユーザー）Ｐが、着脱式バッテリ５１０が電力を消耗して電動二輪車５０による走行が困難になることが予想されるタイミングで現在のバッテリ交換装置８００のところに出向いてきていることを考慮すると、別のバッテリ交換装置８００のところに出向くことも困難であると考えられるからである。このため、電動二輪車５０の使用者（ユーザー）Ｐが、着脱式バッテリ５１０が電力を消耗して電動二輪車５０による走行が困難になった場合に、着脱式バッテリ５１０の充電に要する時間を短縮することを目的としてバッテリ共同利用サービスを利用することを考慮すると、従来の共用バッテリ管理システムは、バッテリ共同利用サービス（バッテリシェアサービス）を普及させるためには非常に不利であると考えられる。
【０１２５】
上記に述べたとおり、第１実施形態によれば、共用バッテリ管理システム１０は、複数の場所に設置され、１つ以上の着脱式バッテリ５１０の保管および充電を行うバッテリ交換装置１００と、バッテリ交換装置１００において交換することができる着脱式バッテリ５１０を管理する運用サーバー２００とによって構成される。そして、第１実施形態では、運用サーバー２００が、バッテリ交換装置１００において交換することができる着脱式バッテリ５１０のバッテリＩＤを記録した提供可能バッテリリストＬを作成または更新して保管する。また、第１実施形態では、バッテリ交換装置１００が、例えば、１日に１回など、予め定めた比較的長い時間間隔ごとに、運用サーバー２００から提供可能バッテリリストＬを、ネットワークＮＷを介して取得して記憶する。そして、第１実施形態では、バッテリ交換装置１００が、記憶している提供可能バッテリリストＬに基づいて、電動二輪車５０の使用者（ユーザー）が交換を希望する使用済みバッテリ５１０ｕが、充電を完了して保管している充電済みバッテリ５１０ｃと交換することができる着脱式バッテリ５１０であるか否かを判定する。そして、第１実施形態では、バッテリ交換装置１００が、使用済みバッテリ５１０ｕが交換することができる着脱式バッテリ５１０であると判定した場合に、使用済みバッテリ５１０ｕと充電済みバッテリ５１０ｃとの交換の手続きを実施する。これにより、第１実施形態では、バッテリ交換装置１００が、バッテリ交換装置１００と運用サーバー２００との間のネットワークＮＷを介した通信の状態（通信環境）に影響されることなく、着脱式バッテリ５１０の交換の手続きを単独で行うことができる。このことにより、第１実施形態では、共用バッテリ管理システム１０を採用したバッテリ共同利用サービスを利用する電動二輪車５０の使用者（ユーザー）が、使用済みバッテリ５１０ｕの交換を行いたいときに、使用済みバッテリ５１０ｕと充電済みバッテリ５１０ｃとの交換をすることができる。
【０１２６】
しかも、第１実施形態によれば、バッテリ交換装置１００において使用済みバッテリ５１０ｕが交換することができる着脱式バッテリ５１０であるか否かを判定する際に用いる提供可能バッテリリストＬの更新は、頻繁に行われるものではないと考えられる。このため、第１実施形態では、バッテリ交換装置１００と運用サーバー２００との間のネットワークＮＷを介した通信が途絶えていたり、安定して通信を行うことができない状態であったりする期間が、例えば、数日というように長い期間になってしまった場合でも、バッテリ交換装置１００は単独で、記憶している提供可能バッテリリストＬに基づいた着脱式バッテリ５１０の交換の手続きを継続して行うことができる。このことにより、第１実施形態では、電動二輪車５０の使用者（ユーザー）に、バッテリ共同利用サービス（バッテリシェアサービス）を提供し続けることができる。
【０１２７】
これらのことにより、第１実施形態では、自動のバッテリ共同利用サービス（バッテリシェアサービス）の普及に貢献することができる。
【０１２８】
なお、第１実施形態では、共用バッテリ管理システム１０を構成するバッテリ交換装置１００と運用サーバー２００とが、無線通信の通信網であるネットワークＮＷを介して通信を行う場合の例を説明した。しかしながら、共用バッテリ管理システム１０におけるバッテリ交換装置１００と運用サーバー２００との間の通信は、無線通信に限定されるものではない。共用バッテリ管理システム１０におけるバッテリ交換装置１００と運用サーバー２００との間の通信が有線通信、つまり、ネットワークＮＷが有線通信の通信網である場合でも、例えば、運用サーバー２００の保守（メンテナンス）を行っているときなどには、有線通信が途絶えていたり、安定して有線通信を行うことができない状態であったりすることも考えられる。しかし、共用バッテリ管理システム１０では、バッテリ交換装置１００と運用サーバー２００との間の通信が有線通信である場合であっても、ネットワークＮＷを有線通信に置き換えることによって、同様に考えることができる。従って、バッテリ交換装置１００と運用サーバー２００との間の通信が有線通信である場合の共用バッテリ管理システム１０における着脱式バッテリ５１０の交換の手続きに関する詳細な説明は省略する。
【０１２９】
また、第１実施形態では、電動二輪車５０の使用者（ユーザー）が持ち込んでバッテリ交換装置１００において交換する使用済みバッテリ５１０ｕが１つである場合の例を説明した。しかしながら、電動二輪車５０が走行するために装着される着脱式バッテリ５１０の数は、１つであるとは限らない。つまり、電動二輪車５０は、複数の着脱式バッテリ５１０から供給される電力によって走行する電動車両であることも考えられる。しかし、電動二輪車５０が複数の着脱式バッテリ５１０を装着して走行する電動車両であっても、着脱式バッテリ５１０の交換の手続きは、同様に考えることができる。例えば、電動二輪車５０が２つの着脱式バッテリ５１０から供給される電力によって走行する電動車両である場合、電動二輪車５０の使用者（ユーザー）は、図６に示したステップＳ５００とステップＳ８００との動作を、それぞれの着脱式バッテリ５１０に対して行う、つまり、２回行うことになるが、その動作は、同じ動作の繰り返しである。従って、複数の着脱式バッテリ５１０から供給される電力によって走行する電動車両における着脱式バッテリ５１０の交換の手続きに関する詳細な説明は省略する。
【０１３０】
＜第２実施形態＞
以下、本発明の第２実施形態について、図面を参照して説明する。第２実施形態の蓄電装置管理システムは、蓄電装置（着脱式バッテリ）の貸し出し方法の変更が容易なバッテリ共同利用サービスを構築することができることを目的とした蓄電装置管理システムである。以下の説明においても、第２実施形態の蓄電装置管理システムが、着脱式バッテリの電力を利用する電力装置（電動二輪車）において共同利用される複数の着脱式バッテリの受領と、代わりの着脱式バッテリの供与（提供）とを管理する共用バッテリ管理システムである場合について説明する。なお、上述した第１実施形態と同様の構成については、同一の符号を付与して詳細な説明を省略する。
【０１３１】
（全体構成）
図９は、本発明の第２実施形態における共用バッテリ管理システムを採用したバッテリ共同利用サービス（バッテリシェアサービス）の概念を示した図である。図９に示したように、第２実施形態の共用バッテリ管理システム１０Ａは、バッテリ交換装置１００Ａと運用サーバー２００Ａとを含んで構成される。なお、第２実施形態の共用バッテリ管理システム１０Ａでも、１つの運用サーバー２００Ａが複数のバッテリ交換装置１００Ａに対応する構成とすることもできるが、図９においては、１つのバッテリ交換装置１００Ａのみを示している。また、図９においても、共用バッテリ管理システム１０Ａを採用したバッテリ共同利用サービスを利用する電動二輪車５０も併せて示している。
【０１３２】
バッテリ交換装置１００Ａは、第１実施形態のバッテリ交換装置１００と同様に、複数の場所に設置され、１つ以上の着脱式バッテリ５１０の保管および充電を行う設備である。また、バッテリ交換装置１００Ａは、第１実施形態のバッテリ交換装置１００と同様に、共用バッテリ管理システム１０Ａの利用者（電動二輪車５０の使用者（ユーザー）など）が交換を希望する着脱式バッテリ５１０と、保管している着脱式バッテリ５１０との交換の手続きを実施する設備でもある。バッテリ交換装置１００Ａも、第１実施形態のバッテリ交換装置１００と同様に、ネットワークＮＷを介して運用サーバー２００Ａと接続されている。ここで、ネットワークＮＷは、例えば、無線通信の通信網などの通信ネットワークである。なお、ネットワークＮＷは、有線通信の通信網であってもよい。ただし、本発明においては、ネットワークＮＷが無線通信の通信網である方が、ネットワークＮＷが有線通信の通信網である場合よりも、より顕著な効果が得られると考えられる。
【０１３３】
バッテリ交換装置１００Ａは、ネットワークＮＷを介した通信によって運用サーバー２００Ａとの間で情報のやり取りをし、着脱式バッテリ５１０の交換を実施する。より具体的には、バッテリ交換装置１００Ａは、保管および充電をしている着脱式バッテリ５１０に関する情報を記録したバッテリ状態リストを、予め定めた時間間隔（例えば、５分間隔）で定期的に、ネットワークＮＷを介して運用サーバー２００Ａに送信する。また、バッテリ交換装置１００Ａは、貸し出しをすることができる着脱式バッテリ５１０と貸し出す順番の情報を記録した貸し出し可能バッテリリストを、予め定めた時間間隔（例えば、５分間隔）で定期的に、ネットワークＮＷを介して運用サーバー２００Ａから取得（受信）する。
【０１３４】
ここで、バッテリ交換装置１００Ａが運用サーバー２００Ａに送信するバッテリ状態リストには、保管および充電をしている着脱式バッテリ５１０のバッテリＩＤに加え、少なくとも、保管している着脱式バッテリ５１０の充電回数、および劣化状態と、充電している着脱式バッテリ５１０の充電回数、劣化状態、および充電の状態（例えば、充電が完了している割合：充電率）などの情報が、着脱式バッテリ５１０に関する情報として記録されている。なお、バッテリ状態リストには、バッテリ交換装置１００Ａに対して排他的に割り当てられた識別情報（バッテリ交換装置ＩＤ）や、バッテリ交換装置１００Ａにおける故障の有無などの情報を記録していてもよい。また、バッテリ交換装置１００Ａが運用サーバー２００Ａから取得する貸し出し可能バッテリリストには、少なくとも、バッテリ交換装置１００Ａから送信されたバッテリ状態リストに基づいて運用サーバー２００Ａが決定した、バッテリ交換装置１００Ａにおいて貸し出し（交換）をすることができる着脱式バッテリ５１０および貸し出しをする（交換する）順番などの情報が、貸し出しをすることができる着脱式バッテリ５１０の情報として記録されている。
【０１３５】
そして、バッテリ交換装置１００Ａは、バッテリ交換装置１００Ａにおいて貸し出し（交換）をすることができる着脱式バッテリ５１０およびその順番が記録された貸し出し可能バッテリリストを運用サーバー２００Ａから取得して記憶している。なお、バッテリ交換装置１００Ａは、運用サーバー２００Ａから新たな貸し出し可能バッテリリストを取得するごとに、現在記憶している貸し出し可能バッテリリストを新たに取得した貸し出し可能バッテリリストに差し替える。つまり、バッテリ交換装置１００Ａは、予め定めた時間間隔ごとに記憶している貸し出し可能バッテリリストを更新する。図９には、バッテリ交換装置１００Ａが、バッテリ状態リストＳを、ネットワークＮＷを介して運用サーバー２００Ａに送信し、運用サーバー２００Ａが、貸し出し可能バッテリリストＢを、ネットワークＮＷを介して運用サーバー２００Ａから取得（受信）している様子を示している。
【０１３６】
バッテリ交換装置１００Ａは、運用サーバー２００Ａから取得した貸し出し可能バッテリリストＢが表すバッテリ交換装置１００Ａにおいて貸し出し（交換）をすることができる着脱式バッテリ５１０およびその順番の情報に従って、電動二輪車５０の使用者（ユーザー）が持ち込んできた電力が消耗している着脱式バッテリ５１０と保管している着脱式バッテリ５１０との交換を行う。なお、バッテリ交換装置１００Ａは、保管している着脱式バッテリ５１０の交換を行った後、記憶している貸し出し可能バッテリリストＢから、交換した着脱式バッテリ５１０に関する情報を削除する。これにより、バッテリ交換装置１００Ａは、貸し出し可能バッテリリストＢに含まれる貸し出し（交換）をすることができる着脱式バッテリ５１０のみを、電動二輪車５０の使用者（ユーザー）が持ち込んできた電力が消耗している着脱式バッテリ５１０と交換することができる。
【０１３７】
図９には、バッテリ交換装置１００Ａの構成の一例を示している。図９に示したバッテリ交換装置１００Ａの構成は、第１実施形態のバッテリ交換装置１００の構成と同様であるため、同一の符号を付与して詳細な説明を省略する。
【０１３８】
また、図９には、図１と同様に、バッテリスロット１２０−１に着脱式バッテリ５１０を出し入れする状態を示している。
【０１３９】
なお、図９に示したバッテリ交換装置１００Ａの構成も一例であり、本発明においては、バッテリ交換装置１００Ａの構成として種々の構成が考えられる。
【０１４０】
運用サーバー２００Ａは、第１実施形態のバッテリ交換装置１００と同様に、バッテリ交換装置１００Ａにおいて交換することができる着脱式バッテリ５１０を管理するサーバー設備である。運用サーバー２００Ａは、バッテリ交換装置１００Ａから送信されたバッテリ状態リストＳに含まれる、バッテリ交換装置１００Ａが保管している着脱式バッテリ５１０のバッテリＩＤ、充電回数、および劣化状態と、充電している着脱式バッテリ５１０のバッテリＩＤ、充電回数、劣化状態、および充電率との情報に基づいて、バッテリ交換装置１００Ａにおいて貸し出し（交換）をすることができる着脱式バッテリ５１０およびその着脱式バッテリ５１０の貸し出しをする（交換する）順番を決定する。そして、運用サーバー２００Ａは、決定したバッテリ交換装置１００Ａにおいて貸し出し（交換）をすることができる着脱式バッテリ５１０およびその着脱式バッテリ５１０の貸し出しをする（交換する）順番などの情報が含まれた貸し出し可能バッテリリストＢを作成する。
【０１４１】
なお、バッテリ交換装置１００Ａが運用サーバー２００Ａに送信するバッテリ状態リストＳは、例えば、バッテリ交換装置１００Ａに備えたバッテリスロット１２０ごとに、保管している着脱式バッテリ５１０のバッテリＩＤと、充電回数、劣化状態、および充電率との情報が紐付けられて記憶されている形式のリストなどが考えられるが、本発明においては、バッテリ状態リストＳの形式として種々の形式が考えられる。また、運用サーバー２００Ａが作成してバッテリ交換装置１００Ａに送信する貸し出し可能バッテリリストＢは、例えば、バッテリ交換装置１００Ａにおいて貸し出し（交換）をすることができる着脱式バッテリ５１０のバッテリＩＤが貸し出しをする（交換する）順番に並んだ形式のリストなどが考えられるが、本発明においては、貸し出し可能バッテリリストＢの形式として種々の形式が考えられる。
【０１４２】
以下の説明においては、バッテリ交換装置１００Ａが運用サーバー２００Ａに送信するバッテリ状態リストＳが、バッテリ交換装置１００Ａに備えたバッテリスロット１２０ごとに、保管している着脱式バッテリ５１０のバッテリＩＤと、充電回数、劣化状態、および充電率との情報が紐付けられて記憶されている形式のリストであるものとして説明する。また、運用サーバー２００Ａが作成してバッテリ交換装置１００Ａに送信する貸し出し可能バッテリリストＢは、バッテリ交換装置１００Ａにおいて貸し出し（交換）をすることができる着脱式バッテリ５１０のバッテリＩＤが貸し出しをする（交換する）順番に並んだ形式のリストであるものとして説明する。
【０１４３】
ここで、貸し出し可能バッテリリストＢに含まれる、バッテリ交換装置１００Ａにおいて貸し出し（交換）をすることができる着脱式バッテリ５１０およびその順番を決定する際の考え方の一例について説明する。運用サーバー２００Ａが決定するバッテリ交換装置１００Ａにおいて貸し出し（交換）をすることができる着脱式バッテリ５１０およびその着脱式バッテリ５１０を貸し出す（交換する）順番は、様々な考え方で定めた規則（ルール）に基づいて決定することができる。つまり、共用バッテリ管理システム１０Ａでは、バッテリ交換装置１００Ａが着脱式バッテリ５１０の交換の手続きを実施する際の論理（ロジック）を任意に変更することができる。なお、バッテリ交換装置１００Ａが着脱式バッテリ５１０の交換の手続きを実施する際の論理（ロジック）を定めるための条件、つまり、運用サーバー２００Ａが貸し出し（交換）をする着脱式バッテリ５１０およびその順番を決定するための条件としては、例えば、バッテリ交換装置１００Ａに保管している着脱式バッテリ５１０の状態などを考慮することが考えられる。また、運用サーバー２００Ａが貸し出し（交換）をする着脱式バッテリ５１０およびその順番を決定するための条件としては、例えば、バッテリ交換装置１００Ａが設置されている場所、日時（日付や、曜日、時間帯など）、天候などの様々な外的な要因などを考慮することが考えられる。これらの条件は、運用サーバー２００Ａに予め設定された規則（ルール）に従って変更することができる。そして、運用サーバー２００Ａに予め設定する規則（ルール）は、例えば、共用バッテリ管理システム１０Ａの管理者やバッテリ共同利用サービスの運用者が、着脱式バッテリ５１０の管理や運用をする際の考え方や意向などに基づいて逐次変更することができる。このとき、共用バッテリ管理システム１０Ａの管理者やバッテリ共同利用サービスの運用者は、運用サーバー２００Ａに接続された不図示の端末を操作することによって、バッテリ交換装置１００Ａにおいて貸し出し（交換）をすることができる着脱式バッテリ５１０およびその順番を運用サーバー２００Ａが決定するための規則（ルール）を設定する。
【０１４４】
例えば、共用バッテリ管理システム１０Ａを採用したバッテリ共同利用サービスにおいて、バッテリ交換装置１００Ａが、充電が不十分な着脱式バッテリ５１０の貸し出し（交換）をしてしまうことがないようにする場合を考える。この場合、共用バッテリ管理システム１０Ａの管理者などは、運用サーバー２００Ａに接続された不図示の端末を操作して、充電を完了してバッテリ交換装置１００Ａに保管している充電済みバッテリ５１０ｃのみを、貸し出し（交換）をすることができる着脱式バッテリ５１０とするように、運用サーバー２００Ａの規則（ルール）を設定する。また、共用バッテリ管理システム１０Ａの管理者などは、不図示の端末を操作して、例えば、充電が完了した順番や、劣化が少ない順、あるいは劣化が多い順を、バッテリ交換装置１００Ａにおいて充電済みバッテリ５１０ｃを貸し出す（交換する）順番に決定するように、運用サーバー２００Ａに規則（ルール）を設定する。ここで、共用バッテリ管理システム１０Ａの管理者などが、充電が完了した順番を、バッテリ交換装置１００Ａにおいて充電済みバッテリ５１０ｃを貸し出す（交換する）順番に決定するように、運用サーバー２００Ａに規則（ルール）を設定した場合、共用バッテリ管理システム１０Ａを採用したバッテリ共同利用サービスでは、早く充電が完了した充電済みバッテリ５１０ｃから順に、電動二輪車５０の使用者（ユーザー）に貸し出されることになる。これにより、共用バッテリ管理システム１０Ａを採用したバッテリ共同利用サービスでは、充電済みバッテリ５１０ｃのみの貸し出し（交換）を安定して行うことができる。また、共用バッテリ管理システム１０Ａの管理者などが、劣化の少ない順を、バッテリ交換装置１００Ａにおいて充電済みバッテリ５１０ｃを貸し出す（交換する）順番に決定するように運用サーバー２００Ａに規則（ルール）を設定した場合、共用バッテリ管理システム１０Ａを採用したバッテリ共同利用サービスでは、貸し出し（交換）をする多くの着脱式バッテリ５１０の劣化状態を均一にすることができる。これにより、共用バッテリ管理システム１０Ａを採用したバッテリ共同利用サービスでは、劣化した着脱式バッテリ５１０を交換するバッテリ共同利用サービスの保守（メンテナンス）の頻度を少なくし、共用バッテリ管理システム１０Ａの管理者やバッテリ共同利用サービスの運用者は、同時期に全ての着脱式バッテリ５１０を交換するなど、メンテナンス作業を容易にすることができる。また、共用バッテリ管理システム１０Ａの管理者などが、劣化の多い順を、バッテリ交換装置１００Ａにおいて充電済みバッテリ５１０ｃを貸し出す（交換する）順番に決定するように運用サーバー２００Ａに規則（ルール）を設定した場合、共用バッテリ管理システム１０Ａを採用したバッテリ共同利用サービスでは、貸し出し（交換）をする多くの着脱式バッテリ５１０が同時期に劣化してしまうのを回避することができる。これにより、共用バッテリ管理システム１０Ａを採用したバッテリ共同利用サービスでは、劣化した着脱式バッテリ５１０を交換するバッテリ共同利用サービスのメンテナンスの頻度を平均化し、共用バッテリ管理システム１０Ａの管理者やバッテリ共同利用サービスの運用者は、１回のメンテナンス作業において交換する着脱式バッテリ５１０の数を少なくすることができる。
【０１４５】
また、例えば、共用バッテリ管理システム１０Ａを採用したバッテリ共同利用サービスにおいて、バッテリ交換装置１００Ａが、より多くの電動二輪車５０の使用者（ユーザー）に着脱式バッテリ５１０を貸し出す（交換する）ことができるようにする場合を考える。この場合、共用バッテリ管理システム１０Ａの管理者などは、バッテリ交換装置１００Ａにおいて貸し出す（交換する）ことができる着脱式バッテリ５１０として判断する（見なす）ための貸し出し基準として、例えば、充電率の閾値を予め定める。そして、共用バッテリ管理システム１０Ａの管理者などは、運用サーバー２００Ａに接続された不図示の端末を操作して、充電率が予め定めた割合以上（例えば、充電率が９０％以上）の着脱式バッテリ５１０を充電済みバッテリ５１０ｃと見なして、貸し出し（交換）をすることができる着脱式バッテリ５１０とするように、運用サーバー２００Ａの規則（ルール）を設定する。また、共用バッテリ管理システム１０Ａの管理者などは、不図示の端末を操作して、例えば、充電率が高い順を、バッテリ交換装置１００Ａにおいて充電済みバッテリ５１０ｃと見なした着脱式バッテリ５１０を貸し出す（交換する）順番に決定するように、運用サーバー２００Ａに規則（ルール）を設定する。これにより、共用バッテリ管理システム１０Ａを採用したバッテリ共同利用サービスでは、例えば、バッテリ交換装置１００Ａが設置されている場所が観光地である、晴天である、週末である、午前中であるなど、着脱式バッテリ５１０の貸し出し（交換）が頻繁に行われることが予想される場合に、より多くの電動二輪車５０の使用者（ユーザー）に着脱式バッテリ５１０を貸し出す（交換する）ことができる。
【０１４６】
このように、共用バッテリ管理システム１０Ａでは、共用バッテリ管理システム１０Ａの管理者などが、不図示の端末を操作して運用サーバー２００Ａに規則（ルール）を設定することによって、同じバッテリ交換装置１００Ａであっても、着脱式バッテリ５１０の交換の手続きを実施する際の論理（ロジック）を任意に変更することができる。なお、上記では、共用バッテリ管理システム１０Ａの管理者などが不図示の端末を操作して運用サーバー２００Ａに規則（ルール）を設定する方法を提示したが、例えば、週末である、午前中であるなど、機械的に判断することができる条件に基づいた運用サーバー２００Ａの規則（ルール）の設定は、運用サーバー２００Ａ内のサーバー制御部２２０Ａが自動で実行する構成にしてもよい。なお、以下の説明においては、説明を容易にするため、充電済みバッテリ５１０ｃと見なした予め定めた割合（充電率）以上の充電がされた着脱式バッテリ５１０も「充電済みバッテリ５１０ｃ」であるものとして説明する。
【０１４７】
運用サーバー２００Ａは、作成した貸し出し可能バッテリリストＢを、バッテリ状態リストＳを送信してきたバッテリ交換装置１００Ａに、ネットワークＮＷを介してバッテリ交換装置１００Ａに送信する。これにより、バッテリ交換装置１００Ａは、貸し出し可能バッテリリストＢを、ネットワークＮＷを介して運用サーバー２００Ａから取得する。そして、バッテリ交換装置１００Ａは、運用サーバー２００Ａから取得した貸し出し可能バッテリリストＢに含まれるバッテリＩＤの順番、つまり、貸し出し可能バッテリリストＢが表す充電済みバッテリ５１０ｃの順番に、着脱式バッテリ５１０の交換の手続きを実施する。
【０１４８】
なお、運用サーバー２００Ａがバッテリ交換装置１００Ａに送信する貸し出し可能バッテリリストＢには、バッテリ交換装置１００Ａから送信されてきたバッテリ状態リストＳに含まれる全ての着脱式バッテリ５１０のバッテリＩＤが必ずしも含まれていなくてもよい。つまり、共用バッテリ管理システム１０Ａでは、貸し出し可能バッテリリストＢにバッテリＩＤが含まれていない着脱式バッテリ５１０は、バッテリ交換装置１００Ａにおいて貸し出しすることができない着脱式バッテリ５１０となる。そこで、運用サーバー２００Ａは、バッテリ交換装置１００Ａから送信されてきたバッテリ状態リストＳから、充電を予め定めた回数（充電回数）以上行った、つまり、劣化している着脱式バッテリ５１０が含まれていることがわかった場合には、この着脱式バッテリ５１０を、バッテリ共同利用サービスにおいて貸し出しをしない（交換しない）着脱式バッテリ５１０として、貸し出し可能バッテリリストＢに含めないようにしてもよい。つまり、運用サーバー２００Ａは、劣化している着脱式バッテリ５１０をバッテリ共同利用サービスの保守（メンテナンス）において交換する着脱式バッテリ５１０とし、意図的に貸し出し可能バッテリリストＢに含めないようにしてもよい。この場合、運用サーバー２００Ａは、意図的に貸し出し可能バッテリリストＢに含めないようにした着脱式バッテリ５１０があることを、共用バッテリ管理システム１０Ａの管理者やバッテリ共同利用サービスの運用者などに通知するようにしてもよい。
【０１４９】
なお、運用サーバー２００Ａにおけるそれぞれの着脱式バッテリ５１０の劣化の管理は、例えば、バッテリ共同利用サービスにおいて貸し出す（交換する）ための新たな着脱式バッテリ５１０が追加されたときから、その着脱式バッテリ５１０の充電回数を計数することによって行うことができると考えられる。ここで、着脱式バッテリ５１０から充電回数の情報が出力される場合であれば、運用サーバー２００Ａは、着脱式バッテリ５１０自体が計数した充電回数に基づいて、着脱式バッテリ５１０の劣化の管理をしてもよい。また、運用サーバー２００Ａがバッテリ共同利用サービスにおいて運用するための着脱式バッテリ５１０を登録して管理している場合であれば、運用サーバー２００Ａが、バッテリ交換装置１００Ａから送信されてきたバッテリ状態リストＳに含まれる着脱式バッテリ５１０のバッテリＩＤと充電の状態に関する情報に基づいて着脱式バッテリ５１０の充電回数を計数し、着脱式バッテリ５１０の劣化の管理をしてもよい。しかし、本発明においては、着脱式バッテリ５１０の充電回数の計数方法や、運用サーバー２００Ａにおける着脱式バッテリ５１０の劣化の管理の方法として種々の方法が考えられる。
【０１５０】
このような構成によって共用バッテリ管理システム１０Ａでは、共用バッテリ管理システム１０Ａの管理者やバッテリ共同利用サービスの運用者などが運用サーバー２００Ａに設定した規則（ルール）に従った論理（ロジック）で、電動二輪車５０の使用者（ユーザー）がバッテリ交換装置１００Ａに持ち込んできた電力が消耗している使用済みバッテリ５１０ｕに代わる充電済みバッテリ５１０ｃを貸し出す（交換する）。このとき、バッテリ交換装置１００Ａは、運用サーバー２００Ａから事前（例えば、最大で５分前）に取得した貸し出し可能バッテリリストＢに含まれるバッテリＩＤの順番に、充電済みバッテリ５１０ｃを電動二輪車５０の使用者（ユーザー）が持ち込んできた使用済みバッテリ５１０ｕと交換する手続きを実施する。
【０１５１】
なお、共用バッテリ管理システム１０Ａにおいて１つの運用サーバー２００Ａが複数のバッテリ交換装置１００Ａに対応する構成である場合、共用バッテリ管理システム１０Ａの管理者などは、バッテリ交換装置１００Ａにおいて貸し出し（交換）をすることができる着脱式バッテリ５１０およびその順番を決定する際の規則（ルール）を、それぞれのバッテリ交換装置１００Ａごとに運用サーバー２００Ａに設定することができる。つまり、複数のバッテリ交換装置１００Ａを備えた共用バッテリ管理システム１０Ａでは、共用バッテリ管理システム１０Ａの管理者などが、それぞれのバッテリ交換装置１００Ａごとに、運用サーバー２００Ａが貸し出し可能バッテリリストＢを作成するための規則（ルール）を設定することができる。これにより、複数のバッテリ交換装置１００Ａを備えた共用バッテリ管理システム１０Ａでは、運用サーバー２００Ａが、それぞれのバッテリ交換装置１００Ａに対応する貸し出し可能バッテリリストＢを作成して送信する。そして、複数のバッテリ交換装置１００Ａを備えた共用バッテリ管理システム１０Ａでは、それぞれのバッテリ交換装置１００Ａが、対応する貸し出し可能バッテリリストＢを運用サーバー２００Ａから事前に取得しておき、取得した貸し出し可能バッテリリストＢに基づいて、保管している充電済みバッテリ５１０ｃを貸し出す（使用済みバッテリ５１０ｕと充電済みバッテリ５１０ｃとを交換する）手続きを実施する。なお、複数のバッテリ交換装置１００Ａを備えた共用バッテリ管理システム１０Ａでは、共用バッテリ管理システム１０Ａの管理者などが運用サーバー２００Ａに設定する、バッテリ交換装置１００Ａにおいて貸し出し（交換）をすることができる着脱式バッテリ５１０およびその順番を決定する際の規則（ルール）は、全てのバッテリ交換装置１００Ａに対して同じ規則（ルール）であっても異なる規則（ルール）であってもよい。つまり、複数のバッテリ交換装置１００Ａを備えた共用バッテリ管理システム１０Ａでは、それぞれのバッテリ交換装置１００Ａごとに、使用済みバッテリ５１０ｕと充電済みバッテリ５１０ｃとの交換の手続きを実施する際の論理（ロジック）を異ならせることができる。例えば、あるバッテリ交換装置１００Ａは、充電を完了して保管している充電率が１００％の充電済みバッテリ５１０ｃのみを貸し出し（交換し）、別のあるバッテリ交換装置１００Ａは、充電率が９０％以上の充電済みバッテリ５１０ｃを貸し出す（交換する）ようにすることができる。
【０１５２】
なお、バッテリ交換装置１００Ａは、上述したように、例えば、５分間隔など、予め定めた時間間隔ごと、貸し出し可能バッテリリストＢを、運用サーバー２００Ａから事前に取得して記憶しておく。このため、バッテリ交換装置１００Ａは、使用済みバッテリ５１０ｕと充電済みバッテリ５１０ｃとの交換の手続きを実施するごとに、運用サーバー２００Ａとの間でネットワークＮＷを介した通信を行わなくてもよい。より具体的には、バッテリ交換装置１００Ａでは、電動二輪車５０の使用者（ユーザー）が持ち込んできた電力が消耗している使用済みバッテリ５１０ｕに代わる充電済みバッテリ５１０ｃを貸し出す（交換する）ごとに、運用サーバー２００Ａとの間でネットワークＮＷを介した通信を行って、いずれの充電済みバッテリ５１０ｃを貸し出す（交換する）のかを表す情報を取得するのではない。そして、バッテリ交換装置１００Ａでは、事前に運用サーバー２００Ａから事前に取得した貸し出し可能バッテリリストＢが表す順番に、充電済みバッテリ５１０ｃを貸し出す（交換する）。つまり、バッテリ交換装置１００Ａでは、事前に運用サーバー２００Ａから事前に取得した貸し出し可能バッテリリストＢに基づいて、使用済みバッテリ５１０ｕと充電済みバッテリ５１０ｃとの交換の手続きを単独で実施する。このため、バッテリ交換装置１００Ａでは、例えば、運用サーバー２００Ａとの間のネットワークＮＷを介した通信が途絶えていたり、安定して通信を行うことができない状態であったりしても、少なくとも貸し出し可能バッテリリストＢにバッテリＩＤが含まれる充電済みバッテリ５１０ｃは、電動二輪車５０の使用者（ユーザー）が持ち込んできた使用済みバッテリ５１０ｕと交換することができる。つまり、バッテリ交換装置１００Ａは、運用サーバー２００Ａとの間のネットワークＮＷを介した通信の状態（通信環境）が悪化した場合でも、しばらくの間は、通信の状態（通信環境）の影響によって着脱式バッテリ５１０の交換の手続きを中止したり中断したりすることなく、単独で着脱式バッテリ５１０の交換の手続きの実施を継続することができる。言い換えれば、バッテリ交換装置１００Ａは、バッテリ交換装置１００Ａと運用サーバー２００Ａとの間の短時間の通信の状態（通信環境）の悪化に影響されることなく、電動二輪車５０の使用者（ユーザー）に、バッテリ共同利用サービス（バッテリシェアサービス）を提供し続けることができる。
【０１５３】
このような構成によって共用バッテリ管理システム１０Ａでは、電動二輪車５０の使用者（ユーザー）がバッテリ交換装置１００Ａに持ち込んできた電力が消耗している使用済みバッテリ５１０ｕに代わる充電済みバッテリ５１０ｃを、予め定めた規則（ルール）に従った論理（ロジック）で決定した順番に貸し出す（交換する）。
【０１５４】
次に、第２実施形態の共用バッテリ管理システム１０Ａを構成するそれぞれの構成要素についてより詳細に説明する。
【０１５５】
（着脱式バッテリ５１０の構成）
まず、着脱式バッテリ５１０の構成例について説明する。図１０は、第２実施形態の共用バッテリ管理システム１０Ａにおいて管理される着脱式バッテリ５１０の構成の一例を示したブロック図である。図１０に示したように、着脱式バッテリ５１０は、第１実施形態の共用バッテリ管理システム１０においてバッテリ交換装置１００が貸し出し（交換）をする着脱式バッテリ５１０におけるＢＭＵ（Ｂａｔｔｅｒｙ  Ｍａｎａｇｅｍｅｎｔ  Ｕｎｉｔ）５１３がＢＭＵ５１３Ａに、接続部５１５が接続部５１５Ａに、記憶部５１４が記憶部５１４Ａに、それぞれ代わっている。
【０１５６】
測定センサ５１２は、測定した蓄電部５１１の状態を表す測定値を、ＢＭＵ５１３Ａ上のプロセッサに出力する。
【０１５７】
ＢＭＵ５１３Ａは、第１実施形態の共用バッテリ管理システム１０における着脱式バッテリ５１０が備えるＢＭＵ５１３と同様のバッテリーマネージメントユニットであり、蓄電部５１１の充電や放電を制御する。ＢＭＵ５１３Ａは、例えば、ＣＰＵ（Ｃｅｎｔｒａｌ  Ｐｒｏｃｅｓｓｉｎｇ  Ｕｎｉｔ）などのプロセッサや、例えば、ＲＯＭ（Ｒｅａｄ  Ｏｎｌｙ  Ｍｅｍｏｒｙ）やＲＡＭ（Ｒａｎｄｏｍ  Ａｃｃｅｓｓ  Ｍｅｍｏｒｙ）などのメモリを記憶部５１４Ａとして含んで構成される。ＢＭＵ５１３Ａでは、ＣＰＵが、記憶部５１４Ａに記憶されたプログラムを読み出して実行することにより、蓄電部５１１の制御機能を実現する。そして、ＢＭＵ５１３Ａは、測定センサ５１２から出力された蓄電部５１１の状態を表す測定値に基づいて蓄電部５１１に対して行った制御の内容などの情報を、記憶部５１４Ａに記憶させる。また、ＢＭＵ５１３Ａは、第１実施形態の共用バッテリ管理システム１０における着脱式バッテリ５１０が備えるＢＭＵ５１３の機能に加えて、蓄電部５１１の充電回数を計数して記憶部５１４Ａに記憶させてもよい。さらに、ＢＭＵ５１３Ａは、測定センサ５１２から出力された蓄電部５１１の状態を表す測定値に基づいて、蓄電部５１１の充電率を算出してもよい。
【０１５８】
記憶部５１４Ａは、第１実施形態の共用バッテリ管理システム１０における着脱式バッテリ５１０が備える記憶部５１４と同様に、ＢＭＵ５１３Ａ自身で検知した異常や故障、測定センサ５１２を利用して把握した蓄電部５１１の異常や故障などの情報を記憶する。記憶部５１４Ａは、例えば、ＲＯＭ、ＲＡＭ、フラッシュメモリなどのメモリを含んで構成される。また、記憶部５１４Ａは、着脱式バッテリ５１０に対して排他的に割り当てられたバッテリＩＤと、蓄電部５１１の充電回数などの情報を記憶している。ここで、記憶部５１４Ａに記憶している充電回数の情報は、蓄電部５１１の充電が開始されたとき、あるいは蓄電部５１１の充電が完了したときなどに、ＢＭＵ５１３Ａによって“１”が加算されて更新される（つまり、インクリメントされる）。なお、記憶部５１４Ａは、着脱式バッテリ５１０を現在使用している電動二輪車５０の使用者（ユーザー）の識別情報（例えば、「ユーザーＩＤ」）を記憶してもよい。
【０１５９】
接続部５１５Ａは、第１実施形態の共用バッテリ管理システム１０における着脱式バッテリ５１０が備える接続部５１５と同様に、着脱式バッテリ５１０が電動二輪車５０に装着された際に、電動二輪車５０の駆動源である電動モータに蓄電部５１１に蓄電された電力を供給する接続部である。また、接続部５１５Ａは、着脱式バッテリ５１０がバッテリ交換装置１００Ａに備えたバッテリスロット１２０に収容された際に、バッテリ収容部１２０Ｈの奥側に設けられた着脱式バッテリ５１０と接続する構造と接続され、着脱式バッテリ５１０とバッテリ交換装置１００Ａとの間でやり取りするバッテリＩＤ、充電回数、および蓄電部５１１の状態を表す測定値などの情報や電力の電送をするための接続部でもある。
【０１６０】
（バッテリ交換装置１００Ａの構成）
続いて、バッテリ交換装置１００Ａの構成例について説明する。図１１は、第２実施形態の共用バッテリ管理システム１０Ａを構成するバッテリ交換装置１００Ａの概略構成を示したブロック図である。図１１に示したように、バッテリ交換装置１００Ａは、表示器１１０と、接続部１２０Ｔと、充電器１２０Ｃと、交換装置記憶部１３０Ａと、交換装置制御部１４０Ａと、交換装置通信部１５０Ａとを備えている。また、交換装置制御部１４０Ａは、充電制御部１４１Ａと、測定センサ１４２と、情報取得部１４３Ａと、処理部１４４Ａとを備えている。
【０１６１】
交換装置記憶部１３０Ａは、第１実施形態の共用バッテリ管理システム１０におけるバッテリ交換装置１００Ａが備える交換装置記憶部１３０と同様に、バッテリ交換装置１００Ａにおける種々の情報を記憶する。交換装置記憶部１３０Ａは、少なくとも、ネットワークＮＷを介して運用サーバー２００Ａから事前に取得した貸し出し可能バッテリリストＢを記憶する。交換装置記憶部１３０Ａは、例えば、ＲＯＭ、ＲＡＭ、ＥＥＰＲＯＭ（Ｅｌｅｃｔｒｉｃａｌｌｙ  Ｅｒａｓａｂｌｅ  Ｐｒｏｇｒａｍｍａｂｌｅ  Ｒｅａｄ  Ｏｎｌｙ  Ｍｅｍｏｒｙ）、ＨＤＤ（Ｈａｒｄ  Ｄｉｓｋ  Ｄｒｉｖｅ）、フラッシュメモリなどのメモリを含んで構成される。また、交換装置記憶部１３０Ａは、交換装置制御部１４０Ａがバッテリ交換装置１００Ａの機能を実行するためのプログラムを記憶している。なお、交換装置記憶部１３０Ａは、バッテリ交換装置１００Ａに備えたそれぞれのバッテリスロット１２０に着脱式バッテリ５１０が収容されているか否かの情報や、それぞれのバッテリスロット１２０に収容されている着脱式バッテリ５１０のバッテリＩＤ、充電回数、劣化状態、および蓄電部５１１の状態を表す測定値などの情報（以下、「バッテリ状態情報」という）を記憶してもよい。また、交換装置記憶部１３０Ａは、それぞれの着脱式バッテリ５１０の充電率などの充電の状態を表す情報も、バッテリ状態情報として記憶してもよい。また、交換装置記憶部１３０Ａは、バッテリ交換装置１００Ａに対して排他的に割り当てられた識別情報（バッテリ交換装置ＩＤ）を記憶していてもよい。
【０１６２】
交換装置制御部１４０Ａは、第１実施形態の共用バッテリ管理システム１０におけるバッテリ交換装置１００Ａが備える交換装置制御部１４０と同様に、バッテリ交換装置１００Ａの全体を制御する。交換装置制御部１４０Ａは、例えば、ＣＰＵなどのプロセッサを含んで構成される。交換装置制御部１４０Ａは、交換装置記憶部１３０Ａに記憶されたプログラムを読み出して実行することにより、バッテリ交換装置１００Ａの機能を実現する。より具体的には、交換装置制御部１４０Ａは、予め定めた時間間隔ごと（例えば、５分間隔ごと）に定期的に、それぞれのバッテリスロット１２０に収容された着脱式バッテリ５１０のバッテリＩＤ、充電回数、劣化状態、および蓄電部５１１の状態を表す測定値などの情報（バッテリ状態情報）を取得する。そして、交換装置制御部１４０Ａは、取得した蓄電部５１１の状態を表す測定値に基づいて、蓄電部５１１の充電率、つまり、着脱式バッテリ５１０の充電率を算出する。なお、着脱式バッテリ５１０自体が充電率を算出する場合には、交換装置制御部１４０Ａは、予め定めた時間間隔ごと（例えば、５分間隔ごと）に定期的に、それぞれのバッテリスロット１２０に収容された着脱式バッテリ５１０の充電率などの充電の状態を表す情報をバッテリ状態情報として取得してもよい。そして、交換装置制御部１４０Ａは、取得したそれぞれの着脱式バッテリ５１０のバッテリ状態情報と、算出（または取得）した充電率の情報とを交換装置通信部１５０Ａに出力すると共に、出力したそれぞれの情報をバッテリ状態リストＳとして送信するための指示を、交換装置通信部１５０Ａに出力する。これにより、交換装置通信部１５０Ａは、ネットワークＮＷを介して運用サーバー２００Ａとの間で通信を行って、交換装置制御部１４０Ａが出力したバッテリ状態情報を含むバッテリ状態リストＳを、運用サーバー２００Ａに送信する。
【０１６３】
また、交換装置制御部１４０Ａは、交換装置通信部１５０Ａから運用サーバー２００Ａから送信されてきた貸し出し可能バッテリリストＢが出力されると、運用サーバー２００Ａから取得した貸し出し可能バッテリリストＢを交換装置記憶部１３０Ａに記憶させる。その後、交換装置制御部１４０Ａは、交換装置記憶部１３０Ａに記憶した貸し出し可能バッテリリストＢに含まれるバッテリＩＤの順番に基づいて、電動二輪車５０の使用者（ユーザー）が持ち込んできた使用済みバッテリ５１０ｕと充電済みバッテリ５１０ｃとの交換の手続きを実施する。このとき、交換装置制御部１４０Ａは、使用済みバッテリ５１０ｕを収容するバッテリスロット１２０（例えば、バッテリスロット１２０−１）を、表示器１１０によって電動二輪車５０の使用者（ユーザー）に通知する。これにより、電動二輪車５０の使用者（ユーザー）は、持ち込んできた使用済みバッテリ５１０ｕを、着脱式バッテリ５１０が収容されていない状態のバッテリスロット１２０−１のバッテリ収容部１２０−１Ｈに収容する。その後、交換装置制御部１４０Ａは、貸し出し可能バッテリリストＢに含まれる着脱式バッテリ５１０のバッテリＩＤの情報に基づいて、バッテリ収容部１２０−１Ｈに収容された使用済みバッテリ５１０ｕが、交換することができる着脱式バッテリ５１０であるか否かを判定する。そして、交換装置制御部１４０Ａは、バッテリ収容部１２０−１Ｈに収容された使用済みバッテリ５１０ｕが交換することができる着脱式バッテリ５１０であると判定した場合、貸し出し可能バッテリリストＢに含まれるバッテリＩＤの順番に基づいて充電済みバッテリ５１０ｃを選択し、選択した充電済みバッテリ５１０ｃが収容されているバッテリスロット１２０（例えば、バッテリスロット１２０−２）を、表示器１１０によって電動二輪車５０の使用者（ユーザー）に通知する。これにより、電動二輪車５０の使用者（ユーザー）は、充電済みバッテリ５１０ｃを、バッテリスロット１２０−２のバッテリ収容部１２０−２Ｈから取り出して、着脱式バッテリ５１０の交換をする。その後、交換装置制御部１４０Ａは、バッテリ収容部１２０−１Ｈに収容された使用済みバッテリ５１０ｕの充電をする。一方、交換装置制御部１４０Ａは、バッテリ収容部１２０−１Ｈに収容された使用済みバッテリ５１０ｕが交換することができない着脱式バッテリ５１０であると判定した場合、バッテリスロット１２０（例えば、バッテリスロット１２０−２）に収容されている充電済みバッテリ５１０ｃの交換を禁止する。そして、交換装置制御部１４０Ａは、バッテリ収容部１２０−１Ｈに収容された使用済みバッテリ５１０ｕが交換することができない着脱式バッテリ５１０であることを表示器１１０によって電動二輪車５０の使用者（ユーザー）に通知する。
【０１６４】
情報取得部１４３Ａは、第１実施形態の共用バッテリ管理システム１０におけるバッテリ交換装置１００Ａが備える情報取得部１４３と同様に、バッテリスロット１２０に収容された着脱式バッテリ５１０、つまり、バッテリ交換装置１００Ａに保管している着脱式バッテリ５１０の情報を取得する。より具体的には、情報取得部１４３Ａは、バッテリスロット１２０のバッテリ収容部１２０Ｈに収容され、接続部５１５Ａと接続部１２０Ｔが接続されている着脱式バッテリ５１０のバッテリ状態情報（バッテリＩＤ、充電回数、および蓄電部５１１の状態を表す測定値などの情報）を、予め定めた時間間隔（例えば、５分間隔）で定期的に接続部１２０Ｔを介して取得する。そして、情報取得部１４３Ａは、取得したバッテリ状態情報を、処理部１４４Ａに出力する。なお、情報取得部１４３Ａは、取得したバッテリ状態情報を交換装置記憶部１３０Ａに記憶させてもよい。
【０１６５】
測定センサ１４２は、測定した着脱式バッテリ５１０の状態を表す測定値を、充電制御部１４１Ａに出力する。
【０１６６】
なお、交換装置制御部１４０Ａでは、情報取得部１４３Ａが、着脱式バッテリ５１０に備えた測定センサ５１２が測定した蓄電部５１１の状態を表す測定値を、バッテリ状態情報として接続部１２０Ｔを介して取得している。このため、測定センサ１４２は、情報取得部１４３Ａが取得した蓄電部５１１の状態を表す測定値を、充電制御部１４１Ａに出力する構成であってもよい。
【０１６７】
充電制御部１４１Ａは、第１実施形態の共用バッテリ管理システム１０におけるバッテリ交換装置１００Ａが備える充電制御部１４１と同様に、測定センサ１４２から出力された着脱式バッテリ５１０の測定値も考慮して充電器１２０Ｃを制御することによって、着脱式バッテリ５１０の充電を制御する。また、充電制御部１４１Ａは、測定センサ１４２から出力された着脱式バッテリ５１０の測定値に基づいて、充電している着脱式バッテリ５１０の現在の充電率、つまり、着脱式バッテリ５１０に備えた蓄電部５１１の現在の充電率を算出する。そして、充電制御部１４１Ａは、算出した着脱式バッテリ５１０の充電率を、処理部１４４Ａに出力する。また、充電制御部１４１Ａは、第１実施形態の共用バッテリ管理システム１０におけるバッテリ交換装置１００Ａが備える充電制御部１４１と同様に、着脱式バッテリ５１０の充電が完了したときに、充電が完了したことを表す情報を、処理部１４４Ａに出力する。なお、充電制御部１４１Ａは、それぞれの着脱式バッテリ５１０の充電率の情報がバッテリ状態情報として交換装置記憶部１３０Ａに記憶している場合には、算出した着脱式バッテリ５１０の現在の充電率（充電完了も含む）の情報を交換装置記憶部１３０Ａに出力して、交換装置記憶部１３０Ａに記憶しているバッテリ状態情報を更新するようにしてもよい。
【０１６８】
なお、バッテリ交換装置１００Ａでは、着脱式バッテリ５１０の充電に先だって、着脱式バッテリ５１０に残っている電力を一旦放電するようにしてもよい。この場合、充電制御部１４１Ａは、着脱式バッテリ５１０の放電の制御も行う。
【０１６９】
処理部１４４Ａは、第１実施形態の共用バッテリ管理システム１０におけるバッテリ交換装置１００Ａが備える処理部１４４と同様に、バッテリ交換装置１００Ａにおける着脱式バッテリ５１０の交換の手続きを実施する。より具体的には、処理部１４４Ａは、電動二輪車５０の使用者（ユーザー）が持ち込んできてバッテリスロット１２０に収容した使用済みバッテリ５１０ｕに代わる充電済みバッテリ５１０ｃを、交換装置記憶部１３０Ａに記憶されている貸し出し可能バッテリリストＢに含まれる貸し出し（交換）をすることができる充電済みバッテリ５１０ｃの中から選択する。このとき、処理部１４４Ａは、貸し出し可能バッテリリストＢに含まれるバッテリＩＤの順番に、交換する充電済みバッテリ５１０ｃを選択する。そして、処理部１４４Ａは、使用済みバッテリ５１０ｕと選択した充電済みバッテリ５１０ｃとを交換する処理、および使用済みバッテリ５１０ｕを充電する処理を実施する。処理部１４４Ａにおける使用済みバッテリ５１０ｕと充電済みバッテリ５１０ｃとを交換する処理では、選択した充電済みバッテリ５１０ｃが収容されたバッテリスロット１２０の電動二輪車５０の使用者（ユーザー）への通知を行う。そして、処理部１４４Ａは、電動二輪車５０の使用者（ユーザー）が、通知したバッテリスロット１２０に収容された充電済みバッテリ５１０ｃを取り出して、着脱式バッテリ５１０の交換が行われた後、貸し出し可能バッテリリストＢを更新する。つまり、処理部１４４Ａは、交換装置記憶部１３０Ａに記憶している貸し出し可能バッテリリストＢに含まれる、選択した充電済みバッテリ５１０ｃに関するバッテリ状態情報を削除する。また、処理部１４４Ａにおける使用済みバッテリ５１０ｕを充電する処理では、使用済みバッテリ５１０ｕを充電すること表す指示を、充電制御部１４１Ａに出力する。これにより、充電制御部１４１Ａは、測定センサ１４２から出力された着脱式バッテリ５１０の測定値も考慮して充電器１２０Ｃを制御し、使用済みバッテリ５１０ｕの充電を実施する。
【０１７０】
交換装置通信部１５０Ａは、交換装置制御部１４０Ａからの指示に応じて、運用サーバー２００Ａとの間でネットワークＮＷを介した無線通信を行い、バッテリ状態リストＳを運用サーバー２００Ａに送信する。また、交換装置通信部１５０Ａは、運用サーバー２００Ａから貸し出し可能バッテリリストＢを取得する。そして、交換装置通信部１５０Ａは、運用サーバー２００Ａから取得した貸し出し可能バッテリリストＢを交換装置記憶部１３０Ａに出力して記憶させる。
【０１７１】
なお、貸し出し可能バッテリリストＢは、交換装置通信部１５０Ａがバッテリ状態リストＳを運用サーバー２００Ａに送信した後、すぐに運用サーバー２００Ａから取得することができるとは限らない。これは、運用サーバー２００Ａが、バッテリ交換装置１００Ａから送信されてきたバッテリ状態リストＳに基づいてバッテリ交換装置１００Ａにおいて貸し出し（交換）をすることができる着脱式バッテリ５１０およびその順番を決定し、その後に貸し出し可能バッテリリストＢを作成するからである。このため、交換装置通信部１５０Ａは、運用サーバー２００Ａから貸し出し可能バッテリリストＢが送信されてきたときに、送信されてきた貸し出し可能バッテリリストＢを受信し、交換装置記憶部１３０Ａに出力して記憶させる、つまり、交換装置記憶部１３０Ａに記憶している貸し出し可能バッテリリストＢを更新してもよい。また、交換装置通信部１５０Ａは、バッテリ状態リストＳを運用サーバー２００Ａに送信した後、運用サーバー２００Ａに貸し出し可能バッテリリストＢの更新がされているか否かを問い合わせ、運用サーバー２００Ａにおいて貸し出し可能バッテリリストＢが更新されている場合に、更新された貸し出し可能バッテリリストＢを取得して交換装置記憶部１３０Ａに記憶させる（更新する）構成であってもよい。
【０１７２】
なお、交換装置通信部１５０Ａは、交換装置記憶部１３０Ａに記憶している貸し出し可能バッテリリストＢを更新したことを表す情報を交換装置制御部１４０Ａ（より具体的には、処理部１４４Ａ）に通知してもよい。しかし、処理部１４４Ａは、交換装置記憶部１３０Ａに事前に記憶されている貸し出し可能バッテリリストＢに含まれるバッテリＩＤの順番に、交換する充電済みバッテリ５１０ｃを選択し、着脱式バッテリ５１０の交換が行われた後、貸し出し可能バッテリリストＢに含まれる、選択した充電済みバッテリ５１０ｃに関するバッテリ状態情報を削除して貸し出し可能バッテリリストＢを更新する。つまり、交換装置記憶部１３０Ａに記憶されている貸し出し可能バッテリリストＢは、バッテリ交換装置１００Ａにおいて交換することができる充電済みバッテリ５１０ｃに関するバッテリ状態情報のみが含まれている状態となっている。このため、交換装置記憶部１３０Ａに記憶されている貸し出し可能バッテリリストＢが更新されたか否かは、処理部１４４Ａにおける貸し出し（交換）をする充電済みバッテリ５１０ｃの選択には影響しない。従って、交換装置通信部１５０Ａは、必ずしも貸し出し可能バッテリリストＢを更新したことを表す情報を処理部１４４Ａに出力しなくてもよい。
【０１７３】
（運用サーバー２００Ａの構成）
続いて、運用サーバー２００Ａの構成例について説明する。図１２は、第２実施形態の共用バッテリ管理システム１０Ａを構成する運用サーバー２００Ａの概略構成を示したブロック図である。図１２に示したように、運用サーバー２００Ａは、サーバー記憶部２１０Ａと、サーバー制御部２２０Ａと、サーバー通信部２３０Ａとを備えている。また、サーバー制御部２２０Ａは、リスト処理部２２２Ａを備えている。
【０１７４】
サーバー記憶部２１０Ａは、運用サーバー２００Ａにおける種々の情報を記憶する。サーバー記憶部２１０Ａは、少なくとも、ネットワークＮＷを介してバッテリ交換装置１００Ａから送信されてきたバッテリ状態リストＳと、ネットワークＮＷを介してバッテリ交換装置１００Ａに送信する貸し出し可能バッテリリストＢとを記憶する。サーバー記憶部２１０Ａは、例えば、ＲＯＭ、ＲＡＭ、ＥＥＰＲＯＭ、ＨＤＤ、フラッシュメモリなどのメモリを含んで構成される。また、サーバー記憶部２１０Ａは、サーバー制御部２２０Ａが運用サーバー２００Ａの機能を実行するためのプログラムを記憶している。また、サーバー記憶部２１０Ａは、バッテリ交換装置１００Ａに対して排他的に割り当てられたバッテリ交換装置ＩＤの情報を記憶していてもよい。
【０１７５】
サーバー制御部２２０Ａは、運用サーバー２００Ａの全体を制御する。サーバー制御部２２０Ａは、例えば、ＣＰＵなどのプロセッサを含んで構成される。サーバー制御部２２０Ａは、サーバー記憶部２１０Ａに記憶されたプログラムを読み出して実行することにより、運用サーバー２００Ａの機能を実現する。より具体的には、サーバー制御部２２０Ａは、バッテリ交換装置１００Ａから送信されてきたバッテリ状態リストＳに基づいて、バッテリ交換装置１００Ａにおいて貸し出し（交換）をすることができる着脱式バッテリ５１０およびその順番を決定する。なお、運用サーバー２００Ａでは、例えば、共用バッテリ管理システム１０Ａの管理者やバッテリ共同利用サービスの運用者などが、共用バッテリ管理システム１０Ａにおける着脱式バッテリ５１０に対する管理や運用の考え方や意向などに基づいて、バッテリ交換装置１００Ａが着脱式バッテリ５１０の交換の手続きを実施する際の論理（ロジック）を逐次変更してもよい。このとき、共用バッテリ管理システム１０Ａの管理者などは、運用サーバー２００Ａに接続された不図示の端末の不図示の表示装置（例えば、液晶ディスプレイなど）に表示された情報に基づいて、不図示の入力装置（例えば、キーボードやマウスなど）を操作することによって、バッテリ交換装置１００Ａにおいて貸し出し（交換）をすることができる着脱式バッテリ５１０およびその順番を決定するための規則（ルール）の設定を逐次変更してもよい。
【０１７６】
そして、サーバー制御部２２０Ａは、決定したバッテリ交換装置１００Ａにおいて貸し出し（交換）をすることができる着脱式バッテリ５１０およびその着脱式バッテリ５１０の貸し出しをする（交換する）順番などの情報が含まれた貸し出し可能バッテリリストＢを作成し、作成した貸し出し可能バッテリリストＢをサーバー記憶部２１０Ａに出力して記憶させる。また、サーバー制御部２２０Ａは、作成した貸し出し可能バッテリリストＢをサーバー通信部２３０Ａに出力することにより、ネットワークＮＷを介して、バッテリ状態リストＳを送信してきたバッテリ交換装置１００Ａに貸し出し可能バッテリリストＢを送信する。
【０１７７】
リスト処理部２２２Ａは、バッテリ状態リストＳに基づいた貸し出し可能バッテリリストＢの作成の処理をする。より具体的には、リスト処理部２２２Ａは、バッテリ交換装置１００Ａから送信されてきたバッテリ状態リストＳに含まれるバッテリ交換装置１００Ａが保管している着脱式バッテリ５１０のバッテリＩＤおよび充電回数と、充電している着脱式バッテリ５１０のバッテリＩＤ、充電回数、および充電率との情報に基づいて、バッテリ交換装置１００Ａにおいて貸し出し（交換）をすることができる着脱式バッテリ５１０およびその順番を決定する。さらに、リスト処理部２２２Ａは、決定したバッテリ交換装置１００Ａにおいて貸し出し（交換）をすることができる着脱式バッテリ５１０およびその着脱式バッテリ５１０の貸し出しをする（交換する）順番などの情報が含まれた貸し出し可能バッテリリストＢを作成する。そして、リスト処理部２２２Ａは、作成した貸し出し可能バッテリリストＢを、バッテリ交換装置１００Ａのバッテリ交換装置ＩＤの情報と紐付けて、サーバー記憶部２１０Ａに出力して記憶させる。また、リスト処理部２２２Ａは、作成した貸し出し可能バッテリリストＢをサーバー通信部２３０Ａに出力すると共に、出力した貸し出し可能バッテリリストＢを、バッテリ状態リストＳを送信してきたバッテリ交換装置１００Ａに送信するための指示を、サーバー通信部２３０Ａに出力する。これにより、サーバー通信部２３０Ａは、ネットワークＮＷを介してバッテリ交換装置１００Ａとの間で通信を行って、サーバー制御部２２０Ａが出力した貸し出し可能バッテリリストＢを、バッテリ交換装置１００Ａに送信する。
【０１７８】
サーバー通信部２３０Ａは、バッテリ交換装置１００Ａに備えた交換装置通信部１５０Ａとの間でネットワークＮＷを介した無線通信を行う。サーバー通信部２３０Ａは、ネットワークＮＷを介してバッテリ交換装置１００Ａから送信されてきたバッテリ状態リストＳを受信し、受信したバッテリ状態リストＳをサーバー記憶部２１０Ａに記憶させる。また、サーバー通信部２３０Ａは、リスト処理部２２２Ａからの指示に応じて、ネットワークＮＷを介して貸し出し可能バッテリリストＢをバッテリ交換装置１００Ａに送信する。
【０１７９】
なお、上述したように、貸し出し可能バッテリリストＢは、バッテリ交換装置１００Ａから送信されてきたバッテリ状態リストＳを受信した後すぐにバッテリ交換装置１００Ａに送信することができるとは限らない。この場合、バッテリ交換装置１００Ａからは、貸し出し可能バッテリリストＢの更新がされているか否かの問い合わせが送信されてくる。サーバー通信部２３０Ａは、貸し出し可能バッテリリストＢの更新がされているか否かの問い合わせがバッテリ交換装置１００Ａから送信されてきた場合、リスト処理部２２２Ａが作成してサーバー記憶部２１０Ａに記憶された貸し出し可能バッテリリストＢを、バッテリ交換装置１００Ａに送信する。このとき、サーバー通信部２３０Ａは、問い合わせしてきたバッテリ交換装置１００Ａに対応する貸し出し可能バッテリリストＢ、つまり、問い合わせしてきたバッテリ交換装置１００Ａのバッテリ交換装置ＩＤに紐付けられている貸し出し可能バッテリリストＢをサーバー記憶部２１０Ａから読み出して、ネットワークＮＷを介してバッテリ交換装置１００Ａに送信する。これにより、バッテリ交換装置１００Ａは、ネットワークＮＷを介して貸し出し可能バッテリリストＢを取得し、取得した貸し出し可能バッテリリストＢに基づいて、電動二輪車５０の使用者（ユーザー）が持ち込んできた電力が消耗している使用済みバッテリ５１０ｕに代わる充電済みバッテリ５１０ｃを貸し出す（交換する）手続きを単独で実施することができる。
【０１８０】
次に、第２実施形態の共用バッテリ管理システム１０Ａにおける処理の流れの一例について説明する。図１３は、第２実施形態の共用バッテリ管理システム１０Ａを採用したバッテリ共同利用サービスにおいて貸し出す（交換する）ことができる着脱式バッテリ５１０の情報（貸し出し可能バッテリリストＢ）を取得する処理の流れを示したシーケンス図である。図１３には、バッテリ共同利用サービスを提供する共用バッテリ管理システム１０Ａを構成するバッテリ交換装置１００Ａおよび運用サーバー２００Ａの処理の一例を、バッテリ交換装置１００Ａに保管している着脱式バッテリ５１０と関連付けて示している。また、図１４は、第２実施形態の共用バッテリ管理システム１０Ａを採用したバッテリ共同利用サービスにおいて着脱式バッテリ５１０を貸し出す（交換する）処理の流れを示したシーケンス図である。図１４には、バッテリ共同利用サービスを提供する共用バッテリ管理システム１０Ａを構成するバッテリ交換装置１００Ａの処理の一例を、交換をする対象の着脱式バッテリ５１０（使用済みバッテリ５１０ｕ）および電動二輪車５０の使用者（ユーザー）と関連付けて示している。
【０１８１】
最初に、図１３を用いて、バッテリ交換装置１００Ａがバッテリ状態リストＳを運用サーバー２００Ａに送信し、運用サーバー２００Ａがバッテリ状態リストＳに基づいて貸し出し可能バッテリリストＢを作成してバッテリ交換装置１００Ａに送信する（バッテリ交換装置１００Ａが貸し出し可能バッテリリストＢを取得する）処理について説明する。なお、以下の説明においては、バッテリ交換装置１００Ａが着脱式バッテリ５１０の交換の手続きを実施する際の論理（ロジック）、つまり、運用サーバー２００Ａがバッテリ交換装置１００Ａにおいて貸し出し（交換）をすることができる着脱式バッテリ５１０およびその順番を決定するための規則（ルール）は、例えば、共用バッテリ管理システム１０Ａの管理者などによってすでに運用サーバー２００Ａに設定されているものとして説明する。また、共用バッテリ管理システム１０Ａでは、例えば、共用バッテリ管理システム１０Ａの管理者などが運用サーバー２００Ａを操作することによって貸し出し可能バッテリリストＢの作成をしてもよいが、以下の説明においては、説明を容易にするため、管理者などによる操作を省略し、運用サーバー２００Ａが貸し出し可能バッテリリストＢの作成をするものとして説明する。
【０１８２】
共用バッテリ管理システム１０Ａでは、まず、バッテリ交換装置１００Ａが、予め定めた時間間隔（例えば、５分間隔）で定期的に、保管および充電をしているそれぞれの着脱式バッテリ５１０からバッテリ状態情報を取得する（ステップＳ１１１）。このとき、バッテリ交換装置１００Ａでは、交換装置制御部１４０Ａに備えた情報取得部１４３Ａが、それぞれのバッテリ収容部１２０Ｈの接続部１２０Ｔおよび接続部５１５Ａを介して、着脱式バッテリ５１０に備えたそれぞれの構成要素からそれぞれの情報を取得する。より具体的には、情報取得部１４３Ａは、着脱式バッテリ５１０に備えた記憶部５１４Ａから、バッテリＩＤ、充電回数、および劣化状態の情報を取得する。また、情報取得部１４３Ａは、着脱式バッテリ５１０に備えた測定センサ５１２またはＢＭＵ５１３Ａから、蓄電部５１１の状態を表す測定値の情報を取得する。なお、情報取得部１４３Ａは、着脱式バッテリ５１０に備えたＢＭＵ５１３Ａから、充電率の情報を取得してもよい。
【０１８３】
その後、バッテリ交換装置１００Ａは、保管および充電をしているそれぞれの着脱式バッテリ５１０から取得したバッテリ状態情報を記録したバッテリ状態リストＳを、運用サーバー２００Ａに送信する（ステップＳ１１２）。このとき、バッテリ交換装置１００Ａでは、交換装置制御部１４０Ａに備えた処理部１４４Ａが、バッテリ状態情報をバッテリ状態リストＳとして送信するための指示を、交換装置通信部１５０Ａに出力する。これにより、バッテリ交換装置１００Ａでは、交換装置通信部１５０Ａが、バッテリ状態情報を含むバッテリ状態リストＳを、ネットワークＮＷを介して運用サーバー２００Ａに送信する。なお、バッテリ交換装置１００Ａは、情報取得部１４３Ａが着脱式バッテリ５１０から充電率の情報を取得している場合には、取得した充電率の情報をバッテリ状態情報における充電率の情報としたバッテリ状態リストＳを、運用サーバー２００Ａに送信する。
【０１８４】
バッテリ交換装置１００Ａからバッテリ状態リストＳが送信されてくると、運用サーバー２００Ａは、送信されてきたバッテリ状態リストＳに基づいて、バッテリ交換装置１００Ａにおいて貸し出し（交換）をすることができる着脱式バッテリ５１０およびその順番を決定する（ステップＳ２１３）。このとき、運用サーバー２００Ａでは、サーバー制御部２２０Ａに備えたリスト処理部２２２Ａが、バッテリ状態リストＳに含まれるバッテリ交換装置１００Ａが保管しているそれぞれの着脱式バッテリ５１０のバッテリＩＤ、充電回数、および劣化状態と、バッテリ交換装置１００Ａにおいて充電しているそれぞれの着脱式バッテリ５１０のバッテリＩＤ、充電回数、劣化状態、および充電率との情報に基づいて、バッテリ交換装置１００Ａにおいて貸し出し（交換）をすることができる着脱式バッテリ５１０およびその順番を決定する。
【０１８５】
その後、運用サーバー２００Ａは、貸し出し可能バッテリリストＢを作成する（ステップＳ２１４）。このとき、運用サーバー２００Ａでは、リスト処理部２２２Ａが、決定したバッテリ交換装置１００Ａにおいて貸し出し（交換）をすることができる着脱式バッテリ５１０およびその着脱式バッテリ５１０の貸し出しをする（交換する）順番などの情報が含まれた貸し出し可能バッテリリストＢを作成する。
【０１８６】
そして、運用サーバー２００Ａは、作成した貸し出し可能バッテリリストＢをバッテリ交換装置１００Ａに送信する（ステップＳ２１５）。このとき、運用サーバー２００Ａでは、リスト処理部２２２Ａが、バッテリ状態リストＳを送信してきたバッテリ交換装置１００Ａ用に作成した貸し出し可能バッテリリストＢを送信するための指示を、サーバー通信部２３０Ａに出力する。これにより、運用サーバー２００Ａでは、サーバー通信部２３０Ａが、リスト処理部２２２Ａが作成した貸し出し可能バッテリリストＢを、ネットワークＮＷを介してバッテリ交換装置１００Ａに送信する。なお、運用サーバー２００Ａは、バッテリ交換装置１００Ａから貸し出し可能バッテリリストＢの更新がされているか否かの問い合わせが送信されてきた場合には、問い合わせしてきたバッテリ交換装置１００Ａに、対応する貸し出し可能バッテリリストＢを送信する。
【０１８７】
その後、運用サーバー２００Ａは、処理をステップＳ２１３に戻る。つまり、運用サーバー２００Ａは、バッテリ交換装置１００Ａから次のバッテリ状態リストＳが送信されてくるまで、運用サーバー２００Ａにおける貸し出し可能バッテリリストＢの作成の処理を待機する。そして、運用サーバー２００Ａは、バッテリ交換装置１００Ａから次のバッテリ状態リストＳが送信されてくると、貸し出し可能バッテリリストＢの作成の処理、つまり、バッテリ交換装置１００Ａにおいて貸し出し（交換）をすることができる着脱式バッテリ５１０およびその順番の決定、貸し出し可能バッテリリストＢの作成およびバッテリ交換装置１００Ａへの送信の処理（ステップＳ２１３〜ステップＳ２１５）を繰り返す。
【０１８８】
一方、バッテリ交換装置１００Ａは、運用サーバー２００Ａから送信されてきた貸し出し可能バッテリリストＢを、交換装置記憶部１３０Ａに記憶する（ステップＳ３１６）。このとき、バッテリ交換装置１００Ａでは、交換装置通信部１５０Ａが、運用サーバー２００Ａから送信されてきた貸し出し可能バッテリリストＢを交換装置記憶部１３０Ａに出力して記憶させる。これにより、バッテリ交換装置１００Ａは、運用サーバー２００Ａから送信されてきた貸し出し可能バッテリリストＢに基づいて、使用済みバッテリ５１０ｕと充電済みバッテリ５１０ｃとの交換の手続きを単独で実施することができる。
【０１８９】
その後、バッテリ交換装置１００Ａは、予め定めた時間（例えば、５分）が経過したか否かを判定する（ステップＳ４１７）。ステップＳ４１７の判定の結果、予め定めた時間が経過していない場合（ステップＳ４１７の“ＮＯ”）、バッテリ交換装置１００Ａは、処理をステップＳ４１７の判定を繰り返す。つまり、バッテリ交換装置１００Ａは、予め定めた時間が経過するまで、それぞれの着脱式バッテリ５１０からのバッテリ状態情報の取得とバッテリ状態リストＳの運用サーバー２００Ａへの送信を待機する。一方、ステップＳ４１７の判定の結果、予め定めた時間が経過している場合（ステップＳ４１７の“ＹＥＳ”）、バッテリ交換装置１００Ａは、ステップＳ１１１に戻って、再びそれぞれの着脱式バッテリ５１０からバッテリ状態情報を取得する。つまり、バッテリ交換装置１００Ａは、保管および充電をしているそれぞれの着脱式バッテリ５１０からバッテリ状態情報を取得してバッテリ状態リストＳとして運用サーバー２００Ａに送信し、運用サーバー２００Ａから貸し出し可能バッテリリストＢを取得する処理（ステップＳ１１１〜ステップＳ３１６）を繰り返す。これにより、バッテリ交換装置１００Ａでは、交換装置記憶部１３０Ａに記憶している貸し出し可能バッテリリストＢが、予め定めた時間間隔（例えば、５分間隔）で定期的に最新の状態に更新される。
【０１９０】
このように、共用バッテリ管理システム１０Ａでは、バッテリ交換装置１００Ａと運用サーバー２００Ａとが、予め定めた時間間隔（例えば、５分間隔）で定期的に、ネットワークＮＷを介して通信を行って、バッテリ交換装置１００Ａにおいて貸し出し（交換）をすることができる着脱式バッテリ５１０およびその着脱式バッテリ５１０の貸し出しをする（交換する）順番の情報が含まれた貸し出し可能バッテリリストＢを更新する。これにより、共用バッテリ管理システム１０Ａでは、バッテリ交換装置１００Ａが、着脱式バッテリ５１０に備えた蓄電部５１１における現在の蓄電の状態が反映された最新の貸し出し可能バッテリリストＢに基づいて、電動二輪車５０の使用者（ユーザー）が持ち込んできた電力が消耗している使用済みバッテリ５１０ｕと保管している充電済みバッテリ５１０ｃとの交換の手続きを単独で実施することができる。
【０１９１】
続いて、図１４を用いて、バッテリ交換装置１００Ａが着脱式バッテリ５１０を貸し出す（交換する）処理について説明する。なお、以下の説明においては、電動二輪車５０の使用者（ユーザー）が持ち込んできた使用済みバッテリ５１０ｕと充電済みバッテリ５１０ｃとを交換するものとして説明する。また、以下の説明においては、図１３に示した処理の流れで運用サーバー２００Ａから事前に取得した貸し出し可能バッテリリストＢが、バッテリ交換装置１００Ａに備えた交換装置記憶部１３０Ａに記憶されているものとして説明する。また、共用バッテリ管理システム１０Ａでは、電動二輪車５０の使用者（ユーザー）が、例えば、バッテリ交換装置１００Ａに備えた不図示の入力手段を操作することによって着脱式バッテリ５１０の交換手続きを開始することが考えられるが、以下の説明においては、説明を容易にするため、電動二輪車５０の使用者（ユーザー）によるバッテリ交換装置１００Ａの操作に関する詳細な説明は省略する。
【０１９２】
電動二輪車５０の使用者（ユーザー）が、電力が消耗した使用済みバッテリ５１０ｕを持ち込み、バッテリスロット１２０のバッテリ収容部１２０Ｈに収容する（ステップＳ５１０）。これにより、バッテリ交換装置１００Ａに備えたいずれかのバッテリスロット１２０のバッテリ収容部１２０Ｈ内の接続部１２０Ｔと、電動二輪車５０の使用者（ユーザー）が収容した使用済みバッテリ５１０ｕの接続部５１５Ａとが電気的に接続される。このとき、バッテリ交換装置１００Ａでは、交換装置制御部１４０Ａが、バッテリ収容部１２０Ｈに収容された使用済みバッテリ５１０ｕの交換を電動二輪車５０の使用者（ユーザー）から要求されたものとして、使用済みバッテリ５１０ｕと充電済みバッテリ５１０ｃとの交換の処理を開始する。
【０１９３】
バッテリ交換装置１００Ａにおいて使用済みバッテリ５１０ｕと充電済みバッテリ５１０ｃとの交換の処理が開始されると、まず、貸し出し可能バッテリリストＢに、貸し出し（交換）をすることができる着脱式バッテリ５１０の情報が記録されているか否かを判定する（ステップＳ６１１）。つまり、バッテリ交換装置１００Ａは、貸し出し（交換）をすることができる充電済みバッテリ５１０ｃをいずれかのバッテリスロット１２０に保管しているか否かを判定する。このとき、バッテリ交換装置１００Ａでは、交換装置制御部１４０Ａに備えた処理部１４４Ａが、交換装置記憶部１３０Ａに記憶されている貸し出し可能バッテリリストＢに、いずれかの着脱式バッテリ５１０に関する情報が含まれているか否かを確認する。
【０１９４】
処理部１４４Ａは、貸し出し可能バッテリリストＢに着脱式バッテリ５１０の情報が記録されていない場合、ステップＳ６１１において、バッテリ収容部１２０Ｈに収容された使用済みバッテリ５１０ｕに代わる充電済みバッテリ５１０ｃを貸し出す（交換する）ことができないと判定する（ステップＳ６１１の“ＮＯ”）。この場合、処理部１４４Ａは、使用済みバッテリ５１０ｕを交換することができない（交換不可である）ことを、電動二輪車５０の使用者（ユーザー）に通知する（ステップＳ７１２）。なお、使用済みバッテリ５１０ｕを交換することができないことを電動二輪車５０の使用者（ユーザー）に通知する方法としては、表示器１１０に交換不可であることを表すメッセージを表示する方法が考えられるが、本発明においては、電動二輪車５０の使用者（ユーザー）に通知する方法として種々の方法が考えられる。
【０１９５】
一方、処理部１４４Ａは、貸し出し可能バッテリリストＢに着脱式バッテリ５１０の情報が記録されている場合、ステップＳ６１１において、バッテリ収容部１２０Ｈに収容された使用済みバッテリ５１０ｕに代わる充電済みバッテリ５１０ｃを貸し出す（交換する）ことができると判定する（ステップＳ６１１の“ＹＥＳ”）。この場合、処理部１４４Ａは、貸し出し可能バッテリリストＢに記憶されている充電済みバッテリ５１０ｃの中から貸し出す（交換する）充電済みバッテリ５１０ｃを選択する（ステップＳ７１３）。なお、貸し出し可能バッテリリストＢ内に複数の充電済みバッテリ５１０ｃの情報が記録されている場合、処理部１４４Ａにおける充電済みバッテリ５１０ｃの選択の処理では、順番が最も早い充電済みバッテリ５１０ｃを、貸し出す（交換する）充電済みバッテリ５１０ｃとして選択する。
【０１９６】
そして、処理部１４４Ａは、選択した充電済みバッテリ５１０ｃ、つまり、貸し出す（交換する）充電済みバッテリ５１０ｃが収容されたバッテリスロット１２０の情報を、電動二輪車５０の使用者（ユーザー）に通知する（ステップＳ７１４）。このとき、処理部１４４Ａは、貸し出し可能バッテリリストＢに記憶されている、選択した充電済みバッテリ５１０ｃの情報に基づいて、貸し出す（交換する）充電済みバッテリ５１０ｃが収容されたバッテリスロット１２０の情報を通知する。これにより、電動二輪車５０の使用者（ユーザー）は、通知されたバッテリスロット１２０のバッテリ収容部１２０Ｈに収容された充電済みバッテリ５１０ｃを取り出す（ステップＳ８１０）。つまり、電動二輪車５０の使用者（ユーザー）は、着脱式バッテリ５１０の交換を完了する。これにより、電動二輪車５０の使用者（ユーザー）は、充電済みバッテリ５１０ｃを電動二輪車５０に装着し、走行を継続することができる。
【０１９７】
このとき、選択して通知したバッテリスロット１２０のバッテリ収容部１２０Ｈ内の接続部１２０Ｔと、収容している充電済みバッテリ５１０ｃの接続部５１５Ａとの電気的な接続が切断される。これにより、バッテリ交換装置１００Ａでは、交換装置制御部１４０Ａが、電動二輪車５０の使用者（ユーザー）による使用済みバッテリ５１０ｕと充電済みバッテリ５１０ｃとの交換が終了したものとして、貸し出し可能バッテリリストＢを更新する。より具体的には、処理部１４４Ａが、貸し出し可能バッテリリストＢから、選択した充電済みバッテリ５１０ｃに関するバッテリ状態情報を削除する。
【０１９８】
その後、バッテリ交換装置１００Ａでは、電動二輪車５０の使用者（ユーザー）によってバッテリスロット１２０に収容された使用済みバッテリ５１０ｕを充電する処理を開始する（ステップＳ９１５）。このとき、バッテリ交換装置１００Ａでは、処理部１４４Ａが、使用済みバッテリ５１０ｕを充電すること表す指示を、交換装置制御部１４０Ａに備えた情報取得部１４３Ａに出力する。これにより、充電制御部１４１Ａは、測定センサ１４２から出力された着脱式バッテリ５１０の測定値に基づいて充電器１２０Ｃを制御し、使用済みバッテリ５１０ｕを充電する。
【０１９９】
なお、本発明においては、バッテリ交換装置１００Ａにおいて使用済みバッテリ５１０ｕの充電を開始するタイミングとして種々のタイミングが考えられる。例えば、複数の充電済みバッテリ５１０ｃを収容している場合、処理部１４４Ａは、使用済みバッテリ５１０ｕの交換が終了した後すぐに充電を開始するように充電制御部１４１Ａに指示を出してもよいし、充電済みバッテリ５１０ｃの数が予め定めた個数以下となったときに充電を開始するように充電制御部１４１Ａに指示を出してもよい。
【０２００】
なお、本発明においては、使用済みバッテリ５１０ｕを充電する際の充電器１２０Ｃの制御方法として種々の方法が考えられる。
【０２０１】
その後、バッテリ交換装置１００Ａは、電動二輪車５０の使用者（ユーザー）からの使用済みバッテリ５１０ｕの交換の要求を受け付けられる状態で待機する。そして、バッテリ交換装置１００Ａは、電動二輪車５０の使用者（ユーザー）が、電力が消耗した使用済みバッテリ５１０ｕを持ち込んで使用済みバッテリ５１０ｕの交換が要求されるごとに、使用済みバッテリ５１０ｕと充電済みバッテリ５１０ｃとを交換する処理および使用済みバッテリ５１０ｕを充電する処理（ステップＳ６１１〜ステップＳ９１５）を繰り返す。
【０２０２】
なお、バッテリ交換装置１００Ａは、貸し出し可能バッテリリストＢにバッテリ交換装置１００Ａにおいて貸し出し（交換）をすることができる着脱式バッテリ５１０の情報が記録されている分だけ、使用済みバッテリ５１０ｕと充電済みバッテリ５１０ｃとを交換する処理をすることができる。しかし、共用バッテリ管理システム１０Ａでは、バッテリ交換装置１００Ａと運用サーバー２００Ａとの間のネットワークＮＷを介した通信が途絶えなければ、上述したように、例えば、５分間隔など、予め定めた時間間隔ごとに新たな貸し出し可能バッテリリストＢが作成されて、交換装置記憶部１３０Ａに記憶している貸し出し可能バッテリリストが更新される。従って、バッテリ交換装置１００Ａは、電動二輪車５０の使用者（ユーザー）が持ち込んできた使用済みバッテリ５１０ｕを充電して充電済みバッテリ５１０ｃとなった場合には、この充電済みバッテリ５１０ｃも、別の使用済みバッテリ５１０ｕに代わる充電済みバッテリ５１０ｃとして、貸し出し（交換）をすることができる。つまり、共用バッテリ管理システム１０Ａでは、バッテリ交換装置１００Ａと運用サーバー２００Ａとの間のネットワークＮＷを介した通信が正常に行われている間、着脱式バッテリ５１０の交換の手続きの実施を継続することができる。
【０２０３】
さらに、共用バッテリ管理システム１０Ａでは、バッテリ交換装置１００Ａに貸し出し可能バッテリリストＢを記憶しておくことにより、バッテリ交換装置１００Ａが、貸し出し可能バッテリリストＢに基づいて、使用済みバッテリ５１０ｕと充電済みバッテリ５１０ｃとの交換の手続きを単独で実施することができる。このため、共用バッテリ管理システム１０Ａでは、例えば、バッテリ交換装置１００Ａと運用サーバー２００Ａとの間のネットワークＮＷを介した通信が途絶えたり、安定して通信を行うことができない状態であったりしても、貸し出し可能バッテリリストＢに貸し出し（交換）をすることができる着脱式バッテリ５１０の情報が記録されている分は、使用済みバッテリ５１０ｕと充電済みバッテリ５１０ｃとを交換する処理をすることができる。つまり、共用バッテリ管理システム１０Ａでは、現在の貸し出し可能バッテリリストＢに記録されている数の着脱式バッテリ５１０の交換が終了するまでの間は、共用バッテリ管理システム１０Ａと運用サーバー２００Ａとの間の通信の状態（通信環境）の悪化の影響による着脱式バッテリ５１０の交換の中止や中断を回避し、電動二輪車５０の使用者（ユーザー）にバッテリ共同利用サービス（バッテリシェアサービス）を提供し続けることができる。これは、電動二輪車５０の使用者（ユーザー）が電力の消耗している使用済みバッテリ５１０ｕを持ち込んでくるごとに運用サーバーとバッテリ交換装置との間でネットワークＮＷを介した通信を行って充電済みバッテリ５１０ｃを貸し出す（交換する）従来の共用バッテリ管理システムに対して、非常に有効であると考えられる。
【０２０４】
（共用バッテリ管理システム１０Ａと従来の共用バッテリ管理システムとの動作の比較）
ここで、共用バッテリ管理システム１０Ａを採用したバッテリ共同利用サービスと、従来の共用バッテリ管理システムを採用したバッテリ共同利用サービスとの動作を比較する。図１５は、第２実施形態の共用バッテリ管理システム１０Ａを採用したバッテリ共同利用サービスにおいて着脱式バッテリ５１０を貸し出す手続きの流れを模式的に示した図である。また、図１６は、従来の共用バッテリ管理システムを採用したバッテリ共同利用サービスにおいて着脱式バッテリ５１０を貸し出す手続きの流れを模式的に示した図である。
【０２０５】
上述したように、共用バッテリ管理システム１０Ａでは、バッテリ交換装置１００Ａが、ネットワークＮＷを介してバッテリ状態リストＳを運用サーバー２００Ａに送信し、運用サーバー２００Ａが作成した貸し出し可能バッテリリストＢを事前に取得する。そして、共用バッテリ管理システム１０Ａでは、バッテリ交換装置１００Ａが、取得した貸し出し可能バッテリリストＢに含まれる、バッテリ交換装置１００Ａにおいて貸し出し（交換）をすることができる着脱式バッテリ５１０およびその順番の情報に従って、電動二輪車５０の使用者（ユーザー）が持ち込んできた使用済みバッテリ５１０ｕと充電済みバッテリ５１０ｃとの交換の手続きを単独で実施する。図１５の（ａ）には、共用バッテリ管理システム１０Ａが、バッテリ交換装置１００Ａと運用サーバー２００Ａとの間で、バッテリ状態リストＳと貸し出し可能バッテリリストＢとをネットワークＮＷを介してやり取りしている様子を模式的に示している。また、図１５の（ｂ）には、バッテリ交換装置１００Ａが、取得した貸し出し可能バッテリリストＢに基づいて、電動二輪車５０の使用者（ユーザー）Ｐが持ち込んできた使用済みバッテリ５１０ｕと充電済みバッテリ５１０ｃとを交換する様子を模式的に示している。
【０２０６】
共用バッテリ管理システム１０Ａでは、使用済みバッテリ５１０ｕに代わって貸し出す（交換する）ことができる充電済みバッテリ５１０ｃを選択する際にバッテリ交換装置１００Ａが用いる貸し出し可能バッテリリストＢは、選択のたびに運用サーバー２００Ａから取得するのではなく、例えば、５分間隔など、予め定めた定期的な時間間隔で事前に取得したものである。このため、共用バッテリ管理システム１０Ａでは、図１５の（ａ）に示したように、バッテリ交換装置１００Ａが、保管および充電をしているそれぞれの着脱式バッテリ５１０のバッテリ状態情報をバッテリ状態リストＳとして運用サーバー２００Ａに送信し、運用サーバー２００Ａが送信したバッテリ状態リストＳに基づいて作成した貸し出し可能バッテリリストＢを取得して記憶しておく。これにより、バッテリ交換装置１００Ａは、バッテリ交換装置１００Ａと運用サーバー２００Ａとの間のネットワークＮＷを介した無線通信の状態（通信環境）に影響されることなく、記憶している貸し出し可能バッテリリストＢに基づいて、着脱式バッテリ５１０の交換の手続きを単独で実施することができる。つまり、バッテリ交換装置１００Ａは、図１５の（ｂ）に示したように、運用サーバー２００Ａとの間のネットワークＮＷを介した無線通信が途絶えていたり、安定して無線通信を行うことができない状態であったりしても、電動二輪車５０の使用者（ユーザー）Ｐが持ち込んできた使用済みバッテリ５１０ｕと充電済みバッテリ５１０ｃとの交換の手続きを、すぐに中止したり中断したりする必要はない。そして、バッテリ交換装置１００Ａは、貸し出し可能バッテリリストＢに記録されている着脱式バッテリ５１０の数の分は、単独で着脱式バッテリ５１０の交換の手続きを継続して行うことができる。このため、共用バッテリ管理システム１０Ａを採用したバッテリ共同利用サービスでは、電動二輪車５０の使用者（ユーザー）Ｐが使用済みバッテリ５１０ｕの交換を行いたいときに、充電済みバッテリ５１０ｃと交換をすることができる。これは、電動二輪車５０の使用者（ユーザー）Ｐが、着脱式バッテリ５１０が電力を消耗して電動二輪車５０による走行が困難になることが予想されるタイミングでバッテリ共同利用サービスを利用することを考慮すると、共用バッテリ管理システム１０Ａは、バッテリ共同利用サービス（バッテリシェアサービス）の提供の維持に非常に有効であると考えられる。
【０２０７】
しかも、共用バッテリ管理システム１０Ａでは、共用バッテリ管理システム１０Ａと運用サーバー２００Ａとの間の無線通信の状態（通信環境）の悪化している状況でバッテリ交換装置１００Ａが交換する着脱式バッテリ５１０の数は、貸し出し可能バッテリリストＢに記録されている着脱式バッテリ５１０の数の分だけである。このため、共用バッテリ管理システム１０Ａにおいて、例えば、運用サーバー２００Ａが、どの着脱式バッテリ５１０がいずれの電動二輪車５０の使用者（ユーザー）Ｐに貸し出されているかを管理することを考慮すると、必要以上に着脱式バッテリ５１０の交換が行われないため、無線通信の状態（通信環境）が復旧した後に、管理情報の回復が困難になってしまうという事態も回避することができると考えられる。
【０２０８】
これに対して、従来の共用バッテリ管理システムでは、電動二輪車５０の使用者（ユーザー）Ｐが使用済みバッテリ５１０ｕを持ち込んでくるごとに、バッテリ交換装置１００Ａに相当するバッテリ供給装置と、運用サーバー２００Ａに相当するシステム管理装置との間で、ネットワークＮＷを介した通信が行われる。図１６の（ａ）には、従来の共用バッテリ管理システムにおけるネットワークＮＷを介したバッテリ供給装置であるバッテリ交換装置８００とシステム管理装置９００とにおける処理の様子を模式的に示している。より具体的には、従来の共用バッテリ管理システムでは、図１６の（ａ）に示したように、使用済みバッテリ５１０ｕと充電済みバッテリ５１０ｃとを交換するタイミングで、バッテリ交換装置８００が、ネットワークＮＷを介して接続されたシステム管理装置９００に、使用済みバッテリ５１０ｕの情報を送信する。そして、従来の共用バッテリ管理システムでは、図１６の（ａ）に示したように、システム管理装置９００が、バッテリ交換装置８００から送信されてきた使用済みバッテリ５１０ｕの情報に基づいて、使用済みバッテリ５１０ｕの代わりにバッテリ交換装置８００において貸し出す（交換する）充電済みバッテリ５１０ｃを選定し、選定した結果を、ネットワークＮＷを介してバッテリ交換装置８００に送信する。そして、従来の共用バッテリ管理システムでは、バッテリ交換装置８００が、システム管理装置９００から送信されてきた選定結果に応じて、使用済みバッテリ５１０ｕと充電済みバッテリ５１０ｃとの交換の手続きを行う。
【０２０９】
このため、従来の共用バッテリ管理システムでは、図１６の（ｂ）に示したように、電動二輪車５０の使用者（ユーザー）Ｐが使用済みバッテリ５１０ｕを持ち込んできたタイミングが、バッテリ交換装置８００とシステム管理装置９００との間のネットワークＮＷを介した無線通信が途絶えていたり、安定して無線通信を行うことができない状態であったりすると、使用済みバッテリ５１０ｕと充電済みバッテリ５１０ｃとの交換の手続きを行うことができない。つまり、従来の共用バッテリ管理システムでは、バッテリ交換装置８００とシステム管理装置９００との間のネットワークＮＷを介した無線通信の状態（通信環境）に影響されて、電動二輪車５０の使用者（ユーザー）Ｐが持ち込んできた使用済みバッテリ５１０ｕと充電済みバッテリ５１０ｃとの交換の手続きを中止したり中断したりせざるを得なくなる。この場合、電動二輪車５０の使用者（ユーザー）Ｐは、バッテリ交換装置８００とシステム管理装置９００との間のネットワークＮＷを介した無線通信が復旧するまで待たされることになってしまう。これは、電動二輪車５０の使用者（ユーザー）Ｐが、着脱式バッテリ５１０が電力を消耗して電動二輪車５０による走行が困難になることが予想されるタイミングで現在のバッテリ交換装置８００のところに出向いてきていることを考慮すると、別のバッテリ交換装置８００のところに出向くことも困難であると考えられるからである。このため、電動二輪車５０の使用者（ユーザー）Ｐが、着脱式バッテリ５１０が電力を消耗して電動二輪車５０による走行が困難になった場合に、着脱式バッテリ５１０の充電に要する時間を短縮することを目的としてバッテリ共同利用サービスを利用することを考慮すると、従来の共用バッテリ管理システムは、バッテリ共同利用サービス（バッテリシェアサービス）の提供を維持するために非常に不利であると考えられる。
【０２１０】
ここで、例えば、バッテリ交換装置８００にソフトウェアとして組み込まれたバッテリ貸出処理手段が、システム管理装置９００による選定結果を用いずに、使用済みバッテリ５１０ｕと充電済みバッテリ５１０ｃとの交換の手続きを行う場合を考える。より具体的には、バッテリ交換装置８００が、ソフトウェアとして組み込まれたバッテリ貸出処理手段の処理に従って、バッテリ交換装置８００に保管している満充電の充電済みバッテリ５１０ｃを使用済みバッテリ５１０ｕと交換する手続きを行う場合を考える。この場合、従来の共用バッテリ管理システムでも、バッテリ交換装置８００とシステム管理装置９００との間のネットワークＮＷを介した無線通信の状態（通信環境）が悪化している状況で、使用済みバッテリ５１０ｕと充電済みバッテリ５１０ｃとの交換の手続きを行うことができる。しかしながら、例えば、バッテリ交換装置８００とシステム管理装置９００との間のネットワークＮＷを介した無線通信の状態（通信環境）が悪化している状況が長く続いた場合、従来の共用バッテリ管理システムでは、バッテリ交換装置８００が、満充電の充電済みバッテリ５１０ｃを際限なく交換してしまうことになる。これは、従来の共用バッテリ管理システムにおいて、例えば、システム管理装置９００が、どの着脱式バッテリ５１０がいずれの電動二輪車５０の使用者（ユーザー）Ｐに貸し出されているかを管理することを考慮すると、無線通信の状態（通信環境）が復旧した後に、管理情報の回復が困難になってしまうという事態を引き起こす要因となってしまうと考えられる。例えば、無線通信の状態（通信環境）が悪化している状況が長く続いた場合、貸し出した充電済みバッテリ５１０ｃの電力が消耗するとさらに交換されることになり、充電が完了するとさらに別の電動二輪車５０の使用者（ユーザー）Ｐに貸し出されることも考えられるからである。そして、この着脱式バッテリ５１０を貸し出すバッテリ交換装置８００は、最初に貸し出したバッテリ交換装置８００と同じであるとは限らないからである。この場合、従来の共用バッテリ管理システムでは、システム管理装置９００が、無線通信の状態（通信環境）が復旧するまでの間に、着脱式バッテリ５１０の交換がどれくらい行われたのかを時系列で遡って管理情報を回復することが必要となり、管理情報の回復が非常に困難になってしまうと考えられる。
【０２１１】
この点、共用バッテリ管理システム１０Ａでは、共用バッテリ管理システム１０Ａと運用サーバー２００Ａとの間の無線通信の状態（通信環境）が悪化している状況が長く続いた場合でも、バッテリ交換装置１００Ａが交換する着脱式バッテリ５１０の数は、貸し出し可能バッテリリストＢに記録されている着脱式バッテリ５１０の数に制限される。つまり、共用バッテリ管理システム１０Ａでは、共用バッテリ管理システム１０Ａと運用サーバー２００Ａとの間の無線通信の状態（通信環境）が悪化している状況では、バッテリ交換装置１００Ａによる着脱式バッテリ５１０の貸し出し（交換）を、有限回に制限することができる。言い換えれば、共用バッテリ管理システム１０Ａでは、共用バッテリ管理システム１０Ａと運用サーバー２００Ａとの間の無線通信の状態（通信環境）が悪化している状況において、有限回の着脱式バッテリ５１０の貸し出し（交換）を許容し、際限なく着脱式バッテリ５１０の貸し出し（交換）が行われてしまうのを回避することができる。このことにより、共用バッテリ管理システム１０Ａでは、運用サーバー２００Ａが管理情報を回復させるために時系列で遡る時間が短くなり、従来の共用バッテリ管理システムよりも容易に管理情報を回復させることができる。
【０２１２】
上記に述べたとおり、第２実施形態によれば、共用バッテリ管理システム１０Ａは、複数の場所に設置され、１つ以上の着脱式バッテリ５１０の保管および充電を行うバッテリ交換装置１００Ａと、バッテリ交換装置１００Ａにおいて交換することができる着脱式バッテリ５１０を管理する運用サーバー２００Ａとによって構成される。そして、第２実施形態では、バッテリ交換装置１００Ａが、例えば、５分間隔など、予め定めた時間間隔で定期的に、保管および充電をしている着脱式バッテリ５１０に関するバッテリ状態情報をバッテリ状態リストＳとして、ネットワークＮＷを介して運用サーバー２００Ａに送信する。また、第２実施形態では、バッテリ交換装置１００Ａが、送信したバッテリ状態リストＳに基づいて運用サーバー２００Ａが作成した、貸し出しをする（交換する）ことができる着脱式バッテリ５１０と貸し出しをする（交換する）順番が記録された貸し出し可能バッテリリストＢを、ネットワークＮＷを介して取得して記憶する。そして、第２実施形態では、バッテリ交換装置１００Ａが、記憶している貸し出し可能バッテリリストＢに基づいて、電動二輪車５０の使用者（ユーザー）が交換を希望する使用済みバッテリ５１０ｕと保管している着脱式バッテリ５１０との交換の手続きを実施する。
【０２１３】
ここで、第２実施形態では、運用サーバー２００Ａが、バッテリ交換装置１００Ａから送信されてきたバッテリ状態リストＳに基づいて、バッテリ交換装置１００Ａにおいて貸し出し（交換）をすることができる着脱式バッテリ５１０およびその着脱式バッテリ５１０の貸し出しをする（交換する）順番を決定して、貸し出し可能バッテリリストＢを作成する。このとき、第２実施形態では、運用サーバー２００Ａが、予め設定された規則（ルール）に従った着脱式バッテリ５１０の交換の手続きを実施する際の論理（ロジック）に基づいて、バッテリ交換装置１００Ａにおいて貸し出し（交換）をすることができる着脱式バッテリ５１０およびその順番を決定し、貸し出し可能バッテリリストＢを作成する。これにより、第２実施形態では、バッテリ交換装置１００Ａにおいて貸し出し（交換）をすることができる着脱式バッテリ５１０およびその順番を運用サーバー２００Ａが決定するための規則（ルール）を運用サーバー２００Ａに設定するのみで、バッテリ交換装置１００Ａが貸し出し（交換）をする着脱式バッテリ５１０およびその順番、つまり、着脱式バッテリ５１０の貸し出し方法を、容易に変更することができる。このことにより、第２実施形態では、従来の共用バッテリ管理システムのように、バッテリ供給装置に組み込まれたソフトウェアそのものを変更することなく、任意のタイミングのときに、バッテリ交換装置１００Ａが着脱式バッテリ５１０の交換の手続きを実施する際の論理（ロジック）を任意に変更することができる。言い換えれば、第２実施形態では、運用サーバー２００Ａが作成した貸し出し可能バッテリリストＢによって、バッテリ交換装置１００Ａが貸し出し（交換）をする着脱式バッテリ５１０およびその順番を管理することができる。なお、第２実施形態では、バッテリ交換装置１００Ａが着脱式バッテリ５１０の交換の手続きを実施する際の論理（ロジック）を運用サーバー２００Ａに設定しても同様に、バッテリ交換装置１００Ａが貸し出し（交換）をする着脱式バッテリ５１０およびその順番、つまり、着脱式バッテリ５１０の貸し出し方法を、容易に変更することができる。しかも、第２実施形態では、運用サーバー２００Ａが、それぞれのバッテリ交換装置１００Ａごとに、保管および充電をしているそれぞれの着脱式バッテリ５１０における現在の蓄電の状態が反映された貸し出し可能バッテリリストＢを作成する。このため、第２実施形態では、共用バッテリ管理システム１０Ａを構成するバッテリ交換装置１００Ａごとに、異なる規則（ルール）を運用サーバー２００Ａに設定することによって、バッテリ交換装置１００Ａが着脱式バッテリ５１０の交換の手続きを実施する際の論理（ロジック）を異ならせることができる。このようなことから、第２実施形態では、共用バッテリ管理システム１０Ａの管理者や共用バッテリ管理システム１０Ａを採用したバッテリ共同利用サービスの運用者における着脱式バッテリ５１０の管理や運用をする際の考え方や意向などに基づいて、着脱式バッテリ５１０の貸し出し方法を、容易に変更することができる。
【０２１４】
しかも、第２実施形態では、バッテリ交換装置１００Ａが、記憶している貸し出し可能バッテリリストＢに基づいて、電動二輪車５０の使用者（ユーザー）が交換を希望する使用済みバッテリ５１０ｕと保管している着脱式バッテリ５１０との交換の手続きを単独で実施することができる。このため、第２実施形態では、バッテリ交換装置１００Ａが、バッテリ交換装置１００Ａと運用サーバー２００Ａとの間のネットワークＮＷを介した通信の状態（通信環境）が悪化した場合でも、貸し出し可能バッテリリストＢに記録されている全ての着脱式バッテリ５１０の貸し出し（交換）が終わるまでの間は、着脱式バッテリ５１０の交換の手続きの実施を継続することができる。このことにより、第２実施形態では、バッテリ交換装置１００Ａが貸し出し可能バッテリリストＢに記録されている数分の着脱式バッテリ５１０の貸し出し（交換）を終わるまでの間は、通信の状態（通信環境）の悪化に影響されて着脱式バッテリ５１０の交換の手続きを中止したり中断したりすることなく、電動二輪車５０の使用者（ユーザー）に、バッテリ共同利用サービス（バッテリシェアサービス）を提供し続けることができる。
【０２１５】
これらのことにより、第２実施形態では、提供するバッテリ共同利用サービス（バッテリシェアサービス）の柔軟性を向上させることができる。
【０２１６】
なお、第２実施形態では、共用バッテリ管理システム１０Ａを構成するバッテリ交換装置１００Ａと運用サーバー２００Ａとが、無線通信の通信網であるネットワークＮＷを介して通信を行う場合の例を説明した。しかしながら、共用バッテリ管理システム１０Ａにおけるバッテリ交換装置１００Ａと運用サーバー２００Ａとの間の通信は、無線通信に限定されるものではなく、共用バッテリ管理システム１０Ａにおけるバッテリ交換装置１００Ａと運用サーバー２００Ａとの間の通信が有線通信、つまり、ネットワークＮＷが有線通信の通信網であってもよい。なお、共用バッテリ管理システム１０Ａにおけるバッテリ交換装置１００Ａと運用サーバー２００Ａとの間の通信が有線通信である場合でも、例えば、運用サーバー２００Ａの保守（メンテナンス）を行っているときなどには、有線通信が途絶えていたり、安定して有線通信を行うことができない状態であったりすることも考えられる。しかし、共用バッテリ管理システム１０Ａでは、バッテリ交換装置１００Ａと運用サーバー２００Ａとの間の通信が有線通信である場合であっても、ネットワークＮＷを有線通信に置き換えることによって、同様に考えることができ、同様の効果を得ることができる。従って、バッテリ交換装置１００Ａと運用サーバー２００Ａとの間の通信が有線通信である場合の共用バッテリ管理システム１０Ａにおける着脱式バッテリ５１０の交換の手続きに関する詳細な説明は省略する。
【０２１７】
また、第２実施形態では、電動二輪車５０の使用者（ユーザー）が持ち込んでバッテリ交換装置１００Ａにおいて交換する使用済みバッテリ５１０ｕが１つである場合の例を説明した。しかしながら、電動二輪車５０が走行するために装着される着脱式バッテリ５１０の数は、１つであるとは限らない。つまり、電動二輪車５０は、複数の着脱式バッテリ５１０から供給される電力によって走行する電動車両であることも考えられる。しかし、電動二輪車５０が複数の着脱式バッテリ５１０を装着して走行する電動車両であっても、着脱式バッテリ５１０の交換の手続きは、同様に考えることができる。例えば、電動二輪車５０が２つの着脱式バッテリ５１０から供給される電力によって走行する電動車両である場合、電動二輪車５０の使用者（ユーザー）は、図１４に示したステップＳ５１０とステップＳ８１０との動作を、それぞれの着脱式バッテリ５１０に対して行う、つまり、２回行うことになるが、その動作は、同じ動作の繰り返しである。従って、複数の着脱式バッテリ５１０から供給される電力によって走行する電動車両における着脱式バッテリ５１０の交換の手続きに関する詳細な説明は省略する。
【０２１８】
上述した実施形態では、バッテリ共同利用サービスを利用するユーザーが使用する電力装置である電動車両が、鞍乗り型の電動車両である電動二輪車５０である場合について説明した。しかし、バッテリ共同利用サービスを利用するユーザーが使用する電力装置は、上述した実施形態において示したような鞍乗り型の電動車両に限定されるものではない。例えば、上述した実施形態における電力装置としては、二輪の車両のみならず、三輪（前一輪かつ後二輪の他に、前二輪かつ後一輪の車両も含む）の車両や、四輪の車両、さらには、アシスト式の自転車など、着脱式バッテリから供給される電力によって駆動される電動モータによって走行する車両型の移動体の全般が含まれる。これら車両型の移動体に代えて、「電力装置」は、日本国特開２０１９−０６８５５２号公報に記載の、人や車両によって運ばれる可搬型の充電給電装置であってもよい。また「電力装置」は、移動ロボット、自律走行装置、電動自転車、自律走行車、その他の電動車両、ドローン飛行体、又はその他の電動式移動装置（電動モビリティ）であってもよい。
【０２１９】
なお、本発明における蓄電装置管理システム（例えば、共用バッテリ管理システム１０）の構成要素である、保管装置（例えば、バッテリ交換装置１００）またはサーバー（例えば、運用サーバー２００）による機能や処理を実現するためのプログラムをコンピュータ読み取り可能な記録媒体に記録して、この記録媒体に記録されたプログラムをコンピュータシステムに読み込ませ、実行することにより、蓄電装置管理システムにおける上述した種々の機能や処理を実現してもよい。なお、ここでいう「コンピュータシステム」とは、ＯＳや周辺機器などのハードウェアを含むものであってもよい。また、「コンピュータシステム」は、ＷＷＷシステムを利用している場合であれば、ホームページ提供環境（あるいは表示環境）も含むものとする。また、「コンピュータ読み取り可能な記録媒体」とは、フレキシブルディスク、光磁気ディスク、ＲＯＭ、フラッシュメモリなどの書き込み可能な不揮発性メモリ、ＣＤ−ＲＯＭなどの可搬媒体、コンピュータシステムに内蔵されるハードディスクなどの記憶装置のことをいう。
【０２２０】
さらに「コンピュータ読み取り可能な記録媒体」とは、インターネットなどのネットワークや電話回線などの通信回線を介してプログラムが送信された場合のサーバーやクライアントとなるコンピュータシステム内部の揮発性メモリ（例えばＤＲＡＭ（Ｄｙｎａｍｉｃ  Ｒａｎｄｏｍ  Ａｃｃｅｓｓ  Ｍｅｍｏｒｙ））のように、一定時間プログラムを保持しているものも含むものとする。また、上記プログラムは、このプログラムを記憶装置などに格納したコンピュータシステムから、伝送媒体を介して、あるいは、伝送媒体中の伝送波により他のコンピュータシステムに伝送されてもよい。ここで、プログラムを伝送する「伝送媒体」は、インターネットなどのネットワーク（通信網）や電話回線などの通信回線（通信線）のように情報を伝送する機能を有する媒体のことをいう。また、上記プログラムは、前述した機能の一部を実現するためのものであってもよい。さらに、前述した機能をコンピュータシステムにすでに記録されているプログラムとの組み合わせで実現できるもの、いわゆる差分ファイル（差分プログラム）であってもよい。
【０２２１】
以上、本発明を実施するための形態について実施形態を用いて説明したが、本発明はこうした実施形態に何ら限定されるものではなく、本発明の要旨を逸脱しない範囲内において種々の変形および置換を加えることができる。
【０２２２】
上記説明した実施形態は、以下のように表現することができる。
（１）実施形態の一態様は、電動車両（例えば、電動二輪車５０）に着脱自在に装着され、複数の前記電動車両で共同利用される着脱式バッテリ（例えば、着脱式バッテリ５１０）の交換を管理する共用バッテリ管理システム（例えば、共用バッテリ管理システム１０）であって、前記着脱式バッテリを収容する複数のバッテリスロット（例えば、バッテリスロット１２０）が設けられ、１つ以上の前記着脱式バッテリの保管および充電を行うバッテリ交換装置（例えば、バッテリ交換装置１００）と、前記バッテリ交換装置において交換することができる複数の前記着脱式バッテリの識別情報（例えば、バッテリＩＤ）を記録した提供可能バッテリリスト（例えば、提供可能バッテリリストＬ）を管理する運用サーバー（例えば、運用サーバー２００）と、を備え、前記バッテリ交換装置は、予め定めた時間間隔（例えば、３時間ごとや１日ごとなど）で、通信ネットワーク（例えば、ネットワークＮＷ）を介して前記提供可能バッテリリストを取得して記憶しておき、当該記憶しておいた前記提供可能バッテリリストに含まれる前記識別情報に基づいて、前記電動車両において使用されて電力が消耗した前記着脱式バッテリである使用済みバッテリ（例えば、使用済みバッテリ５１０ｕ）と、充電が完了して保管している前記着脱式バッテリである充電済みバッテリ（例えば、充電済みバッテリ５１０ｃ）との交換の手続きを実施する共用バッテリ管理システムである。
【０２２３】
（２）の態様は、（１）の態様の共用バッテリ管理システムにおいて、前記バッテリ交換装置は、予め定めた時間間隔で、前記通信ネットワークを介して前記提供可能バッテリリストの更新の有無を前記運用サーバーに問い合わせ、前記提供可能バッテリリストが更新されている場合にのみ、前記通信ネットワークを介して前記提供可能バッテリリストを取得して記憶しておく。
【０２２４】
（３）の態様は、（２）の態様の共用バッテリ管理システムにおいて、前記バッテリ交換装置は、取得した前記提供可能バッテリリストを記憶する交換装置記憶部（例えば、交換装置記憶部１３０）と、いずれかの前記バッテリスロットに前記使用済みバッテリが収容されたときに当該使用済みバッテリの前記識別情報を取得し、取得した前記識別情報と、前記交換装置記憶部に記憶した前記提供可能バッテリリストに含まれる前記識別情報とを照合して、前記使用済みバッテリが交換することができる前記着脱式バッテリであるか否かを判定する交換装置制御部（例えば、交換装置制御部１４０）と、を備える。
【０２２５】
（４）の態様は、（３）の態様の共用バッテリ管理システムにおいて、前記交換装置制御部は、前記提供可能バッテリリストに、取得した前記識別情報が含まれていない場合、前記バッテリスロットに収容された前記使用済みバッテリは交換することができない前記着脱式バッテリであると判定して、交換することができないことを（例えば、表示器１１０によって）通知し、前記提供可能バッテリリストに、取得した前記識別情報が含まれている場合、前記バッテリスロットに収容された前記使用済みバッテリは交換することができる前記着脱式バッテリであると判定し、充電が完了して異なる前記バッテリスロットに保管している前記充電済みバッテリの中から交換する前記充電済みバッテリを選定して、選定した前記充電済みバッテリが収容された前記バッテリスロットを（例えば、表示器１１０によって）通知する。
【０２２６】
（５）の態様は、（４）の態様の共用バッテリ管理システムにおいて、前記交換装置制御部は、選定した前記充電済みバッテリが、収容されている前記バッテリスロットから取り出された後に、前記使用済みバッテリの充電を開始する。
【０２２７】
（６）の態様は、（５）の態様の共用バッテリ管理システムにおいて、前記交換装置制御部は、前記使用済みバッテリを充電する充電器を制御する充電制御部（例えば、充電制御部１４１）、をさらに備える。
【０２２８】
（７）実施形態の他の態様は、電動車両（例えば、電動二輪車５０）に着脱自在に装着され、複数の前記電動車両で共同利用される着脱式バッテリ（例えば、着脱式バッテリ５１０）の貸し出しを管理する共用バッテリ管理システム（例えば、共用バッテリ管理システム１０Ａ）であって、前記着脱式バッテリを収容する複数のバッテリスロット（例えば、バッテリスロット１２０）が設けられ、１つ以上の前記着脱式バッテリの保管および充電を行うバッテリ交換装置（例えば、バッテリ交換装置１００Ａ）と、前記バッテリ交換装置において貸し出すことができる複数の前記着脱式バッテリおよび当該着脱式バッテリを貸し出す順番を記録した貸し出し可能バッテリリスト（例えば、貸し出し可能バッテリリストＢ）を作成する運用サーバー（例えば、運用サーバー２００Ａ）と、を備え、前記バッテリ交換装置は、予め定めた時間間隔（例えば、５分間隔）で定期的に、通信ネットワーク（例えば、ネットワークＮＷ）を介して前記貸し出し可能バッテリリストを取得して記憶しておき、当該記憶しておいた前記貸し出し可能バッテリリストが表す前記着脱式バッテリを貸し出す順番に従って、前記電動車両において使用されて電力が消耗した前記着脱式バッテリである使用済みバッテリ（例えば、使用済みバッテリ５１０ｕ）と、前記貸し出し可能バッテリリストに含まれる貸し出すことができる前記着脱式バッテリである充電済みバッテリ（例えば、充電済みバッテリ５１０ｃ）との交換の手続きを実施する共用バッテリ管理システムである。
【０２２９】
（８）の態様は、（７）の態様の共用バッテリ管理システムにおいて、前記バッテリ交換装置は、前記使用済みバッテリと前記貸し出し可能バッテリリストに含まれる前記充電済みバッテリとの交換が終了した後に、当該交換がされた前記充電済みバッテリの情報を前記貸し出し可能バッテリリストから削除する。
【０２３０】
（９）の態様は、（７）の態様または（８）の態様の共用バッテリ管理システムにおいて、前記バッテリ交換装置は、予め定めた時間間隔で定期的に、保管している前記着脱式バッテリの状態を記録したバッテリ状態リスト（例えば、バッテリ状態リストＳ）を、前記通信ネットワークを介して前記運用サーバーに送信し、前記運用サーバーは、送信されてきた前記バッテリ状態リストに含まれるそれぞれの前記着脱式バッテリの状態を表す情報に基づいて、前記バッテリ交換装置において貸し出すことができる前記着脱式バッテリおよび当該着脱式バッテリを貸し出す順番を決定し、前記貸し出し可能バッテリリストを作成する。
【０２３１】
（１０）の態様は、（９）の態様の共用バッテリ管理システムにおいて、前記運用サーバーは、前記バッテリ交換装置に対応して予め設定された、貸し出すことができる前記着脱式バッテリおよび当該着脱式バッテリを貸し出す順番を決定するための規則（ルール）に従った論理（ロジック）で、前記バッテリ交換装置において貸し出すことができる前記着脱式バッテリおよび当該着脱式バッテリを貸し出す順番を決定する。
【０２３２】
（１１）の態様は、（９）の態様の共用バッテリ管理システムにおいて、前記バッテリ交換装置は、保管している前記着脱式バッテリの状態を表すバッテリ状態情報を取得すると共に、いずれかの前記バッテリスロットに前記使用済みバッテリが収容されたときに当該使用済みバッテリに代わる前記充電済みバッテリを前記貸し出し可能バッテリリストが表す順番に選択し、前記使用済みバッテリと選択した前記充電済みバッテリとの交換が終了した後に、選択した前記充電済みバッテリの情報を削除して前記貸し出し可能バッテリリストを更新する交換装置制御部（例えば、交換装置制御部１４０Ａ）と、前記バッテリ状態情報を前記バッテリ状態リストとして前記運用サーバーに送信し、前記運用サーバーから前記貸し出し可能バッテリリストを取得する交換装置通信部（例えば、交換装置通信部１５０Ａ）と、取得した前記貸し出し可能バッテリリストを記憶する交換装置記憶部（例えば、交換装置記憶部１３０Ａ）と、を備える。
【０２３３】
（１２）の態様は、（１１）の態様の共用バッテリ管理システムにおいて、前記交換装置制御部は、選択した前記充電済みバッテリが、収容されている前記バッテリスロットから取り出された後に、前記使用済みバッテリの充電を開始する。
【０２３４】
（１３）の態様は、（１２）の態様の共用バッテリ管理システムにおいて、前記交換装置制御部は、前記使用済みバッテリを充電する充電器を制御する充電制御部（例えば、充電制御部１４１Ａ）、をさらに備える。
【０２３５】
（１４）の態様は、（９）の態様から（１３）の態様のいずれか一態様の共用バッテリ管理システムにおいて、前記バッテリ状態リストは、少なくとも、保管しているそれぞれの前記着脱式バッテリの識別情報（例えば、バッテリＩＤ）と、充電回数の情報と、劣化状態の情報と、充電率の情報とが記録されている。
【０２３６】
上記表現した（１）から（３）の態様によれば、バッテリ交換装置が、共同利用される着脱式バッテリの識別情報が記載された提供可能バッテリリストを、通信ネットワークを介して事前に運用サーバーから取得して記憶しておく。そして、バッテリ交換装置は、交換が希望されている着脱式バッテリである使用済みバッテリの識別情報と、記憶しておいた提供可能バッテリリストに含まれる識別情報とを照合することにより、使用済みバッテリが交換することができる着脱式バッテリであるか否かを判定する。これにより、共用バッテリ管理システムでは、バッテリ交換装置と運用サーバーとの間の通信ネットワークが利用できない状況であっても、バッテリ交換装置が単独で、着脱式バッテリの交換の手続きを行うことができる。このことにより、共用バッテリ管理システムは、バッテリ交換装置と運用サーバーとの間の通信環境に影響されることなく、バッテリ共同利用サービスの提供を継続することができる。
【０２３７】
また、上記表現した（４）の態様によれば、バッテリ交換装置に備えた交換装置制御部が、使用済みバッテリが交換することができる着脱式バッテリであるか否かを判定した結果を通知する。これにより、共用バッテリ管理システムでは、バッテリ共同利用サービスを受けるユーザーに、使用済みバッテリが共同利用される着脱式バッテリであるか否かを知らせることができる。そして、共用バッテリ管理システムでは、共同利用されない着脱式バッテリが紛れ込んでしまうのを防止することができる。
【０２３８】
また、上記表現した（５）および（６）の態様によれば、バッテリ交換装置において、充電が完了して保管している充電済みバッテリがバッテリスロットから取り出された後、つまり、着脱式バッテリの交換が完了した後に、使用済みバッテリの充電を開始する。これにより、共用バッテリ管理システムでは、使用済みバッテリの充電を、任意のタイミングから開始することができる。
【０２３９】
上記表現した（７）の態様によれば、バッテリ交換装置が、貸し出し（交換）をすることができる着脱式バッテリおよびその着脱式バッテリの貸し出しをする（交換する）順番が記録された貸し出し可能バッテリリストを、通信ネットワークを介して事前に運用サーバーから取得して記憶しておく。そして、バッテリ交換装置は、交換が希望されている着脱式バッテリである使用済みバッテリに代わる着脱式バッテリを、貸し出し可能バッテリリストが表す順番に従って選択して交換の手続きを行う。これにより、共用バッテリ管理システムでは、バッテリ交換装置と運用サーバーとの間の通信ネットワークが利用できない状況であっても、バッテリ交換装置が単独で、着脱式バッテリの交換の手続きを行うことができる。このことにより、共用バッテリ管理システムは、バッテリ交換装置と運用サーバーとの間の通信環境に影響されることなく、バッテリ共同利用サービスの提供を継続することができる。
【０２４０】
また、上記表現した（８）の態様によれば、バッテリ交換装置は、交換の手続きが終了した後に、貸し出しをした（交換した）着脱式バッテリの情報を、貸し出し可能バッテリリストから削除する。これにより、共用バッテリ管理システムでは、バッテリ交換装置が、貸し出し可能バッテリリストに含まれている着脱式バッテリの数の分だけ着脱式バッテリの貸し出し（交換）を行うことができる。ところで、バッテリ交換装置は、運用サーバーとの間の通信ネットワークが利用できない状況が長く続いた場合には、新たな貸し出し可能バッテリリストを取得することができなくなる。しかし、バッテリ交換装置は、貸し出し可能バッテリリストに含まれている着脱式バッテリの数の分だけ、つまり、貸し出し可能バッテリリストに着脱式バッテリが記録されている間は、着脱式バッテリの貸し出し（交換）を行うことができる。これにより、共用バッテリ管理システムでは、バッテリ交換装置と運用サーバーとの間の通信ネットワークが利用できない状況では、即時停止とはならず、バッテリ交換装置による有限回の着脱式バッテリの貸し出し（交換）を許容することができる。言い換えれば、共用バッテリ管理システムでは、バッテリ交換装置が、際限なく着脱式バッテリの貸し出し（交換）を行ってしまうのを回避することができる。
【０２４１】
また、上記表現した（９）の態様によれば、バッテリ交換装置が、予め定めた時間間隔で定期的に、保管している着脱式バッテリの状態を記録したバッテリ状態リストを運用サーバーに送信する。そして、運用サーバーは、バッテリ状態リストに含まれるそれぞれの着脱式バッテリの情報に基づいて、バッテリ交換装置において貸し出す（交換する）ことができる着脱式バッテリおよびその順番を決定し、貸し出し可能バッテリリストを作成する。これにより、共用バッテリ管理システムでは、バッテリ交換装置が運用サーバーから取得する貸し出し可能バッテリリストが、それぞれの着脱式バッテリの現在の状態が反映された最新の状態に更新される。言い換えれば、共用バッテリ管理システムでは、運用サーバーが貸し出し可能バッテリリストを作成することによって、バッテリ交換装置が貸し出す（交換する）着脱式バッテリを管理することができる。
【０２４２】
また、上記表現した（１０）の態様によれば、運用サーバーは、予め設定された、バッテリ交換装置において貸し出し（交換）をすることができる着脱式バッテリおよびその順番を決定するための規則（ルール）に従った交換の手続きを行う際の論理（ロジック）で、バッテリ交換装置において貸し出す（交換する）ことができる着脱式バッテリおよびその順番を決定する。このとき、共用バッテリ管理システムでは、それぞれのバッテリ交換装置ごとに、貸し出し（交換）をすることができる着脱式バッテリおよびその順番を決定するための規則（ルール）が設定される。これにより、共用バッテリ管理システムでは、それぞれのバッテリ交換装置ごとに、着脱式バッテリの交換の手続きを行う際の論理（ロジック）を異ならせることができる。このことにより、共用バッテリ管理システムでは、それぞれのバッテリ交換装置ごとに、共用バッテリ管理システムの管理者や共用バッテリ管理システムを採用したバッテリ共同利用サービスの運用者の考え方に合った（意向に沿った）、着脱式バッテリの貸し出しをすることができる。
【０２４３】
また、上記表現した（１１）の態様によれば、保管している着脱式バッテリの状態を表すバッテリ状態情報を取得してバッテリ状態リストとして運用サーバーに送信すると共に、運用サーバーから取得した貸し出し可能バッテリリストを記憶し、使用済みバッテリに代わる着脱式バッテリを記憶している貸し出し可能バッテリリストが表す順番に選択して交換の手続きを行うバッテリ交換装置の機能を実現することができる。また、交換の手続きによって貸し出した（交換した）着脱式バッテリを貸し出し可能バッテリリストから削除して貸し出し可能バッテリリストを更新するバッテリ交換装置の機能を実現することができる。
【０２４４】
また、上記表現した（１２）および（１３）の態様によれば、バッテリ交換装置において、貸し出す（交換する）着脱式バッテリがバッテリスロットから取り出された後、つまり、着脱式バッテリの交換が完了した後に、使用済みバッテリの充電を開始する。これにより、共用バッテリ管理システムでは、使用済みバッテリの充電を、任意のタイミングから開始することができる。
【０２４５】
また、上記表現した（１４）の態様によれば、バッテリ交換装置が運用サーバーに送信するバッテリ状態リストには、着脱式バッテリの識別情報と、充電回数と、劣化状態と、充電率（充電が完了している割合）とが記憶されている。これにより、共用バッテリ管理システムでは、限度以上に劣化した着脱式バッテリの貸し出し（交換）をしてしまうことを回避することができる。これにより、共用バッテリ管理システムでは、バッテリ共同利用サービスの保守（メンテナンス）において限度以上に劣化している着脱式バッテリを交換する作業を容易にすることができる。また、共用バッテリ管理システムでは、充電率が予め定めた割合以上の着脱式バッテリも、貸し出し（交換）をすることができる着脱式バッテリに含めることができる。これにより、共用バッテリ管理システムでは、共用バッテリ管理システムの管理者や共用バッテリ管理システムを採用したバッテリ共同利用サービスの運用者の考え方や意向に応じた柔軟な着脱式バッテリの貸し出し（交換）方法を提供することができる。
【符号の説明】
【０２４６】
１０，１０Ａ・・・共用バッテリ管理システム（蓄電装置管理システム）
１００，１００Ａ・・・バッテリ交換装置（保管装置）
１０１・・・筐体
１１０・・・表示器
１２０，１２０−１，１２０−２，１２０−３，１２０−４，１２０−５，１２０−６，１２０−７，１２０−８・・・バッテリスロット（収容部）
１２０Ｈ，１２０−１Ｈ・・・バッテリ収容部
１２０Ｌ，１２０−１Ｌ・・・開閉蓋
１２０Ｔ・・・接続部
１２０Ｃ・・・充電器
１３０，１３０Ａ・・・交換装置記憶部（第２記憶部）
１４０，１４０Ａ・・・交換装置制御部（判断部、提供部、削除部、応答部）
１４１，１４１Ａ・・・充電制御部（充電部）
１４２・・・測定センサ
１４３，１４３Ａ・・・情報取得部（状態取得部）
１４４，１４４Ａ・・・処理部（判断部）
１５０，１５０Ａ・・・交換装置通信部（送信部、第１送信部）
２００，２００Ａ・・・運用サーバー（サーバー装置）
２１０，２１０Ａ・・・サーバー記憶部（第１記憶部）
２２０，２２０Ａ・・・サーバー制御部（削除部、決定部）
２２１・・・情報取得部
２２２，２２２Ａ・・・リスト処理部
２３０，２３０Ａ・・・サーバー通信部（第２送信部）
５０・・・電動二輪車（電力装置）
５１０・・・着脱式バッテリ（蓄電装置）
５１０ｕ・・・使用済みバッテリ
５１０ｃ・・・充電済みバッテリ
５１１・・・蓄電部
５１２・・・測定センサ
５１３，５１３Ａ・・・ＢＭＵ
５１４，５１４Ａ・・・記憶部
５１５，５１５Ａ・・・接続部
ＮＷ・・・ネットワーク
Ｌ・・・提供可能バッテリリスト（記憶識別情報）
Ｓ・・・バッテリ状態リスト（状態情報、保管情報）
Ｂ・・・貸し出し可能バッテリリスト（記憶識別情報、提供情報）
【要約】
蓄電装置管理システムは、電力を利用する電力装置に対して着脱自在に装着される蓄電装置を保管する保管装置と、前記保管装置と通信可能に接続されるサーバー装置と、を備え、前記サーバー装置は、前記蓄電装置のうち、複数の利用者で共同利用されるものの識別情報を記憶識別情報として記憶する第１記憶部を有し、前記保管装置は、前記サーバー装置から受信する前記記憶識別情報を記憶する第２記憶部を備え、利用者から前記蓄電装置を受領したときに、前記第２記憶部に記憶された前記記憶識別情報に基づいて、前記蓄電装置の受領の可否を判断する判断部を有する。【図１】
0006708805.tif 000002
【図２】
0006708805.tif 000003
【図３】
0006708805.tif 000004
【図４】
0006708805.tif 000005
【図５】
0006708805.tif 000006
【図６】
0006708805.tif 000007
【図７】
0006708805.tif 000008
【図８】
0006708805.tif 000009
【図９】
0006708805.tif 000010
【図１０】
0006708805.tif 000011
【図１１】
0006708805.tif 000012
【図１２】
0006708805.tif 000013
【図１３】
0006708805.tif 000014
【図１４】
0006708805.tif 000015
【図１５】
0006708805.tif 000016
【図１６】
0006708805.tif 000017